(57)【要約】【課題】体の向きが限定されることなく立体視する事が可能な、簡易な構造のビュアー、及び、これが添付された冊子体を開示すること。【解決手段】採光窓と、前記閲覧用窓と略対向するように設けられた透過光採光窓と、前記採光窓の後辺と、採光窓後山折線部を介して連接し、かつ、前記透過光採光用窓の下辺と、透過光採光窓下谷折線部を介して連接する拡散基盤と、前記採光窓の右辺と、採光窓右山折線部を介して連接し、かつ、前記拡散基盤の右辺と拡散基盤右谷折線部を介して連接する右支持基盤と、前記採光窓の左辺と、採光窓左山折線部を介して連接し、かつ、前記拡散基盤の左辺と拡散基盤左谷折線部を介して連接する左支持基盤と、前記閲覧用窓と透過光採光窓との間に設けられた画像と、を有することを特徴とするビュアー、及び、これらを添付した冊子体である。【選択図】図１
2005300725.tif 000002
【特許請求の範囲】
【請求項１】
２つのレンズと、前記レンズを固定するレンズ固定部と、前記レンズ固定部の上部とレンズ固定部上山折線部を介して連接する少なくとも一つの上基盤と、を有するビュアーにおいて、
前記上基盤に設けられた少なくとも一つの採光窓と、
前記採光窓の前辺と、採光窓前山折線部を介して連接し、かつ、前記２つのレンズの中心軸上に、前記２つのレンズと略対向するように設けられた、少なくとも一つの透過光採光窓と、
前記採光窓の後辺と、採光窓後山折線部を介して連接し、かつ、前記透過光採光窓の下辺と、透過光採光窓下谷折線部を介して連接する、少なくとも一つの拡散基盤と、
前記採光窓の右辺と、採光窓右山折線部を介して連接し、かつ、前記拡散基盤の右辺と拡散基盤右谷折線部を介して連接する、少なくとも一つの右支持基盤と、
前記採光窓の左辺と、採光窓左山折線部を介して連接し、かつ、前記拡散基盤の左辺と拡散基盤左谷折線部を介して連接する、少なくとも一つの左支持基盤と、
前記２つのレンズの中心軸上に、前記２つのレンズと透過光採光窓との間に設けられ、同一被写体を異なる視点で表した少なくとも２つの画像と、
を有することを特徴とするビュアー。
【請求項２】
右目用レンズと、左目用レンズと、前記右目用レンズ及び左目用レンズを固定するレンズ固定部と、前記レンズ固定部の上部とレンズ固定部上山折線部を介して連接する少なくとも一つの上基盤と、を有するビュアーにおいて、
前記上基盤に設けられた右目用採光窓と、
前記右目用採光窓の隣に、前記右目用採光窓に接しないように設けられた左目用採光窓と、
前記右目用採光窓の前辺と、右目用採光窓前山折線部を介して連接し、かつ、前記右目用レンズの中心軸上に、右目用レンズと略対向するように設けられた、右目用透過光採光窓と、
前記左目用採光窓の前辺と、左目用採光窓前山折線部を介して連接し、かつ、前記左目用レンズの中心軸上に、左目用レンズと略対向するように設けられた、左目用透過光採光窓と、
前記右目用採光窓の後辺と、右目用採光窓後山折線部を介して連接し、かつ、前記右目用透過光採光窓の下辺と、右目用透過光採光窓下谷折線部を介して連接する右目用拡散基盤と、
前記左目用採光窓の後辺と、左目用採光窓後山折線部を介して連接し、かつ、前記左目用透過光採光窓の下辺と、左目用透過光採光窓下谷折線部を介して連接する左目用拡散基盤と、
前記右目用採光窓の右辺と、右目用採光窓右山折線部を介して連接し、かつ、前記右目用拡散基盤の右辺と右目用拡散基盤右谷折線部を介して連接する右目用右支持基盤と、
前記右目用採光窓の左辺と、右目用採光窓左山折線部を介して連接し、かつ、前記右目用拡散基盤の左辺と右目用拡散基盤左谷折線部を介して連接する右目用左支持基盤と、
前記左目用採光窓の右辺と、左目用採光窓右山折線部を介して連接し、かつ、前記左目用拡散基盤の右辺と左目用拡散基盤右谷折線部を介して連接する左目用右支持基盤と、
前記左目用採光窓の左辺と、左目用採光窓左山折線部を介して連接し、かつ、前記左目用拡散基盤の左辺と左目用拡散基盤左谷折線部を介して連接する左目用左支持基盤と、
前記右目用レンズの中心軸上に、右目用レンズと右目用透過光採光窓との間に設けられ、被写体を表した右目用画像と、
前記左目用レンズの中心軸上に、左目用レンズと左目用透過光採光窓との間に設けられ、前記右目用画像と同一の被写体を異なる視点で表した左目用画像と、
を有することを特徴とする請求項１記載のビュアー。
【請求項３】
前記拡散基盤、右目用拡散基盤、及び、左目用拡散基盤は、緩やかに湾曲していることを特徴とする請求項１記載又は請求項２記載のビュアー。
【請求項４】
前記請求項１乃至請求項３いずれか一つに記載のビュアーに添付されたことを特徴とする冊子体。
【発明の詳細な説明】
【技術分野】
【０００１】
本発明は、同一被写体を、角度を変えて表した少なくとも２つの画像を用いて立体視を行うためのビュアー、及び、これが添付された冊子体（例えば本、書籍、雑誌、パンフレット、カタログ、小冊子などがあるが、これに限定しない）に関する。
【背景技術】
【０００２】
従来より、同一被写体を、角度を変えて表した少なくとも２つの画像を、立体視するためのビュアーが提案されている。すなわち、人間が物を立体として認識するのは、その物を左右の目で、角度を変えて見ているからであり、このように、人間の両眼の視差と同じ角度になるように、同一被写体の角度を変えて表した少なくとも２つの画像を、左右の目にそれぞれ振り分けて提示すれば、両眼の画像が脳内で同時に知覚・合成されるため、立体的な感覚を得ることができるのである。
【０００３】
ここで、立体視するために使用される同一被写体を、角度を変えて表した少なくとも２つの画像は、透過物品と反射物品に大別される。透過物品として主なものは、フィルム、すなわち、写真画像をポジで現像したものがあり、反射物品として主なものは、写真をネガで現像したものや紙等に概念駆動型可視情報を印刷した印刷物等が挙げられる。また、画像が反射物品と透過物品とに分かれていることに伴い、ビュアーは、反射物品用と透過物品用に分かれている。なぜなら、透過物品を立体視する際は、透過物品が有する画像に光を透過させて立体に見えるようにするが、反射物品を立体視する際は、反射物品が有する画像に反射光を当てることによって立体に見えるようにするからである。よって、透過物品用のビュアーでは、掲示された画像の背後とレンズ以外からは光が入らないような構成にしてあり、逆に、反射物品用のビュアーでは、光が入るような構成にしてある。
【０００４】
そして、透過物品を立体視する際は、透過光を画像に当てなければならないため、立体視したい画像の背後から光を取り入れなければならない。よって、透過物品を立体視するビュアーでは、レンズと略対向する位置に設けられた基盤に、透過光を取り入れるための窓が形成され、この窓とレンズの間に、透過物品が有する画像を掲示するような構造になっていた。しかし、このような構造では、立体視するために、照明や太陽のように光を発する物体の方向に、透過光を取り入れるための窓が形成された基盤を向けなければ、画像に光を当てる事ができないため、立体視をする際の体の向きが限定されてしまうという問題を有していた。そこで、立体視する際に、照明や太陽のように光を発する物体の方向に、透過光を取り入れるための窓が形成された基盤を向けなくても、立体視ができるようなビュアーが求められていた。
【０００５】
ここで、特許文献１には、立体視する際に、照明や太陽のように光を発する方向に、透過光を取り入れるための窓が形成された基盤を向けなくても立体視が可能になるビュアーが開示されている。すなわち、特許文献１が開示しているビュアーでは、画像の背後に照明用電球が設けられている。ビュアーをこのような構造にすれば、照明用電球を点灯することによって、画像の背後から光を提供する事が可能になるため、照明や太陽のように光を発する方向に向かなくても、画像の立体視が可能になる。しかし、このように照明用電球を用いて、画像の背後で光を点灯するやり方では、照明用電球を点灯させなければならないため、ビュアーの構造が複雑になってしまうという問題を有していた。
【特許文献１】特開平１０−９７０１４号
【発明の開示】
【発明が解決しようとする課題】
【０００６】
本願発明はこのような問題点を解決するためになされたものであり、その課題とするところは、体の向きが限定されることなく立体視する事が可能な、簡易な構造のビュアー、及び、これが添付された冊子体を開示することを課題とする。
【課題を解決するための手段】
【０００７】
上記課題を解決するため本願発明の請求項１は、２つのレンズと、前記レンズを固定するレンズ固定部と、前記レンズ固定部の上部とレンズ固定部上山折線部を介して連接する少なくとも一つの上基盤と、を有するビュアーにおいて、前記上基盤に設けられた少なくとも一つの採光窓と、前記採光窓の前辺と、採光窓前山折線部を介して連接し、かつ、前記２つのレンズの中心軸上に、前記２つのレンズと略対向するように設けられた、少なくとも一つの透過光採光窓と、前記採光窓の後辺と、採光窓後山折線部を介して連接し、かつ、前記透過光採光窓の下辺と、透過光採光窓下谷折線部を介して連接する、少なくとも一つの拡散基盤と、前記採光窓の右辺と、採光窓右山折線部を介して連接し、かつ、前記拡散基盤の右辺と拡散基盤右谷折線部を介して連接する、少なくとも一つの右支持基盤と、前記採光窓の左辺と、採光窓左山折線部を介して連接し、かつ、前記拡散基盤の左辺と拡散基盤左谷折線部を介して連接する、少なくとも一つの左支持基盤と、前記２つのレンズの中心軸上に、前記２つのレンズと透過光採光窓との間に設けられ、同一被写体を異なる視点で表した少なくとも２つの画像と、を有することを特徴とするビュアーである。
【０００８】
また、本願請求項２記載の発明は、右目用レンズと、左目用レンズと、前記右目用レンズ及び左目用レンズを固定するレンズ固定部と、前記レンズ固定部の上部とレンズ固定部上山折線部を介して連接する少なくとも一つの上基盤と、を有するビュアーにおいて、前記上基盤に設けられた右目用採光窓と、前記右目用採光窓の隣に、前記右目用採光窓に接しないように設けられた左目用採光窓と、前記右目用採光窓の前辺と、右目用採光窓前山折線部を介して連接し、かつ、前記右目用レンズの中心軸上に、右目用レンズと略対向するように設けられた、右目用透過光採光窓と、前記左目用採光窓の前辺と、左目用採光窓前山折線部を介して連接し、かつ、前記左目用レンズの中心軸上に、左目用レンズと略対向するように設けられた、左目用透過光採光窓と、前記右目用採光窓の後辺と、右目用採光窓後山折線部を介して連接し、かつ、前記右目用透過光採光窓の下辺と、右目用透過光採光窓下谷折線部を介して連接する右目用拡散基盤と、前記左目用採光窓の後辺と、左目用採光窓後山折線部を介して連接し、かつ、前記左目用透過光採光窓の下辺と、左目用透過光採光窓下谷折線部を介して連接する左目用拡散基盤と、前記右目用採光窓の右辺と、右目用採光窓右山折線部を介して連接し、かつ、前記右目用拡散基盤の右辺と右目用拡散基盤右谷折線部を介して連接する右目用右支持基盤と、前記右目用採光窓の左辺と、右目用採光窓左山折線部を介して連接し、かつ、前記右目用拡散基盤の左辺と右目用拡散基盤左谷折線部を介して連接する右目用左支持基盤と、前記左目用採光窓の右辺と、左目用採光窓右山折線部を介して連接し、かつ、前記左目用拡散基盤の右辺と左目用拡散基盤右谷折線部を介して連接する左目用右支持基盤と、前記左目用採光窓の左辺と、左目用採光窓左山折線部を介して連接し、かつ、前記左目用拡散基盤の左辺と左目用拡散基盤左谷折線部を介して連接する左目用左支持基盤と、前記右目用レンズの中心軸上に、右目用レンズと右目用透過光採光窓との間に設けられ、被写体を表した右目用画像と、前記左目用レンズの中心軸上に、左目用レンズと左目用透過光採光窓との間に設けられ、前記右目用画像と同一の被写体を異なる視点で表した左目用画像と、を有することを特徴とする請求項１記載のビュアーである。
【０００９】
また、本願請求項３記載の発明は、前記拡散基盤、右目用拡散基盤、及び、左目用拡散基盤は、緩やかに湾曲していることを特徴とする請求項１記載又は請求項２記載のビュアーである。
【００１０】
また、本願発明の請求項４は、前記請求項１乃至請求項３いずれか一つに記載のビュアーに添付されたことを特徴とする冊子体である。
【発明の効果】
【００１１】
本願請求項１記載の発明によれば、前記上基盤に設けられた少なくとも一つの採光窓と、前記採光窓の前辺と、採光窓前山折線部を介して連接し、かつ、前記２つのレンズの中心軸上に、前記２つのレンズと略対向するように設けられた、少なくとも一つの透過光採光窓と、前記採光窓の後辺と、採光窓後山折線部を介して連接し、かつ、前記透過光採光窓の下辺と、透過光採光窓下谷折線部を介して連接する、少なくとも一つの拡散基盤と、前記採光窓の右辺と、採光窓右山折線部を介して連接し、かつ、前記拡散基盤の右辺と拡散基盤右谷折線部を介して連接する、少なくとも一つの右支持基盤と、前記採光窓の左辺と、採光窓左山折線部を介して連接し、かつ、前記拡散基盤の左辺と拡散基盤左谷折線部を介して連接する、少なくとも一つの左支持基盤と、前記２つのレンズの中心軸上に、前記２つのレンズと透過光採光窓との間に設けられ、同一被写体を異なる視点で表した少なくとも２つの画像と、を有しているため、体の向きが限定されることなく立体視する事が可能な、簡易な構造のビュアーを提供する事が可能になる。
【００１２】
つまり、本願発明請求項１記載のビュアーでは、上基盤に採光窓が設けられているため、上基盤に設けられた採光窓から、容易にビュアー内部へと光を取り入れる事が可能である。また、透過光採光窓が、採光窓の前片と、採光窓前山折線部を介して連接しており、また、拡散基盤が、採光窓の後片と、採光窓後山折線部を介して連接し、かつ、透過光採光窓の下辺と、透過光採光窓下谷折線部を介して連接している。よって、採光窓から取り入れられた光は、拡散基盤に反射して、透過光採光窓へ差し込むようになる。そして、同一被写体を異なる視点で表した少なくとも２つの画像（以下、同一被写体を異なる視点で表した少なくとも２つの画像を、「画像」と称す。）は、２つのレンズと透過光採光窓の間に設けられている為、採光窓から透過光採光窓へと差し込んだ光を、画像の背後に当てることが可能になり、その結果、体の向きが限定されることなく立体視する事が可能になる。また、採光窓、拡散基盤、及び、透過光採光窓によって、画像の背後に当てる光を上基盤に設けられた採光窓から容易に取り入れることが可能であるため、ビュアー内部に照明用電球を設ける必要がなくなり、ビュアーを簡易な構造にする事が可能になるのである。
【００１３】
ここで、２つのレンズと透過光採光窓との間に設けられる画像は、レンズから画像を見た際に画像を閲覧する事ができる向きで２つのレンズと透過光採光窓との間に設けられる。より具体的には、透過光採光窓とレンズと略平行する向きであり、言い換えれば、上基盤に対して略垂直方向になるよう、立てた状態で設けられる。
【００１４】
つまり、画像が透過光採光窓とレンズと略平行する向きで設けられ、更に、上基盤に設けられた採光窓から光をとり入れるため、画像の背後に、採光窓から透過光採光窓へと差し込んだ光を提供する事が可能になるのである。
【００１５】
また、本願請求項１記載の発明では、拡散基盤によって、濃度が均一な光を透過光用採光窓に提供する事が可能になり、その結果、美しい立体画像を得る事が可能になる。ここで、拡散基盤とは、採光窓の後辺と、採光窓後山折線部を介して連接し、かつ、透過光採光窓の下辺と、透過光採光窓下谷折線部を介して連接して、採光窓から取り入れられた光を拡散し、その濃度にする役割を果たすものである。
【００１６】
すなわち、透過物品が有する画像を美しく立体視するためには、均一に光が当たるようにする必要がある。例えば、透過光採光窓に提供される光の濃度が均一でない場合には、立体視する際に、光の強弱による余計な影が映り、美しい立体画像が得られなくなってしまうことが考えられる。本願発明では、拡散基盤が、採光窓の後辺と、採光窓後山折線部を介して連接し、かつ、透過光採光窓の下辺と、透過光採光窓下谷折線部を介して連接するように設けられているため、上基盤に設けられた採光窓から取り入れた光を、一旦拡散基盤に当てる事が可能になる。また、拡散基盤では、当たった光を、その濃度が均一になるように拡散するため、その結果、濃度が均一になった光が透過光採光窓へ差し込むようになり、美しい立体画像を得る事が可能になるのである。
【００１７】
更に、本願発明のビュアーでは、拡散基盤が、光を透過光採光用窓へと届ける役割と、透過光採光窓へと差し込む光の濃度を均一にするという２つの役割を果たしているため、ビュアーをより簡易な構造にする事が可能であるとともに、製造コストを抑えることを可能にしている。すなわち、本願発明のビュアーでは、拡散基盤が設けられているため、立体視する際に、太陽や蛍光灯等の光源が、透過光採光窓の真上や、透過光採光窓の真上よりもレンズ側に位置している場合であっても、拡散基盤で光を反射させる事が可能であるため、透過光採光窓へと光を届ける事が可能である。そして、拡散基盤に当たって反射した光は、拡散基盤によってその濃度が一定になっているため、透過光採光窓に光の濃度を均一にするためのシート等を設けなくても、濃度が均一な光を透過光採光窓へ提供する事が可能である。例えば、採光窓の後辺と、採光窓後山折線部を介して連接し、かつ、透過光採光窓の下辺と、透過光採光窓下谷折線部を介して連接するように、鏡などの反射基盤を、拡散基盤の代わりに設けた場合を考えてみると、この場合でも、太陽や蛍光灯等の光源が、透過光採光窓の真上や、透過光採光窓の真上よりもレンズ側に位置していても、光を反射するため、透過光採光窓に光を提供する事が可能である。しかし、反射基盤によって透過光採光窓に提供される光は、その濃度が一定ではないため、透過光採光窓に光の濃度を一定にする役割を果たす拡散シート等設けなければならなくなり、その結果、ビュアーの構造が複雑になるだけでなく、製造コストを上げる要因になってしまう。本願発明では、拡散基盤が、光を透過光採光窓に提供する役割と、反射する際に光の濃度を均等にする役割の、２つの役割を果たすため、透過光採光窓に、拡散シート等を設ける必要が無く、製造コストを抑えることが可能なのである。
【００１８】
更に、本願請求項１記載の発明では、拡散基盤と、右支持基盤と、左支持基盤とが設けられているため、余計な光を画像に当ててしまうことを防ぐ事が可能になり、より美しい立体画像を提供する事が可能になる。つまり、より美しい立体画像を得るためには、画像の背後のみに光が当たるようにする必要がある。例えば、画像の背後以外の部分に光が当たってしまう場合では、画像に光が当たりすぎるために美しい立体画像を得る事ができなくなってしまう場合が考えられる。本願発明では、拡散基盤と、右支持基盤と、左支持基盤とが設けられているため、画像の背後以外の部分に光が当たることを防ぐ事が可能であり、透過光採光窓にのみ光を提供する事が可能になるため、画像の背後にのみ光を提供する事が可能になり、その結果、より美しい立体画像を提供する事が可能になる。
【００１９】
なお、右支持基盤と、左支持基盤は、光を吸収することが可能になるように、黒や紺等の濃い色の基盤を採用したり、光を吸収するシート等を基盤に貼着しておくのが好ましいがこれに限定するわけではない。右支持基盤と左支持基盤を、光を吸収するようにすることによって、拡散基盤によってその濃度が均一になった光のみを、透過光採光窓へと提供する事が可能になり、より美しい立体画像を得る事が可能になるだけでなく、透過光採光窓に拡散シート等を設ける必要がなくなり、製造コストを下げる事が可能になる。すなわち、右支持基盤と左支持基盤が、光を反射する場合では、拡散基盤によって拡散された光と干渉して、濃度が均一でない光が透過光採光窓に提供されてしまうことが考えられる。よって、右支持基盤と、左支持基盤は、光を吸収する事が可能になるように、黒や紺等の濃い色の基盤を採用したり、光を吸収するシート等を基盤に貼着しておくのが好ましいがこれに限定するわけではない。
【００２０】
ここで、本願発明において、画像とは、透過物品が有する画像である。また、透過光によって立体視する事が可能であればどれも透過物品に含まれる。最も代表的な透過物品は、フィルム、すなわち、写真画像をポジで現像したものがあるがこれに限定する必要はない。また、透過物品の形状は、任意のものを採用する事が可能である。例えば、フィルムの場合では、画像部分のみであってもよいし、スライド用にマウントしたものであってもよいし、巻き取り可能なフィルムカートリッジに入れた状態であってもよいし、シート状であってもよい。また更には、少なくとも一周するロール状であってもよい。更に本願発明のビュアーでは、シート状のフィルムの端点と端点とを閉じてロール状にしたフィルムであっても、上基盤から光を取り入れる事が可能であるため、採用する事が可能である。
【００２１】
すなわち、従来のように、レンズと略対向する位置に設けられた基盤に、透過光を取り入れるための窓が形成され、この窓とレンズの間に、透過物品が有する画像を掲示するような構造のビュアーでは、透過物品としてロール状にしたフィルムを採用すると、レンズと透過光を取り入れるための窓の間に、フィルムが少なくとも２層存在してしまうため、立体視する際に、２種類の画像が見えるようになってしまい、採用する事ができなかった。その結果、使用可能なフィルムの種類が限定されており、それに伴い、ビュアーのデザインの幅も限定されていた。本願発明のビュアーでは、上基盤に設けられた採光窓から光を取り入れるため、ロール状にしたフィルムを採用する事が可能である。つまり、ロール状のフィルムであっても、ロールの内側に採光窓が位置するようにロール状のフィルムを配置することによって、レンズと透過光採光窓との間に位置するフィルムを１層にする事が可能になり、その結果、容易に立体視する事が可能になるのである。なお、ロール状のフィルムの場合は、端点と端点とを結んで、少なくとも一周するロールであれば、全てロール状のフィルムに含まれる。また、ロール状のフィルムを採用した場合は、少なくとも、採光窓、透過光採光窓、拡散基盤、右支持基盤、及び、左支持基盤が、ロール状のフィルムの内側である内周側に位置するように、ロール状のフィルムを設ける必要があり、このように設けることによって、フィルムが有する画像の背後に光を提供することが可能になると同時に、閲覧用窓と透過光採光窓との間に位置するフィルムを１層にする事が可能になるため、ロール状のフィルムであっても採用する事が可能になる。
【００２２】
また、レンズ固定部に設けるレンズは、２つ必要である。これは、右目と左目による錯視を利用して立体視を行うためであり、右目用のレンズと左目用のレンズが必要になることに起因する。なお、レンズ固定部をどのような形状にするかは、公知の形状を採用することが可能であり、例えば、平坦な基盤に２つのレンズを設けてレンズ固定部にすることも可能であるし、双眼鏡のように、筒状の基盤を２つ用いて、レンズを一つづつ固定するようにしても良い。
【００２３】
また、本願請求項２記載の発明によれば、ビュアーの上基盤に設けられた右目用採光窓と、前記右目用採光窓の隣に、前記右目用採光窓に接しないように設けられた左目用採光窓と、前記右目用採光窓の前辺と、右目用採光窓前山折線部を介して連接し、かつ、前記右目用レンズの中心軸上に、右目用レンズと略対向するように設けられた、右目用透過光採光窓と、前記左目用採光窓の前辺と、左目用採光窓前山折線部を介して連接し、かつ、前記左目用レンズの中心軸上に、左目用レンズと略対向するように設けられた、左目用透過光採光窓と、前記右目用採光窓の後辺と、右目用採光窓後山折線部を介して連接し、かつ、前記右目用透過光採光窓の下辺と、右目用透過光採光窓下谷折線部を介して連接する右目用拡散基盤と、前記左目用採光窓の後辺と、左目用採光窓後山折線部を介して連接し、かつ、前記左目用透過光採光窓の下辺と、左目用透過光採光窓下谷折線部を介して連接する左目用拡散基盤と、前記右目用採光窓の右辺と、右目用採光窓右山折線部を介して連接し、かつ、前記右目用拡散基盤の右辺と右目用拡散基盤右谷折線部を介して連接する右目用右支持基盤と、前記右目用採光窓の左辺と、右目用採光窓左山折線部を介して連接し、かつ、前記右目用拡散基盤の左辺と右目用拡散基盤左谷折線部を介して連接する右目用左支持基盤と、前記左目用採光窓の右辺と、左目用採光窓右山折線部を介して連接し、かつ、前記左目用拡散基盤の右辺と左目用拡散基盤右谷折線部を介して連接する左目用右支持基盤と、前記左目用採光窓の左辺と、左目用採光窓左山折線部を介して連接し、かつ、前記左目用拡散基盤の左辺と左目用拡散基盤左谷折線部を介して連接する左目用左支持基盤と、前記右目用レンズの中心軸上に、右目用レンズと右目用透過光採光窓との間に設けられ、被写体を表した右目用画像と、前記左目用レンズの中心軸上に、左目用レンズと左目用透過光採光窓との間に設けられ、前記右目用画像と同一の被写体を異なる視点で表した左目用画像と、を有しているため、体の向きが限定されることなく立体視する事が可能な、簡易な構造のビュアーを提供する事が可能になる。
【００２４】
つまり、本願発明請求項２記載のビュアーでは、上基盤に設けられた右目用採光窓、及び、左目用採光窓から、容易に光を取り入れる事が可能である。また、右目用採光窓の前片と、右目用採光窓前山折線部を介して右目用透過光採光窓が連接しており、また、左目用採光窓の前片と、左目用採光窓前山折線部を介して左目用透過光採光窓が連接している。更に、右目用拡散基盤が、右目用採光窓の後片と、右目用採光窓後山折線部を介して連接し、かつ、前記右目用透過光採光窓の下辺と、右目用透過光採光窓下谷折線部を介して連接しており、また、左目用拡散基盤が、左目用採光窓の後片と、左目用採光窓後山折線部を介して連接し、かつ、前記左目用透過光採光窓の下辺と、左目用透過光採光窓下谷折線部を介して連接している。よって、右目用採光窓から取り入れられた光は、右目用拡散基盤に反射して、右目用透過光採光窓へ差し込み、また、左目用採光窓から取り入れられた光は、左目用拡散基盤に反射して、左目用透過光採光窓へ差し込む。そして、被写体を表した右目用画像と、右目用画像が有する画像と同一の被写体を異なる視点で表した左目用画像は、それぞれ、右目用レンズと右目用透過光採光窓との間、及び、左目用レンズと左目用透過光採光窓との間に設けられている為、右目用透過光採光窓へと差し込んだ光を右目用画像の背後に、また、左目用透過光採光窓へと差し込んだ光を左目用画像の背後に当てることが可能になり、その結果、体の向きが限定されることなく立体視する事が可能になる。また、右目用採光窓、左目用採光窓、右目用拡散基盤、左目用拡散基盤、右目用透過光採光窓、及び、左目用透過光採光窓によって、右目用画像と左目用画像の背後に当てる光を、上基盤に設けられたそれぞれ右目用採光窓、及び、左目用採光窓から容易に取り入れることが可能であるため、ビュアー内部に照明用電球を設ける必要がなくなり、ビュアーを簡易な構造にする事が可能になる。
【００２５】
ここで、右目用レンズと右目用透過光採光窓との間に設けられる右目用画像と、左目用レンズと左目用透過光採光窓との間に設けられる左目用画像は、右目用レンズと左目用レンズからそれぞれの画像を見た際に画像を閲覧する事ができる向きで設けられる。より具体的には、透過光採光窓とレンズと略平行する向きであり、言い換えれば、上基盤に対して略垂直方向になるよう、立てた状態で設けられる。
【００２６】
つまり、右目用画像が右目用透過光採光窓と右目用レンズと略平行する向きで設けられ、更に、上基盤に設けられた右目用採光窓から光をとり入れるため、右目用画像の背後に、右目用採光窓から右目用透過光採光窓へと差し込んだ光を提供する事が可能になるのであり、同様に、左目用画像が左目用透過光採光窓と左目用レンズと略平行する向きで設けられ、更に、上基盤に設けられた左目用採光窓から光をとり入れるため、左目用画像の背後に、左目用採光窓から左目用透過光採光窓へと差し込んだ光を提供する事が可能になるのである。      なお、ロール状のフィルムを採用した場合では、ロール状のフィルムの内周側に右目用採光窓、左目用採光窓、右目用透過光採光窓、及び、左目用透過光採光窓が位置するように、フィルムを立てた状態で設けることで、閲覧用窓とそれぞれの透過光採光窓との間に位置するフィルムを１層にする事が可能になる。そして、上支持基盤に設けられた右目用採光窓と左目用採光窓から光をとり入れるため、１層になったフィルムが有する右目用画像と左目用画像の背後に、それぞれの採光窓からそれぞれの透過光採光窓へと差し込んだ光を提供する事が可能になるため、ロール状のフィルムを採用する事が可能になる。
【００２７】
更に、本願請求項２記載の発明では、右目用拡散基盤によって、濃度が均一な光を右目用透過光用採光窓に提供する事が可能になり、また、左目用拡散基盤によって、濃度が均一な光を左目用透過光用採光窓に提供する事が可能になる。よって、美しい立体画像を得る事が可能になる。ここで、右目用拡散基盤とは、右目用採光窓の後辺と、右目用採光窓後山折線部を介して連接し、かつ、右目用透過光採光窓の下辺と、右目用透過光採光窓下谷折線部を介して連接して、右目用採光窓から取り入れられた光を拡散し、その濃度にする役割を果たすものである。また、左目用拡散基盤とは、左目用採光窓の後辺と、左目用採光窓後山折線部を介して連接し、かつ、左目用透過光採光窓の下辺と、左目用透過光採光窓下谷折線部を介して連接して、左目用採光窓から取り入れられた光を拡散し、その濃度にする役割を果たすものである。
【００２８】
すなわち、透過物品が有する画像を美しく立体視するためには、均一に光が当たるようにする必要がある。例えば、右目用透過光採光窓、及び、左目用透過光採光窓に提供される光の濃度が均一でない場合には、立体視する際に、光の強弱による余計な影が映り、美しい立体画像が得られなくなってしまうことが考えられる。本願発明では、右目用拡散基盤が、右目用採光窓の後辺と、右目用採光窓後山折線部を介して連接し、かつ、右目用透過光採光窓の下辺と、右目用透過光採光窓下谷折線部を介して連接するように設けられているため、上基盤に設けられた右目用採光窓から取り入れた光を、一旦右目用拡散基盤に当てる事が可能になる。また、左目用拡散基盤が、左目用採光窓の後辺と、左目用採光窓後山折線部を介して連接し、かつ、左目用透過光採光窓の下辺と、左目用透過光採光窓下谷折線部を介して連接するように設けられているため、上基盤に設けられた左目用採光窓から取り入れた光を、一旦左目用拡散基盤に当てる事が可能になる。よって、右目用拡散基盤によって、その濃度が均一になった光が右目用透過光採光窓へ差し込み、また、左目用拡散基盤によって、その濃度が均一になった光が左目用透過光採光窓へ差し込むため、美しい立体画像を得る事が可能になるのである。
【００２９】
更に、本願請求項２記載のビュアーでは、右目用拡散基盤が、光を右目用透過光採光用窓へと届ける役割と、右目用透過光採光窓へと差し込む光の濃度を均一にするという２つの役割を果たしており、左目用拡散基盤が、光を左目用透過光採光用窓へと届ける役割と、左目用透過光採光窓へと差し込む光の濃度を均一にするという２つの役割を果たしているため、ビュアーをより簡易な構造にする事が可能であるとともに、製造コストを抑えることを可能にしている。すなわち、本願発明のビュアーでは、右目用拡散基盤と左目用拡散基盤が設けられているため、立体視する際に、太陽や蛍光灯等の光源が、透過光採光窓の真上や、透過光採光窓の真上よりもレンズ側に位置している場合であっても、右目用拡散基盤と左目用拡散基盤で光を反射する事が可能であるため、右目用透過光採光窓と左目用透過光採光窓それぞれに光を届ける事が可能である。そして、右目用拡散基盤と左目用拡散基盤に当たって反射した光は、右目用拡散基盤と左目用拡散基盤によってその濃度が一定になっているため、右目用透過光採光窓と左目用透過光採光窓のそれぞれに光の濃度を均一にするためのシート等を設けなくても、濃度が均一な光を右目用透過光採光窓と左目用透過光採光窓へ提供する事が可能である。例えば、右目用採光窓の後辺と、右目用採光窓後山折線部を介して連接し、かつ、右目用透過光採光窓の下辺と、右目用透過光採光窓下谷折線部を介して連接するように、鏡などの右目用反射基盤を、右目用拡散基盤の代わりに設け、左目用採光窓の後辺と、左目用採光窓後山折線部を介して連接し、かつ、左目用透過光採光窓の下辺と、左目用透過光採光窓下谷折線部を介して連接するように、鏡などの左目用反射基盤を、左目用拡散基盤の代わりに設けた場合を考えてみると、この場合でも、太陽や蛍光灯等の光源が、右目用透過光採光窓と左目用透過光採光窓の真上や、右目用透過光採光窓と左目用透過光採光窓の真上よりもレンズ側に位置していても、光を反射するため、右目用透過光採光窓と左目用透過光採光窓に光を提供する事が可能である。しかし、右目用反射基盤と左目用反射基盤によって右目用透過光採光窓と左目用透過光採光窓それぞれに提供される光は、その濃度が一定ではないため、右目用透過光採光窓と左目用透過光採光窓それぞれに光の濃度を一定にする役割を果たす拡散シート等設けなければならなくなり、その結果、ビュアーの構造が複雑になるだけでなく、製造コストを上げる要因になってしまう。本願発明では、右目用拡散基盤が、光を右目用透過光採光窓に提供する役割と、反射する際に光の濃度を均等にする役割の、２つの役割を果たし、左目用拡散基盤が、光を左目用透過光採光窓に提供する役割と、反射する際に光の濃度を均等にする役割の、２つの役割を果たすため、透過光採光窓に、拡散シート等を設ける必要が無く、製造コストを抑えることが可能なのである。
【００３０】
更に、本願請求項２記載の発明では、右目用拡散基盤と、左目用拡散基盤と、右目用右支持基盤と、左目用右支持基盤と、右目用左支持基盤と、左目用左支持基盤とが設けられているため、余計な光を画像に当ててしまうことを防ぐ事が可能になり、より美しい立体画像を提供する事が可能になる。つまり、より美しい立体画像を得るためには、画像の背後のみに光が当たるようにする必要がある。例えば、画像の背後以外の部分に光が当たってしまう場合では、画像に光が当たりすぎるために美しい立体画像を得る事ができなくなってしまう場合が考えられる。本願発明では、右目用拡散基盤と、左目用拡散基盤と、右目用右支持基盤と、左目用右支持基盤と、右目用左支持基盤と、左目用左支持基盤とが設けられているため、画像の背後以外の部分に光が当たることを防ぐ事が可能であり、右目用透過光採光窓と左目用透過光採光窓にのみ光を提供する事が可能になるため、それぞれの画像の背後にのみ光を提供する事が可能になり、その結果、より美しい立体画像を提供する事が可能になる。
【００３１】
なお、右目用右支持基盤と、左目用左支持基盤と、右目用右支持基盤と、左目用左支持基盤は、光を吸収することが可能になるように、黒や紺等の濃い色の基盤を採用したり、光を吸収するシート等を基盤に貼着しておくのが好ましいがこれに限定するわけではない。右目用右支持基盤と、左目用左支持基盤と、右目用右支持基盤と、左目用左支持基盤を、光を吸収するようにすることによって、右目用拡散基盤と左目用拡散基盤によってその濃度が均一になった光のみを、それぞれ右目用透過光採光窓と左目用透過光採光窓へと提供する事が可能になり、より美しい立体画像を得る事が可能になるだけでなく、右目用透過光採光窓と左目用透過光採光窓それぞれに拡散シート等を設ける必要がなくなり、製造コストを下げる事が可能になる。すなわち、右目用右支持基盤と、左目用左支持基盤と、右目用右支持基盤と、左目用左支持基盤、光を反射する場合では、右目用拡散基盤と左目用拡散基盤によって拡散された光と干渉して、濃度が均一でない光が右目用透過光採光窓と左目用透過光採光窓に提供されてしまうことが考えられる。よって、右目用右支持基盤と、左目用左支持基盤と、右目用右支持基盤と、左目用左支持基盤は、光を吸収する事が可能になるように、黒や紺等の濃い色の基盤を採用したり、光を吸収するシート等を基盤に貼着しておくのが好ましいがこれに限定するわけではない。
【００３２】
更に、本願請求項２記載の発明では、右目用採光窓と左目用採光窓とが、接しないように設けられているため、右目用採光窓の左辺と左目用採光窓の右辺とを挟持することによって、ビュアーを持ち上げる事が可能になる。なお、右目用採光窓に接しないように左目用採光窓と設けるとは、右目用採光窓と、左目用採光窓とが接して一つの採光窓にならないように設けるということであり、右目用採光窓と左目用採光窓との間に、少なくとも一辺の境界となる辺が存在するということである。このように、右目用採光窓と左目用採光窓とが重ならないように設けることによって、右目用採光窓の左辺と左目用採光窓の右辺とを挟持することが可能になり、このように、右目用採光窓の左辺と左目用採光窓の右辺とを挟持することによって、ビュアーを持ち上げる事が可能になるため、例えば、ビュアーの外形と略同じ大きさの箱に包装体に収納した場合であっても、箱を壊すことなくビュアーを取り出す事が可能になる。
【００３３】
また、本願請求項３記載の発明によれば、拡散基盤、右目用拡散基盤、及び、左目用拡散基盤が、緩やかに湾曲しているため、より体の向きが限定されることなく、立体視するために十分な光を透過光採光窓、右目用透過光採光窓、及び、左目用透過光採光窓へ提供する事が可能になる。
【００３４】
すなわち、請求項１記載の発明、及び、請求項２記載の発明に包含される形態である、傾斜基盤、右目用拡散基盤、及び、左目用拡散基盤が湾曲せずに平面状である場合では、例えば、太陽や蛍光灯等の光源が体の後ろに位置するために、採光窓、右目用採光窓、及び、左目用採光窓に差し込む光が、人間の頭部によってさえぎられてしまい、傾斜基盤、右目用拡散基盤、及び、左目用拡散基盤に反射する光が弱くなり、その結果、立体視するために十分な光を透過光採光窓、右目用透過光採光窓、及び、左目用透過光採光窓へ提供する事が困難になり、体の向きを光源の方向へと向けなければならなくなってしまう場合が考えられる。本願請求項３記載の発明では、拡散基盤、右目用拡散基盤、及び、左目用拡散基盤が、緩やかに湾曲しているため、拡散基盤、右目用拡散基盤、及び、左目用拡散基盤に当たる光が弱い場合であっても、光を反射させる面積が大きくなるため、立体視するために十分な光を透過光採光窓、右目用透過光採光窓、及び、左目用透過光採光窓へ提供する事が可能になり、より体の向きが限定されることなく立体視する事が可能になる。
【００３５】
ここで、拡散基盤、右目用拡散基盤、及び、左目用拡散基盤を凹状に湾曲させるのか、凸状に湾曲させるのかは任意に選択する事が可能である。例えば、凹上に湾曲させた場合では、光が反射する面積を増やす事が可能になり、例えば、太陽や蛍光灯等の光源が体の後ろに位置するために、採光窓、右目用採光窓、及び、左目用採光窓に差し込む光が、人間の頭部によってさえぎられてしまい、傾斜基盤、右目用拡散基盤、及び、左目用拡散基盤に反射する光が弱くなってしまっても、立体視するために十分な光を透過光採光窓、右目用透過光採光窓、及び、左目用透過光採光窓へ提供する事が可能である。
【００３６】
また、凹上に湾曲させた場合では、光が反射する面積を増やす事が可能になり、例えば、太陽や蛍光灯等の光源が体の後ろに位置するために、採光窓、右目用採光窓、及び、左目用採光窓に差し込む光が、人間の頭部によってさえぎられてしまい、傾斜基盤、右目用拡散基盤、及び、左目用拡散基盤に反射する光が弱くなってしまっても、立体視するために十分な光を透過光採光窓、右目用透過光採光窓、及び、左目用透過光採光窓へ提供する事が可能である。
【００３７】
また、拡散基盤、右目用拡散基盤、及び、左目用拡散基盤を凸状に湾曲させた場合では、傾斜基盤、右目用拡散基盤、及び、左目用拡散基盤を突出させる事が可能になるため、太陽や蛍光灯等の光源が人間の前に位置した際でも、立体視するために十分な光を透過光採光窓、右目用透過光採光窓、及び、左目用透過光採光窓へ提供する事が可能になる。すなわち、拡散基盤、右目用拡散基盤、及び、左目用拡散基盤を、凹状に湾曲させた場合において、太陽や蛍光灯等の光源が人間の前に位置したときは、採光窓の後辺の近傍、右目用採光窓の後辺の近傍、及び、左目用採光窓の後辺の近傍によって、拡散基盤、右目用拡散基盤、及び、左目用拡散基盤に影が形成されてしまう場合が考えられる。しかし、拡散基盤、右目用拡散基盤、及び、左目用拡散基盤を、凸状に湾曲した場合では、太陽や蛍光灯等の光源が人間の前に位置した際でも、傾斜基盤、右目用拡散基盤、及び、左目用拡散基盤が突出しているため、採光窓の後辺の近傍、右目用採光窓の後辺の近傍、及び、左目用採光窓の後辺の近傍によって、拡散基盤、右目用拡散基盤、及び、左目用拡散基盤に影が形成される事が無い。よって、立体視するために十分な光を、透過光採光窓、右目用透過光採光窓、及び、左目用透過光採光窓へ提供する事が可能になる。
【００３８】
更に、拡散基盤、右目用拡散基盤、及び、左目用拡散基盤を凸状に湾曲させた場合では、太陽や蛍光灯等の光源が人間の前に位置した際でも、傾斜基盤、右目用拡散基盤、及び、左目用拡散基盤を突出しているため、傾斜基盤、右目用拡散基盤、及び、左目用拡散基盤によって光を反射する事が可能になり、その結果、その濃度が均一な光を透過光採光窓、右目用透過光採光窓、及び、左目用透過光採光窓へ提供する事が可能になる。すなわち、請求項１記載の発明、及び、請求項２記載の発明に包含される形態である、傾斜基盤、右目用拡散基盤、及び、左目用拡散基盤が湾曲せずに平面状である場合において、例えば、太陽や蛍光灯等の光源が人間の前に位置した際には、拡散基盤、右目用拡散基盤、及び、左目用拡散基盤に光が反射せずに、透過光採光窓、右目用透過光採光窓、及び、左目用透過光採光窓へと、光源からの光が直接差し込む場合が考えられ、その結果、光の強弱によって、美しい立体画像を得ることができない場合が考えられる。本願請求項３記載の発明では、拡散基盤、右目用拡散基盤、及び、左目用拡散基盤を凸状に湾曲させることによって、例えば、太陽や蛍光灯等の光源が人間の前に位置した際でも、突出した拡散基盤、右目用拡散基盤、及び、左目用拡散基盤に光が反射するように為、透過光採光窓、右目用透過光採光窓、及び、左目用透過光採光窓へその濃度が均一な光を提供する事が可能になり、その結果、より美しい立体画像を提供する事が可能になる。
【発明を実施するための最良の形態】
【００３９】
以下、本願発明を図面に基づき詳細に説明する。
図１は、本願発明におけるビュアーの正面図である。なお、図１において、実線は、ビュアーを図１の角度から見た際に見える部分であり、点線部は、ビュアーを図１の角度から見た際に見えないが、存在する部分である。
図１において、１はビュアー、２はレンズ固定部であるレンズ固定基盤、３は後基盤、４は上基盤、５は下基盤、６は右基盤、７は左基盤、８は右目用レンズ、９は左目用レンズ、１０はレンズ外側固定部、１１は右目用レンズ８の中心、１２は左目用レンズ９の中心、１３はレンズ固定基盤上山折線部、１４は透過物品であるロール状のフィルム、１５は後基盤上山折線部、１６はレンズ固定基盤下山折線部、１７は後基盤下山折線部、１８はレンズ固定基盤右山折線部、１９は上基盤右山折線部、２０は下基盤右山折線部、２１は後基盤右山折線部、２２はレンズ固定基盤左山折線部、２３は上基盤左山折線部、２４は下基盤左山折線部、２５は後基盤左山折線部、２６は右目用採光窓、２７は左目用採光窓、２８は右目用レンズ８の中心軸、２９は左目用レンズ９の中心軸、３０は右目用採光窓２６の中心、３１は左目用採光窓２７の中心、３２は右目用採光窓２６の前辺、３３は左目用採光窓２７の前辺、３４はレンズ固定基盤２の上辺、３５は右目用採光窓２６の前辺３２からレンズ固定基盤２の上辺３４までの距離、３６は左目用採光窓２７の前辺３３からレンズ固定基盤２の上辺３４までの距離、３７は右目用透過光採光窓、３８は左目用透過光採光窓、３９は右目用採光窓２６の左辺、４０は左目用採光窓２７の右辺、４１は右目用採光窓前山折線部、４２は左目用採光窓前山折線部、４３は右目用拡散基盤、４４は左目用拡散基盤、４５は右目用採光窓後山折線部、４６は右目用透過光採光窓下谷折線部、４７は左目用採光窓後山折線部、４８は左目用透過光採光窓下谷折線部、４９は右目用右支持基盤、５０は右目用左支持基盤、５１は左目用右支持基盤、５２は左目用左支持基盤、５３は右目用採光窓右山折線部、５４は右目用拡散基盤右谷折線部、５５は右目用採光窓左山折線部、５６は右目用拡散基盤左谷折線部、５７は左目用採光窓右山折線部、５８は左目用拡散基盤右谷折線部、５９は左目用採光窓左山折線部、６０は左目用拡散基盤左谷折線部である。
【００４０】
図１において、ビュアー１は、レンズ固定部であるレンズ固定基盤２、後基盤３、上基盤４、下基盤５、右基盤６、及び、左基盤７によって構成されている。レンズ固定部であるレンズ固定基盤２は、立体視する際に右目が位置する右目用レンズ８と、立体視する際に左目が位置する左目用レンズ９と、右目用レンズ８と左目用レンズ９を固定するレンズ外側固定部１０を有する長方形をした基盤である。
【００４１】
ここで、レンズ外側固定部１０とは、レンズの外周と貼着してレンズを固定する役割を果たすものである。本実施の形態のように、一枚の基盤に右目用レンズ８と左目用レンズ９を設け、レンズ固定部であるレンズ固定基盤２を形成する場合では、このように、レンズ外側固定部１０に右目用レンズ８と左目用レンズ９を設けた後、右目用レンズ８と左目用レンズ９が設けられたレンズ外側固定部１０を基盤に設けたほうが、確実に立体視が可能なレンズ固定基盤２を、コストを抑えて形成することが可能になる。
【００４２】
すなわち、立体視を実現するためには、右目が位置する右目用レンズ８の中心１１と、左目が位置する左目用レンズ９の中心１２が水平になるようにレンズ固定部を形成しなければならない。しかし、本実施の形態のようにレンズ固定部に一枚の基盤を採用し、この基盤に２つのレンズを設けてレンズ固定基盤２を形成するようにした場合では、右目用レンズ８と左目用レンズ９を直接基盤に設けるようにすると、それぞれのレンズの中心が水平になるようにレンズ固定基盤２を形成しなければならなくなり、高度な技術を必要とするため、製造効率が下がるだけでなく、製造コストを上げる要因になってしまうという問題を有している。この問題は、基盤に紙を採用した場合に特に顕著に生じてしまう。すなわち、紙は歪みやすいため、右目用レンズ８と左目用レンズ９のそれぞれの中心が水平になるようにレンズ固定基盤２を形成することは、とても高度な技術を必要とするために製造効率が下がり、その結果、製造コストがあがってしまっていた。そこで、レンズの外周と貼着してレンズを固定するレンズ外側固定部１０にレンズをそれぞれ固定し、レンズが固定されたレンズ外側固定部１０を基盤に設けるようにしてレンズ固定基盤２を形成すれば、レンズ外側固定部１０の材料費が必要になるが、レンズはレンズ外側固定部１０によって右目用レンズ８の中心１１と左目用レンズ９の中心１２が略水平になるよう固定されるようになるため、高度な技術を必要とせずにレンズ固定基盤２を形成することが可能になり、製造効率を向上させることが可能になる。
【００４３】
更に、レンズ外側固定部１０は、レンズを形成する際に、一緒に形成すれば、右目用レンズ８の中心１１と左目用レンズ９の中心１２をより水平にすることが可能であるため好ましい。ここで、一緒に形成するとは、右目用レンズ８と左目用レンズ９とレンズ外側固定部１０を形成するそれぞれの金型を一体にし、一回の流し込みによってレンズ外側固定部１０に、右目用レンズ８と左目用レンズ９が設けられるようにするということである。このようにすることによって、右目用レンズ８の中心１１と左目用レンズ９の中心１２をより水平にすることが可能である。更に、レンズ外側固定部１０にレンズを固定するという工程を減らす事が可能になるため、レンズを触る回数を減らすことが可能になり、レンズに傷が付くことを防ぐことが可能になる。また、レンズ外側固定部１０にレンズを設ける工程を減らすことが可能になるため、製造コストを抑える事が可能になる。なお、レンズ固定基板２を形成する方法は任意の方法を採用することが可能であり、右目用レンズ８と左目用レンズ９とレンズ外側固定部１０の金型を一体にして、右目用レンズ８と左目用レンズ９を形成するのと一緒にレンズ外側固定部１０を形成してしまうようにすることも可能であるし、例えば、右目用レンズ８と左目用レンズ９は、レンズ外側固定部１０とは別に形成し、それぞれのレンズをレンズ外側固定部１０の所定の位置に固定させた後、レンズが設けられたレンズ外側固定部１０を、基板に設けてレンズ固定基板２を形成するようにしてもよい。更に、レンズ外側固定部１０を使用しないで、例えば、レンズ固定基板２に直接、右目用レンズ８と左目用レンズ９を設けるようにすることも可能である。また、レンズを形成する際は公知の材料を採用して形成することが可能である。また、レンズ外側固定部１０もレンズを固定することが可能であれば公知の材料を採用して形成することが可能である。
【００４４】
なお、本実施の形態では、レンズ固定部には、一枚の基盤に、右目用レンズ８と左目用レンズ９が設けられたレンズ外側固定部１０を設けた、レンズ固定基盤２を採用したが、これに限定する必要はなく、少なくとも２つのレンズを固定する事が可能であり、上基盤４と連接可能であれば、レンズ固定部は任意の形状を採用する事が可能である。例えば、双眼鏡のように、２つの筒状の基盤を採用し、この筒状の中部でレンズを固定するようにすることも可能である。なお、２つの筒状の物を採用し、この筒状の中でレンズを固定するようにした場合は、上基盤４と連接するレンズ固定部の上部は少なくとも２つ存在するようになるため、上基盤４と連接するレンズ固定部上山折線部であるレンズ固定基盤上山折線部１３も少なくとも２つ存在するようになる。
【００４５】
また図１において、右目用レンズ８は、レンズ固定基盤２の２つの対角線の交点であるレンズ固定基盤中心から水平右方向に略３．１５ｃｍ離れた点に、右目用レンズ８の中心１１が位置するように設けられており、その形状は、直径が２．８ｃｍの円である。左目用レンズ９も同様に、レンズ固定基盤２の中心から水平左方向に略３．１５ｃｍ離れた点に、左目用レンズ９の中心１２が位置するように設けられており、その形状は直径が２．８ｃｍの円である。また、右目用レンズ８の中心１１から左目用レンズ９の中心１２までの距離は、本実施の形態では、人間の右目と左目の間隔の標準値である６．３ｃｍになるようにしている。なお、右目用レンズ８の中心１１から左目用レンズ９の中心１２までの距離は、これに限定する必要は無く、ビュアーを使用する対象者に合わせて任意の数値にすることが可能である。また、本実施の形態では、右目用レンズ８と左目用レンズ９は、その直径が２．８ｃｍの円であるがこれに限定する必要は無く任意の大きさにすることが可能である。しかし、あまりにもレンズを大きくすると、ビュアー１の内部に余計な光が入ってしまう可能性が生じるため、レンズの大きさは、その直径が、２．５以上３．０以下である事が好ましい。また、それぞれのレンズの材料は公知のものを採用することが可能である。また、本実施の形態では、レンズの倍率は、右目用レンズ８と左目用レンズ９共に５倍であるがこれに限定する必要はなく、より倍率の高いレンズを採用することも可能である。
【００４６】
後基盤３は、レンズ固定基盤２と略対抗するように設けられており、レンズ固定基盤２と略同じ形状をしている。また、上基盤４は、レンズ固定基盤の上辺３４とレンズ固定基盤上山折線部１３を介して連接し、かつ、後基盤３の上辺と後基盤上山折線部１５を介して連接しており、また、下基盤４は、レンズ固定基盤２の下辺とレンズ固定基盤下山折線部１６を介して連接し、かつ、後基盤３の下辺と後基盤下山折線部１７を介して連接している。また、右基盤６は、レンズ固定基盤２の右辺とレンズ固定基盤右山折線部１８を介して連接し、かつ、上基盤４の右辺と上基盤右山折線部１９を介して連接し、かつ、下基盤５の右辺と下基盤右山折線部２０を介して連接し、かつ後基盤３の右辺と後基盤右山折線部２１を介して連接しており、また、左基盤７は、レンズ固定基盤２の左辺とレンズ固定基盤左山折線部２２を介して連接し、かつ、上基盤４の左辺と上基盤左山折線部２３を介して連接し、かつ、下基盤５の左辺と下基盤左山折線部２４を介して連接し、かつ、後基盤３の左辺と後基盤左山折線部２５を介して連接している。本実施の形態では、レンズ固定基盤２と後基盤３の形状は略同じであり長方形をしている。また、上基盤４と下基盤５の形状は略同じであり長方形をしており、また、右基盤６と左基盤７の形状は略同じで長方形をしている。また、レンズ固定基盤２、後基盤３、上基盤４、下基盤５、右基盤６、及び、左基盤７の縦方向の長さはそれぞれ略同じであり、上基盤４、下基盤５、右基盤６、及び、左基盤７の横方向の長さも略同じである。結局、本実施の形態では、レンズ固定基盤２、後基盤３、上基盤４、下基盤５、右基盤６、及び、左基盤７によって略直方体のビュアー１を形成している。なお、ビュアー１の形状は、略直方体に限定する必要は無く、レンズ固定部と上基盤を有していれば、任意の形状を採用する事が可能であり、例えば、略立方体にすることも可能であるし、三角錐や四角錘等の錘状にすることも可能である。なお、立体視する際は、ビュアー１を高さ方向に挟持する用になる為、ビュアー１の高さはあまり高くないほうがよい。なお、ビュアー１の高さとは、下基盤５が下になるようにビュアーを置いた際の、垂直方向の長さである。つまり、立体視する際は、右基盤６と左基盤７を縦方向に挟持するようになるため、右基盤６と左基盤７の縦方向の長さは、横方向の長さよりも短い方が好ましく、更に具体的には、２ｃｍ以上、８ｃｍ以下である事が好ましいが、これに限定するわけではない。
【００４７】
また、レンズ固定基盤２、後基盤３、上基盤４、下基盤５、右基盤６、及び、左基盤７は、プラスチックの黒い基盤よりなり、ビュアー１に光を集めることと、ビュアー１の内部を暗くすることを可能にしている。すなわち、本願発明のビュアーは、透過物品用のビュアーであるため、ビュアーの内部を暗くし、透過光のみが照射されるようにした方が、より美しい立体画像を得る事が可能になる。本実施の形態では、黒い基盤によってビュアー１が構成されているため、ビュアー１の内部を暗くする事が可能であり、その結果、より美しい立体画像を得ることを可能にしている。また、ビュアー１の外部も黒いため、ビュアー１に光を集める事を可能にしている。なお、レンズ固定基盤２、後基盤３、上基盤４、下基盤５、右基盤６、及び、左基盤７を、プラスチックの基盤より形成することに限定する必要はなく、また、その色も黒いことに限定する必要はない。レンズ固定基盤２、後基盤３、上基盤４、下基盤５、右基盤６、及び、左基盤７には、任意の材料を採用する事が可能であり、プラスチックの基盤より形成することに限定する必要はなく、また、その色も黒いことに限定する必要はない。例えば、紙やアルミや木等を採用してもよい。また、その色も任意の色を採用する事が可能であるが、ビュアー１の内部を暗くした方が、美しい立体画像を得る事が可能になるため、各基盤の面のうち、ビュアー１の内部側になる面には暗色を採用したり、基盤の表面に暗色層を設ける事が好ましいが、これに限定するわけではない。
【００４８】
また、上基盤４には、採光窓である右目用採光窓２６と左目用採光窓２７が設けられている。本実施の形態では、右目用採光窓２６は、右目用レンズ８の中心１１から水平方向に引いた直線である右目用レンズ８の中心軸２８と、右目用採光窓２６の中心３０から垂直方向に引いた直線が略交わるような位置に設けられている。また、左目用採光窓２７は、左目用レンズ８から水平方向に引いた直線である左目用レンズ８の中心軸２９と、左目用採光窓２７の中心３１から垂直方向に引いた直線が略交わるような位置に設けられている。このように右目用採光窓２６と左目用採光窓２７を設けることによって、十分な光を右目用透過光採光窓３７と左目用透過光採光窓３８に提供する事がより可能になると同時に、体の向きが限定されることなく、容易に立体視する事がより可能になる。
【００４９】
また、右目用採光窓２６と左目用採光窓２７は略矩形の形をしており、互いの中心が一直線上に並ぶように設けられている。なお、これに限定する必要は無く、右目用採光窓２６と左目用採光窓２７は任意の形状を採用する事が可能であり、また、任意の位置に設ける事が可能である。例えば、星やハートのように公知の形状にすることも可能であるし、また例えば、上支盤４に顔等の絵柄を書き、その絵柄の一部を右目用採光窓２６と左目用採光窓２７とするようにしても良く、任意の形状を採用する事が可能である。なお、これらに限定するわけではない。ただし、右目用採光窓２６のレンズ固定基盤２側の辺である前辺３２からは、右目用透過光採光窓３７が連接するため、右目用透過光採光窓３７が設けやすくなるよう、右目用採光窓２６の前辺３２が直線になるように右目用採光窓２６を設ける事が好ましく、また左目用採光窓２７のレンズ固定基盤２側の辺である前辺３３からは、左目用透過光採光窓３８が連接するため、左目用透過光採光窓３８が設けやすくなるよう、左目用採光窓２７の前辺３２が直線になるように左目用採光窓２７を設ける事が好ましいがこれに限定する必要は無い。また、あまりにも大きな右目用採光窓２６と左目用採光窓２７を、上基盤４に設けてしまうと、上基盤４の強度が弱くなってしまう事が考えられ、逆に、あまりにも小さい右目用採光窓２６と左目用採光窓２７を、上基盤４に設けてしまうと、立体視するために十分な光を右目用透過光採光窓３７及び左目用透過光採光窓３８に提供する事が困難になってしまう場合が考えられるため、右目用採光窓２６及び左目用採光窓２７の大きさは、少なくとも右目用画像と左目用画像の大きさと同じである事が好ましく、また、上基盤４の面積の２分の１よりも小さい面積である方が好ましい。なお、本実施の形態では、右目用採光窓２６と左目用採光窓２７の２つの採光窓を上基盤４に設けたが、これに限定する必要は無く、上基盤４に形成する採光窓は、１つであってもよい。なお、採光窓を１つだけにした場合も、採光窓の大きさは、少なくとも立体視する画像の２つ分の大きさよりも大きい方が好ましく、また、上基盤４の大きさよりも小さい方が好ましい。また、採光窓を１つだけ設ける際も、採光窓の任意の点から引いた２つ垂線が、２つのレンズのそれぞれの中心軸と略交わることが可能になる位置に設けた方が、それぞれの画像の背後により光を提供する事が可能になると同時に、体の向きが限定されること無く容易に立体視する事が可能になるためより好ましいが、これに限定するわけではない。
【００５０】
また、本実施の形態では、右目用採光窓２６の中心３０から左目用採光窓２７の中心３１までの距離は６．３ｃｍである。なお、右目用採光窓２６の中心３０から左目用採光窓２７の中心３１までの距離に６．３ｃｍという数字を採用したのは、６．３ｃｍが人間の右目と左目の間隔の標準値であるからであるが、これに限定する必要は無く、ビュアーを使用する対象者に合わせて任意の数値にすることが可能である。また、右目用採光窓２６と左目用採光窓２７の縦方向の長さと横方向の長さは同じであり、右目用画像と左目用画像の縦方向の長さと横方向の長さと略同じになるようにするために、縦方向の長さは２３ｍｍであり、横方向の長さは２４ｍｍであるが、これに限定する必要はなく、任意の形状、及び、大きさを採用する事が可能である。
【００５１】
また、本実施の形態では、右目用採光窓２６は、右目用採光窓２７の各辺のうち、レンズ固定基盤２側の辺である前辺３２から、レンズ固定基盤２の上辺３４までの距離３５が約５ｃｍになるように設けられており、また、左目用採光窓２７は、左目用採光窓２７の各辺のうち、レンズ固定基盤２側の辺である前辺３３からレンズ固定基盤２の上辺３４までの距離３６が訳５ｃｍになるように設けられている。これは、立体視した際に、レンズから画像までの距離が、約５ｃｍになるようにするためである。
【００５２】
つまり、本願発明では、右目用透過光採光窓３７が右目用採光窓２６のレンズ固定基盤２側の辺である前辺３２と連接して設けられ、また、左目用透過光採光窓３８が左目用採光窓２７のレンズ固定基盤２側の辺である前辺３３と連接して設けられる。更に、右目用画像が、右目用レンズ８と右目用透過光採光窓３７の間に位置するように設けられ、また、左目用画像が、左目用レンズ９と左目用透過光採光窓３８の間に位置するように設けられる。よって、右目用採光窓２６と左目用採光窓２７を、上基盤４のうち、レンズ固定基盤２の上辺３４の近傍に設けてしまうと、立体視する際にレンズと画像の間に十分な距離を得る事ができないため、焦点が合わなくなり、立体視が困難になってしまう場合が考えられる。逆に、右目用採光窓２６と左目用採光窓２７を、上基盤４のうち、後基盤３の上辺の近傍に設けてしまうと、焦点を容易に合わせる事が可能な位置に画像を配置することが可能になるが、画像と透過光採光窓の間に距離ができてしまい、十分な透過光が画像の背後に当たらなくなってしまう場合が考えられる。一般的に、立体視が可能になるようなレンズと画像までの距離は、数１によって定まる長さと言われている。よって、本実施の形態では、５倍のレンズを採用しているため、レンズから画像までの距離を約５ｃｍにすると、容易に焦点を合わせる事が可能になると同時に、透過光採光窓と画像が近接するようになるため、画像の背後に十分な透過光を提供することが可能になる。
【００５３】
なお、本実施の形態に限定する必要は無く、右目用採光窓２６は、右目用透過光採光窓３７に光を提供する事ができれば上基盤４の任意の位置に設ける事が可能であり、また、左目用採光窓２７は、左目用透過光採光窓３８に光を提供する事ができれば上基盤４の任意の位置に設ける事が可能である。ただし、上述した理由により、右目用採光窓２６と左目用採光窓２７を設ける位置は、レンズと画像との間で、立体視可能な距離を得る事が可能であり、更に、右目用透過光採光窓３７と左目用透過光採光窓３８によって画像の背後に十分な透過光を提供することが可能になる位置であることが好ましく、具体的には、右目用レンズ８の中心１１から、右目用透過光採光窓３７までの水平方向の距離が、数１によって定まる長さと略同じ、もしくは、数１で定まる長さに略０．３ｃｍ〜３ｃｍ加えた長さになるように右目用採光窓２６を設ける事が好ましく、また、左目用レンズ９の中心１２から、左目用透過光採光窓３８までの水平方向の距離が、数１によって定まる長さと略同じ、もしくは、数１で定まる長さに略０．３ｃｍ〜３ｃｍ加えた長さになるように左目用採光窓２７を設けることが好ましいがこれに限定するわけではない。
【００５４】
【数１】
2005300725.tif 000003
また、本実施の形態では、右目用採光窓２６と左目用採光窓２７とが、接しないように設けられているため、右目用採光窓２６と左目用採光窓２７との間には、境界となる辺である右目用採光窓２６の左辺３９と左目用採光窓２７の右辺４０が存在する。よって、指で右目用採光窓２６の左辺３９と左目用採光窓２７の右辺４０とを挟持することによって、ビュアー１を持ち上げる事が可能になる。例えば、人差し指で右目用採光窓２６の左辺３９を押さえ、また、親指で左目用採光窓２７の右辺４０を押さえることによって、ビュアー１を持ち上げる事が可能になり、その結果、ビュアー１に取り出し用の取手等を設けなくても、ビュアー１を取り出す事が可能になるためビュアー１の構造をより単純にする事が可能になる。
【００５５】
また、右目用採光窓２６の前辺３２と、右目用採光窓前山折線部４１を介して連接し、かつ、右目用レンズ８と略対向するように右目用透過光採光窓３７が設けられている。また、左目用透過光採光窓３８も同様に、左目用採光窓２６の前辺３３と、左目用採光窓前山折線部４２を介して連接し、かつ、左目用レンズ９と略対向するように左目用透過光採光窓３８が設けられている。更に、右目用画像が、右目用透過光採光窓３７と略接するように、右目用透過光採光窓３７と右目用レンズ８の間に設けられており、左目用画像が、左目用透過光採光窓３８と略接するように、左目用透過光採光窓３８と左目用レンズ９の間に設けられている。また、本実施の形態では、右目用画像の中心と右目用透過光採光窓３７の中心が、右目用レンズ８の中心軸２８上に位置するように設けられており、また、左目用画像の中心と左目用透過光採光窓３８の中心が、左目用レンズ９の中心軸２９上に位置するように設けられている。このように、それぞれのレンズの中心軸上に、それぞれの透過光採光窓の中心とそれぞれの画像の中心が、それぞれ位置するように透過光採光窓と画像を設けることによって、少なくとも画像の中央部に透過光を提供する事が可能になると同時に、体の向きが限定されることなく、容易に立体視する事が可能になる。
【００５６】
なお、本願発明において、レンズの中心軸上に画像と透過光採光窓が位置するとは、レンズの中心軸上に、画像の中心と透過光採光窓の中心が位置するということに限定するわけでは無く、レンズの中心軸上に画像の任意の部分と透過光採光窓の任意の部分が位置すれば、全て該当する。しかし、好ましくは、レンズの中心軸上に画像の中心と、透過光採光窓の中心が位置するように、画像と透過光採光窓を設けたほうが、画像を容易に閲覧する事が可能になるだけでなく、より光を画像の背後に提供する事が可能になる為好ましい。
【００５７】
また、本実施の形態では、右目用透過光採光窓３７と左目用透過光採光窓３８の形状と大きさを、右目用画像と左目用画像と略同じ形状と大きさにするために、右目用透過光採光窓３７と左目用透過光採光窓３８は、略矩形の形状で、その縦方向の長さは２３ｍｍであり、その横方向の長さは２４ｍｍである。このように、右目用透過光採光窓３７と左目用透過光採光窓３８の形状と大きさを、右目用画像と左目用画像と略同じ形状と大きさし、右目用画像を右目用透過光採光窓３７と略一致するように設け、また、左目用画像を左目用透過光採光窓３８と略一致するように設けることによって、画像の背後のみに透過光を提供することが可能になり、立体視した際には美しい立体画像を得る事が可能になる。
【００５８】
つまり、本願発明が対象とするビュアーは、透過物品用のビュアーである。よって、画像の背後以外の部分に光が当たってしまうと、美しい立体画像を得る事ができなくなってしまう。よって、右目用透過光採光窓３７と左目用透過光採光窓３８を、それぞれ右目用画像と左目用画像と略同じ大きさにし、右目用画像を右目用透過光採光窓３７と略一致するように設け、また、左目用画像を左目用透過光採光窓３８と略一致するように設けることによって、余計な光がビュアー１の内部に入る事を防ぐ事が可能になり、画像の背後のみに光を提供する事が可能になるため、より美しい立体画像を得る事が可能になる。ここで、右目用画像と左目用画像と略同じ大きさとは、右目用透過光採光窓３７と左目用透過光採光窓３８の大きさが、右目用画像と左目用画像の大きさと同じ大きさが好ましいが、これに限定するわけではなく、右目用画像と左目用画像の大きさよりも０．５ｍｍ以上５ｍｍ以下大きくてもよいし、また、右目用画像と左目用画像の大きさよりも０．５ｍｍ以上５ｍｍ以下小さくてもよい。なお、本実施の形態では、右目用透過光採光窓３７と左目用透過光採光窓３８の２つの透過光採光窓を設けたが、これに限定する必要は無く、透過光採光窓は、一つであってもよい。なお、透過光採光窓を１つだけにした場合も、透過光採光窓の大きさは、少なくとも立体視する２つの画像を合わせた大きさと略同じであることが好ましい。
【００５９】
ここで、右目用採光窓２６の前辺３２とは、右目用採光窓２６の各辺のうち、レンズ固定基盤２側の辺であり、また、左目用採光窓２７の前辺３３とは、左目用採光窓２７の各辺のうち、レンズ固定基盤２側の辺である。なお、本実施の形態では、右目用採光窓２６と左目用採光窓２７は略矩形をしているため、右目用採光窓２６のレンズ固定基盤２側の辺と左目用採光窓２７のレンズ固定基盤２側の辺は一つであるが、これに限定する必要はなく、２つ以上存在してもよい。例えば、右目用採光窓２６と左目用採光窓２７が多角形の場合等では、右目用採光窓２６の各辺のうち、レンズ固定基盤２側に存在する辺が２つ以上存在するために、右目用透過光採光窓３７と連接する前辺が少なくとも２つ存在するということも考えられ、同様に、左目用採光窓２７の各辺のうち、レンズ固定基盤２側に存在する辺が２つ以上存在するために、左目用透過光採光窓３８と連接する前辺が少なくとも２つ存在するということも考えられる。このように、右目用透過光採光窓３７と連接する右目用採光窓２６の前辺は、右目用採光窓２６の形状によって任意に定める事が可能であり、同様に、左目用透過光採光窓３８と連接する左目用採光窓２７の前辺は、左目用採光窓２７の形状によって任意に定める事が可能である。
【００６０】
また、右目用採光窓２６と右目用透過光採光窓３７をつなぐように、拡散基盤である右目用拡散基盤４３が設けられ、また、左目用採光窓２７と左目用透過光採光窓３８をつなぐように、拡散基盤である左目用拡散基盤４４が設けられている。右目用拡散基盤４３は、右目用採光窓２６の後辺と、右目用採光窓後山折線部４５を介して連接し、かつ、右目用透過光採光窓３７の下辺と右目用透過光採光窓下谷折線部４６を介して連接している。また、左目用拡散基盤４４は、左目用採光窓２７の後辺と、左目用採光窓後山折線部４７を介して連接し、かつ、左目用透過光採光窓３８の下辺と、左目用透過光採光窓下谷折線部４８を介して連接している。また、本実施の形態では、右目用拡散基盤４３と左目用拡散基盤４４は、湾曲していない平面状であり、その横方向の長さが２４ｍｍ、縦方向の長さが略３３ｍｍである長方形をしている。また、右目用拡散基盤４３と右目用透過光採光窓３７によって形成される角度は略４５度であり、左目用拡散基盤４４と左目用透過光採光窓３８によって形成される角度は略４５度である。よって、太陽や蛍光灯等の光源が、透過光採光窓である右目用拡散基盤４３と左目用拡散基盤４４の真上や、透過光採光窓である右目用拡散基盤４３と左目用拡散基盤４４の真上よりもレンズ側に位置している場合であっても、右目用拡散基盤４３と左目用拡散基盤４４によって光を反射する事が可能になり、右目用透過光採光窓３７と左目用透過光採光窓３８それぞれに光を届ける事が可能である。
【００６１】
なお、右目用拡散基盤４３と左目用拡散基盤４４は、それぞれ右目用採光窓２６と左目用採光窓２７の形状と大きさ、及び、右目用透過光採光窓３７と左目用透過光採光窓３８の形状と大きさによって任意の大きさと形状にする事が可能であり、本実施の形態に限定するわけではない。更に、本実施の形態では、右目用拡散基盤４３と左目用拡散基盤４４は、湾曲していない平面状であるが、これに限定する必要は無く、右目用拡散基盤４３と左目用拡散基盤４４は、例えば、凹状や凸状に湾曲するようにしてもよい。更に、本実施の形態のように、右目用拡散基盤４３と左目用拡散基盤４４という２つの拡散基盤を形成することに限定する必要はなく、例えば、採光窓と透過光採光窓が一つの場合は設ける拡散基盤は１つであってもよい。なお、採光窓と透過光採光窓が１つの場合でも、拡散基盤を右目用と左目用に分けて設けることも可能であり、採光窓と透過光採光窓と拡散基盤をどのように設けるかは、任意に設計する事が可能である。例えば、一つの採光窓に対して、右目用透過光採光窓と左目用透過光採光窓を設け、右目用透過光採光窓と採光窓を連接するように右目用拡散基盤を設け、左目用透過光採光窓と採光窓を連接するように左目用拡散基盤を設けるようにしてもよいし、また、例えば、一つの採光窓に対して、一つの透過光採光窓を設け、透過光採光窓と採光窓を連接するように一つの拡散基盤を設けるようにしてもよいし、また、例えば、一つの採光窓に対して、一つの透過光採光窓を設け、透過光採光窓と採光窓を連接するように二つの拡散基盤を設けるようにしてもよい。なお、これらに限定するわけではなく、採光窓、透過光採光窓、及び、拡散基盤は、ビュアー用カートリッジ９の用途やデザイン等に応じて任意に設計する事が可能である。
【００６２】
ここで、右目用採光窓２６の後辺とは、右目用採光窓２６の各辺のうち、後基盤３側の辺であり、右目用採光窓２６の前辺３２と略対向する辺である。また、左目用採光窓２７の後辺とは、左目用採光窓２７の各辺のうち、後基盤３側の辺であり、左目用採光窓２７の前辺３３と略対向する辺である。なお、本実施の形態では、右目用採光窓２６と左目用採光窓２７は略矩形をしているため、右目用採光窓２６と左目用採光窓２７の後基盤３側の辺は一つであるが、これに限定する必要はなく、２つ以上存在してもよい。例えば、右目用採光窓２６と左目用採光窓２７が多角形の場合等では、右目用採光窓２６の各辺のうち、後基盤３側に存在する辺が２つ以上存在するために、右目用拡散基盤４３と連接する右目用採光窓２６の後辺が少なくとも２つ存在するということも考えられ、同様に、左目用採光窓２７の各辺のうち、後基盤３側に存在する辺が２つ以上存在するために、左目用拡散基盤４４と連接する左目用採光窓２７の後辺が少なくとも２つ存在するということも考えられる。このように、右目用拡散基盤４３と連接する右目用採光窓２６の後辺は、右目用採光窓２６の形状によって任意に定める事が可能であり、同様に、左目用拡散基盤４４と連接する左目用採光窓２７の後辺は、左目用採光窓２７の形状によって任意に定める事が可能である。なお、採光窓を一つにした場合も同様である。
【００６３】
また、右目用透過光採光窓３７の下辺とは、右目用透過光採光窓３７の各辺のうち、下基盤５側の辺であり、右目用採光窓前山折線部４１と略対向する辺である。また、左目用透過光採光窓３８の下辺とは、左目用透過光採光窓３８の各辺のうち、下基盤側５の辺であり、左目用採光窓前山折線部４２と略対向する辺である。なお、本実施の形態では、右目用透過光採光窓３７と左目用透過光採光窓３８は略矩形をしているため、右目用透過光採光窓３７と左目用透過光採光窓３８のそれぞれの下辺は一つであるが、これに限定する必要はなく、２つ以上存在してもよい。例えば、右目用透過光採光窓３７と左目用透過光採光窓３８が多角形の場合等では、右目用透過光採光窓３７の各辺のうち、下基盤５側に存在する辺が２つ以上存在するために、右目用拡散基盤４３と連接する右目用透過光採光窓３７の下辺が少なくとも２つ存在するということも考えられ、また、左目用透過光採光窓採光窓３８の各辺のうち、下基盤５側に存在する辺が２つ以上存在するために、左目用拡散基盤４４と連接する左目用透過光採光窓３８の後辺が少なくとも２つ存在するということも考えられる。このように、右目用拡散基盤４３と連接する右目用透過光採光窓３７の下辺は、右目用拡散基盤４３の形状によって任意に定める事が可能であり、同様に、左目用拡散基盤４４と連接する左目用透過光採光窓３８の下辺は、左目用拡散基盤４４の形状によって任意に定める事が可能である。なお、透過光採光窓を一つにした場合も同様である。
【００６４】
また、本実施の形態では、右目用拡散基盤４３と左目用拡散基盤４４は、プラスチックよりなる黒い基盤の右目用採光窓２６と左目用採光窓側３７の面に拡散シートを貼付することによって形成している。このように右目用拡散基盤４３と左目用拡散基盤４４を形成することによって、右目用拡散基盤４３と左目用拡散基盤４４を容易に設ける事が可能になるため、製造コストを下げる事が可能である。更に、プラスチックよりなる黒い基盤を採用しているため、ビュアー１の内部側の面を黒くする事が可能であり、その結果、ビュアー１の内部を暗くする事が可能になるため、美しい立体画像を得る事が可能になる。なお、本実施の形態に限定する必要はなく、右目用拡散基盤４３と左目用拡散基盤４４には、任意の材料よりなる基盤を採用する事が可能であり、例えば、紙や木等よりなる基盤であってもよいし、光の濃度を均等にする役割を果たす基盤を別途設けるようにして右目用拡散基盤４３と左目用拡散基盤４４を構成するようにしてもよい。また、拡散基盤のビュアー１の内部側の面を黒くすることに限定する必要はなく、任意の形態を採用する事が可能であるが、ビュアー１の内部を暗くする事ができるよう、基盤に暗色を採用したり、拡散基盤のビュアー１の内側の面に、黒いシート等によって暗色層を形成したほうが、より美しい立体画像を得る事が可能になるため好ましい。また、本実施の形態では、拡散シートは、ＰＥＴ基材のものを採用したがこれに限定する必要は無く、光の濃度を均等にする役割を果たすものであれば、いずれのものを採用することが可能である。
【００６５】
また、右目用拡散基盤４３の左右には、右支持基盤である右目用右支持基盤４９と、左支持基盤である右目用左支持基盤５０が、それぞれ設けられ、右目用拡散基盤４３と上基盤４との間にできる間隙を塞いでいる。また、左目用拡散基盤４４の左右には、右支持基盤である左目用右支持基盤５１と、左支持基盤である左目用左支持基盤５２がそれぞれ設けられ、左目用拡散基盤４４と上基盤４との間にできる間隙を塞いでいる。本実施の形態では、右目用右支持基盤４９は、右目用拡散基盤４３の右辺を底辺とする二等辺三角形の形状をしており、右目用採光窓２６の右辺と、右目用採光窓右山折線部５３を介して連接し、かつ、前記右目用拡散基盤４３の右辺と右目用拡散基盤右谷折線部５４を介して連接している。また、右目用左支持基盤５０は、右目用拡散基盤４３の左辺を底辺とする二等辺三角形の形状をしており、右目用採光窓２６の左辺と、右目用採光窓左山折線部５５を介して連接し、かつ、前記右目用拡散基盤４３の左辺と右目用拡散基盤左谷折線部５６を介して連接している。また、左目用右支持基盤５１は、左目用拡散基盤４４の右辺を底辺とする二等辺三角形の形状をしており、左目用採光窓２７の右辺と、左目用採光窓右山折線部５７を介して連接し、かつ、前記左目用拡散基盤４４の右辺と左目用拡散基盤右谷折線部５８を介して連接している。また、左目用左支持基盤５２は、左目用拡散基盤４４の左辺を底辺とする二等辺三角形の形状をしており、左目用採光窓３７の左辺と、左目用採光窓左山折線部５９を介して連接し、かつ、前記左目用拡散基盤４４の左辺と左目用拡散基盤左谷折線部６０を介して連接している。
【００６６】
ここで、右目用採光窓２６の右辺とは、レンズ固定部であるレンズ固定基盤２から見た際の、右目用採光窓２６の右側の辺であり、また、右目用拡散基盤４３の右辺とは、レンズ固定部であるレンズ固定基盤２から見た際の、右目用拡散基盤４３の右側の辺である。同様に、右目用採光窓２７の左辺とは、レンズ固定部であるレンズ固定基盤２から見た際の、右目用採光窓２６の左側の辺であり、また、右目用拡散基盤４３の左辺とは、レンズ固定部であるレンズ固定基盤２から見た際の、右目用拡散基盤４３の左側の辺である。また、左目用採光窓２６の右辺とは、レンズ固定部であるレンズ固定基盤２から見た際の、左目用採光窓２７の右側の辺であり、また、左目用拡散基盤４４の右辺とは、レンズ固定部であるレンズ固定基盤２から見た際の、左目用拡散基盤４４の右側の辺である。同様に、左目用採光窓２７の左辺とは、レンズ固定部であるレンズ固定基盤２から見た際の、左目用採光窓２７の左側の辺であり、また、左目用拡散基盤４４の左辺とは、レンズ固定部であるレンズ固定基盤２から見た際の、左目用拡散基盤４４の左側の辺である。
【００６７】
また、右目用右支持基盤４９、右目用左支持基盤５０、左目用右支持基盤５１、及び、左目用左支持基盤５２は、ともに、湾曲していない平面状である。なお、本実施の形態のように、右目用右支持基盤４９、右目用左支持基盤５０、左目用右支持基盤５１、及び、左目用左支持基盤５２を、平面状に限定する必要はなく、例えば、右目用右支持基盤４９、右目用左支持基盤５０、左目用右支持基盤５１、及び、左目用左支持基盤５２を、それぞれ凹状、もしくは、凸状に湾曲することも可能である。しかし、例えば、右目用右支持基盤４９と右目用左支持基盤５０を凹状に湾曲させると、右目用採光窓右山折線部５３の近傍、及び、右目用採光窓左山折線部５５の近傍によって右目用透過光採光窓３７に余計な影が形成される場合が考えられ、また、左目用右支持基盤５１と左目用左支持基盤５２を凹状に湾曲させると、左目用採光窓右山折線部５７の近傍、及び、左目用採光窓左山折線部５９の近傍によって左目用透過光採光窓３８に余計な影が形成される場合が考えられる。また、例えば、右目用右支持基盤４９、右目用左支持基盤５０、左目用右支持基盤５１、及び、左目用左支持基盤５２を凸状に湾曲させると、右目用右支持基盤４９、右目用左支持基盤５０、左目用右支持基盤５１、及び、左目用左支持基盤５２によって、右目用拡散基盤４３と左目用拡散基盤４４が拡散した光が遮られて、右目用透過光採光窓３７と左目用透過光採光窓３８に、十分な光が提供されない場合も考えられる。よって、右目用右支持基盤４９、右目用左支持基盤５０、左目用右支持基盤５１、及び、左目用左支持基盤５２は、湾曲させずに、平面であることが好ましい。また、右目用右支持基盤４９、右目用左支持基盤５０、左目用右支持基盤５１、及び、左目用左支持基盤５２の形状は、右目用拡散基盤４３と上基盤４との間に形成される間隙、及び、左目用拡散基盤４４と上基盤４との間に形成される間隙を塞ぎ、ビュアー１の内部に右目用透過光採光窓３７と左目用透過光採光窓３８以外の部分から光が入ることを防ぐ事が可能であれば、任意の形状を採用する事が可能であり、本実施の形態のように二等辺三角形に限定する必要はない。
【００６８】
また、本実施の形態では、右目用右支持基盤４９、右目用左支持基盤５０、左目用右支持基盤５１、及び、左目用左支持基盤５２は、プラスチックよりなる黒い基盤によって形成されており、右目用右支持基盤４９、右目用左支持基盤５０、左目用右支持基盤５１、及び、左目用左支持基盤５２に当たった光の反射を防ぐとともに、ビュアー１の内部を暗くすることを可能にしている。なお、本実施の形態に限定する必要は無く、右目用右支持基盤４９、右目用左支持基盤５０、左目用右支持基盤５１、及び、左目用左支持基盤５２は、任意の材料を採用して形成する事が可能である。また、右目用右支持基盤４９、右目用左支持基盤５０、左目用右支持基盤５１、及び、左目用左支持基盤５２の、採光窓側の面とビュアー１の内部側の面を黒くすることに限定する必要は無く、任意の色を採用する事が可能であるが、採光窓側の面とビュアー１の内部側の面を暗色にするために、採光窓側の面とビュアー１の内部側の面に暗色層を形成したほうが、余計な光がビュアー内に入ることを防ぐ事が可能になり、かつ、ビュアー内を暗く保つ事が可能になり、美しい立体画像を得る事が可能になるため好ましい。
【００６９】
また、透過物品であるフィルム１４がビュアー１の内部に設けられている。本実施の形態では、フィルム１４は、シート状の端点と端点とを連接したロール状のフィルムであり、図示されていない駆動手段によって、時計回りに回転可能になっている。なお、図２は、図１のビュアーから取り出したフィルムのみの拡大図である。図２において図１と同じ番号を付したものは同じものであるため説明を割愛し、６５は右目用画像、６６は左目用画像、６７は画像の縦方向の長さ、６８は画像の横方向の長さである。
【００７０】
図１及び、図２において、フィルム１４には、一組の右目用画像６５と左目用画像６６が交互に４枚ずつ形成されており、図示しない駆動手段で回転することによって右目用透過光採光窓３７と左目用透過光採光窓３８の前に位置する画像を変更することが可能であり、合計で４種類の立体画像を得ることが可能である。また、フィルムは、右目用採光窓２６、右目用透過光採光窓３７、右目用拡散基盤４３、右目用右支持基盤４９、右目用左支持基盤５０、左目用採光窓２７、左目用透過光採光窓３８、左目用拡散基盤４４、左目用右支持基盤５１、及び、左目用左支持基盤５２がロール状のフィルム１４の内周側に位置するように立てて設けられており、右目用画像６５と左目用画像６６のそれぞれの後ろ側の面が、それぞれ右目用透過光採光窓３７と左目用透過光採光窓３８に略接している。このように、フィルム１４が有する画像が垂直方向に向くようにフィルム１４を立てて設けることによって、画像の後ろに位置する右目用透過光採光窓３７と左目用透過光採光窓３８から画像の背後に光を当てることが可能になる。更に、右目用画像６５の後ろ側の面全体が右目用透過光採光窓３７に接し、また、左目用画像６６の後ろ側の面の全体が左目用透過光採光窓４３に接するように設けることによって、右目用画像６５と左目用画像６６の背後に十分な透過光を当てる事が可能になり、その結果、美しい立体画像を得る事が可能になる。
【００７１】
ここで、フィルム１４の内周側とは、ロール状のフィルムの円周よりも円の中心側の領域である。また、フィルムをロール状にする際は、右目用透過光採光窓３７の前に位置する右目用画像６５と、左目用透過光採光窓３８の前に位置する左目用画像６６が、略平坦にする事が可能なように、フィルムを楕円にする事が好ましく、また、その長軸の長さを右目用画像の横方向の長さ６８と左目用画像の横方向の長さ６８を足し合わせた長さよりも長くする事が好ましいがこれに限定するわけではない。
【００７２】
さらに、本実施の形態では、右目用画像６５は、右目用透過光採光窓３７のレンズ固定基盤２側の面の前に、右目用透過光採光窓３７と右目用画像６５がほぼ一致するように設けられており、言い換えれば、右目用レンズ８の中心軸２８上にその中心が略位置するように設けられている。また、左目用画像６６は、左目用透過光採光窓３８のレンズ固定基盤２側の面の前に、左目用透過光採光窓３８と左目用画像６６がほぼ一致するように設けられており、言い換えれば、左目用レンズ９の中心軸２９上にその中心が略位置するように設けられている。よって、立体視する際は、右目用レンズ８と左目用レンズ９から、容易に右目用画像６５と左目用画像６６を見ることができ、また、容易に立体画像を得ることが可能である。なお、これに限定する必要は無く、右目用画像６５は右目用レンズ８と右目用透過光採光窓３７の間に位置し、少なくとも右目用レンズ８によって閲覧する事が可能であれば、任意の位置を採用することが可能である。また、左目用画像６６も同様に、左目用レンズ９と左目用透過光採光窓３８の間に位置し、少なくとも左目用レンズ９によって閲覧する事が可能であれば任意の位置を採用することが可能である。
【００７３】
なお、本願発明のビュアー１では、上基盤４に設けられた採光窓からビュアー１の内部に光を取り入れるため、本実施の形態のようにシート状のフィルムの端点と端点とを繋げたロール状のフィルム１４であっても採用することが可能になる。つまり、少なくとも、採光窓、透過光採光窓、拡散基盤、右支持基盤、及び、左支持基盤がロール状のフィルムの内側に位置するようにフィルムを配置させ、かつ、画像が垂直方向に向くようにフィルムを立てて設けることによって、レンズと透過光採光窓の間に位置するフィルムを１層にすることが可能になるため、レンズによって見る画像を１種類にする事が可能になり、立体視する事が可能になるのである。
【００７４】
なお、本願発明で使用可能な透過物品はロール状のフィルムだけでなく、例えば、マウントしたフィルムや、シート状のフィルムであっても使用可能である。また、マウントしたフィルムやシート状のフィルムを使用する場合であっても、レンズと透過光採光窓の間にフィルムが立体視する画像が位置するように、透過物品を配置する必要がある。例えば、図示しないが、マウントしたフィルムの差込口を右目用レンズ８と右目用透過光採光窓３７の間に、また、肥大目用レンズ９と左目用透過光採光窓３８の間に形成すれば、マウントしたフィルムを採用することが可能になる。また、本願発明のフィルム１４は、３５ｍｍのフィルムであり、画像の縦方向の長さ６７は２３ｍｍであり、画像の横方向の長さ６８は２４ｍｍであるがこれに限定する必要はなく、公知のフィルムを採用する事が可能であり、また画像もフィルムに合わせて公知の大きさにする事が可能である。また、透過用物品にシート状やロール状のフィルムのように、少なくとも２種類の画像が連続する場合において、右目用画像６５と左目用画像６６の配置は、公知の配置の仕方を採用する事が可能であり、本実施の形態のように交互に限定する必要は無い。
【００７５】
図３は、図１のビュアーの、右目用レンズの中心軸での断面図である。
なお、左目用レンズの中心軸での断面図は、右目用レンズの中心軸での断面図と同じであるため割愛する。また、図１、及び、図２と同じ番号を付したものは同じものであるために説明を割愛し、７０は拡散シートである。
【００７６】
図３において、右目用拡散基盤４３は、プラスチックよりなる黒い基盤の、右目用採光窓２６側の面に拡散シート７０を貼付することによって形成されている。本実施の形態では、拡散シート７０には、ＰＥＴ基材のものを採用したがこれに限定する必要は無く、光の濃度を均等にする役割を果たすものであれば、いずれのものを採用することが可能である。なお、本願発明では、このように右目用拡散基盤４３が設けられているため、立体視する際は、上基盤４に設けられた右目用採光窓２６から光が入ると、光は右目用拡散基盤４３に当たる。そして、右目用拡散基盤４３に当たった光が右目用透過光採光窓３７へと入るようになる。また、右目用拡散基盤４３に当たった光は、拡散シート７０によってその濃度が一定になって反射されるため、結局、右目用拡散基盤４３によって右目用透過光採光窓３７に濃度が一定な光を提供することが可能になる。
【００７７】
図４は、別の実施の形態を示すビュアーにおける、右目用レンズの中心軸での断面図である。なお、左目用レンズの中心軸での断面図は、右目用レンズの中心軸での断面図と同じであるため割愛する。また、図１、図２、及び、図３と同じ番号を付したものは同じものであるために説明を割愛し、７１は右目用拡散基盤、７２は右目用採光窓３９の後辺の近傍、７２は上基盤４と右目用拡散基盤７１によって、ビュアー１内部側に形成される角度、７３は右目用透過光採光窓３７と右目用拡散基盤７１よって、ビュアー１の内部側と対抗する側に形成される角度、７４は右目用採光窓２６の後辺、７５は右目用採光窓２６の後辺７４の近傍、７６は右目用透過光採光窓３７の下辺、７７は右目用透過光採光窓３７の下辺７６の近傍である。
【００７８】
図４において、右目用拡散基盤７１は、プラスチックよりなる黒い基盤の、右目用採光窓２６側の面に拡散シート７０を貼付することによって形成されている。本実施の形態では、拡散シート７０には、ＰＥＴ基材のものを採用したがこれに限定する必要は無く、光の濃度を均等にする役割を果たすものであれば、いずれのものを採用することが可能である。また、図４において、右目用拡散基盤７１は凹状に緩やかに湾曲している。本実施の形態のように拡散基盤を凹状に緩やかに湾曲させることによって、透過光採光窓により光を提供することが可能になる。また、本実施の形態では、右目用採光窓２６の後辺７４において、上基盤４と右目用拡散基盤７１によって、ビュアー１内部側に形成される角度７２は、約１２０度である。本実施の形態のように、右目用採光窓２６の後辺７４において、上基盤４と右目用拡散基盤７１によって、ビュアー１内部側に形成される角度７２を約１２０度にすることによって、右目用採光窓２６の後辺７４の近傍７５において、右目用拡散基盤７１が、右目用採光窓２６の後辺７４よりも後基盤４側に入り込まないようにすることが可能であるため、右目用採光窓２６に光が差し込んだ際、右目用採光窓２６の後辺７４の近傍７５によって右目用拡散基盤７１や右目用透過光採光窓３７に影を形成してしまうことを防ぐことが可能になるため好ましい。なお、右目用採光窓２６の後辺７４において、上基盤４と右目用拡散基盤７１によって、ビュアー１内部側に形成される角度７２を約１２０度に限定する必要はなく、任意の角度を採用することが可能であるが、好ましくは９０度以上、さらに好ましくは、１００以上１６０度以下にすれば、右目用採光窓２６の後辺７４の近傍７５において、右目用拡散基盤７１が右目用採光窓２６の後辺７４よりも後基盤４側に入り込まないようにすることが可能になる。
【００７９】
また、本実施の形態では、右目用透過光採光窓３７の下辺７６において、右目用透過光採光窓３７と右目用拡散基盤７１よって、ビュアー１の内部側と対抗する側に形成される角度７３は、約６０度である。なお、これに限定する必要はなく、右目用透過光採光窓３７の下辺７６において、右目用透過光採光窓３７と右目用拡散基盤７１よって、ビュアー１の内部側と対抗する側に形成される角度７３は任意の角度にすることが可能であるが、あまりにも急な角度にしてしまうと、右目用透過光採光窓３７の下辺７６の近傍７７において、光が右目用透過光採光窓３７に入らなくなってしまう場合が考えられるため、右目用透過光採光窓３７の下辺７６において、右目用透過光採光窓３７と右目用拡散基盤７１よって、ビュアー１の内部側と対抗する側に形成される角度７３は、約２０度以上が好ましく、さらには、３０度以上であることが好ましい。
【００８０】
図５は、別の実施の形態を示すビュアーにおける、右目用レンズの中心軸での断面図である。なお、左目用レンズの中心軸での断面図は、右目用レンズの中心軸での断面図と同じであるため割愛する。また、図１、図２、図３、及び、図４と同じ番号を付したものは同じものであるために説明を割愛し、８０は右目用拡散基盤、８１は上基盤４と右目用拡散基盤８０によって、ビュアー１内部側に形成される角度、８２は右目用透過光採光窓３７と右目用拡散基盤８０によって、ビュアー１の内部側と対抗する側に形成される角度、８３は頂点、８４は頂点から右目用透過光採光窓までの距離、８５は右目用透過光採光窓の下辺の近傍、８６は下側右目用拡散基盤である。
【００８１】
図５において、右目用拡散基盤８０は、プラスチックよりなる黒い基盤の、右目用採光窓２６側の面に拡散シート７０を貼付することによって形成されている。本実施の形態では、拡散シート７０には、ＰＥＴ基材のものを採用したがこれに限定する必要は無く、光の濃度を均等にする役割を果たすものであれば、いずれのものを採用することが可能である。また、図５において、右目用拡散基盤８０は凸状に緩やかに湾曲している。本実施の形態のように拡散基盤を凸状に緩やかに湾曲させることによって、透過光採光窓により光を提供することが可能になる。
【００８２】
また、本実施の形態では、右目用採光窓２６の後辺７４において、上基盤４と右目用拡散基盤８０によって、ビュアー１の内部側に形成される角度８０を約１５０度にし、また、右目用透過光採光窓３７の下辺７６において、右目用透過光採光窓３７と右目用拡散基盤８０によって、ビュアー１の内部側と対向する側に形成される角度８２を約３０度にし、断面から見た際に、右目用拡散基盤８０が右目用採光窓２６よりも上に突出しないように、右目用拡散基盤８０を緩やかに湾曲させている。なお、本実施の形態に限定する必要はなく、右目用拡散基盤８０は自由に湾曲させる事が可能であり、また、右目用採光窓２６の後辺７４において、上基盤４と右目用拡散基盤８０によって、ビュアー１の内部側に形成される角度８１、及び、右目用透過光採光窓３７の下辺７６において、右目用透過光採光窓３７と右目用拡散基盤８０によって、ビュアー１の内部側と対向する側に形成される角度８２は任意の値を採用する事が可能である。しかし、断面から見た際に、拡散基盤が採光窓から突出してしまうと、突出した部分によって透過光採光窓に入る光をさえぎってしまう場合が考えられ、また、拡散基盤が透過光採光用窓に入り込んでしまうと、入り込んでしまった拡散基盤によって十分な光を提供する事ができなくなってしまう場合が考えられるため、拡散基盤は、採光窓から突出しないように凸状に湾曲することが好ましく、また、透過光採光窓に入り込まないように湾曲することが好ましい。よって、上基盤４と右目用拡散基盤８０によって、ビュアー１の内部側に形成される角度８１は、約１６０度以下、さらには、約９０度以上１５０度以下であることが好ましく、また、右目用透過光採光窓３７と右目用拡散基盤８０よって、ビュアー１の内部側と対向する側に形成される角度８２は、約２０度以上が好ましく、さらには、３０度以上であることが好ましい。
【００８３】
また、頂点８３は、平面状の右目用拡散基盤と比較したとき、最も突出した部分の点である。そして、本実施の形態では、右目用拡散基盤８０は、頂点８３から、右目用透過光採光窓３７までの水平方向の距離８４が５ｍｍ存在するように凸状に湾曲している。なおこれに限定する必要は無く、頂点８３から、右目用透過光採光窓３７までの水平方向の距離８４は、少なくとも３ｍｍ、さらに好ましくは、少なくとも１ｃｍ存在するように凸状に湾曲することが好ましい。このように湾曲させることによって、拡散基盤が透過光採光窓に入り込まないように湾曲させることが可能になる。なお、頂点８３よりも下基盤５側の右目用拡散基盤８０である下側右目用拡散基盤８６が、断面から見た際に、頂点８３よりも後基盤３側に入り込まないようにしたほうが、右目用透過光採光窓３７の下辺７６の近傍７７に影が形成されないため好ましい。
【００８４】
なお、図４、図５では、拡散基盤は、採光窓の後辺から透過光採光窓の下辺に向かう方向である長さ方向に緩やかに湾曲しているのみである。よって拡散基盤の長さ方向に垂直に交わる方向である幅方向の断面は、図示しないが、水平である。なおこれに限定する必要は無く、任意に曲げる事が可能である。例えば、長さ方向と幅方向の両方に緩やかに湾曲させ、凸状の球状に湾曲させることも可能であるし、また例えば、長さ方向と幅方向の両方に緩やかに湾曲させ、凹状の球状に湾曲させることも可能であるし、幅方向のみに緩やかに凹状もしくは凸状に湾曲させることも可能である。なお、これらに限定しない。
【００８５】
また、本願発明において、緩やかに湾曲とは、拡散基盤が１方向に曲がるということであり、例えば、拡散基盤の上半分が凹状に湾曲し、下半分が凸状に湾曲するというように、複数の方向に曲がるということではない。なお、拡散基盤に採用する材料によって、顕微鏡レベルで見れば、無数の凹凸が形成されているが、材料による凹凸は考慮しない。また、１方向であれば、任意に曲げることが可能である。
【００８６】
図６は、図１のビュアーを冊子体に添付した状態を示す正面図である。図６において、図１、図２、図３、図４、及び、図５と同じ番号を付した物は同じものであるため説明を割愛し、９０は冊子体、９１は表表紙、９２は裏表紙、９３は背表紙、９４は冊子体収納部、９５はビュアー収納箱である。
【００８７】
図６において、冊子体９０は、表表紙９１と背表紙９３と裏表紙９２とを連接してなる表紙の、表表紙９１の裏側に形成された冊子体収納部９４に収納されており、取り外し可能のものである。また、冊子体９０は、表表紙９１と略同じ大きさであり、表表紙９１と裏表紙９２も略同じ大きさである。ビュアー１は、下基盤５、右基盤６、左基盤７、レンズ固定基盤２、及び、後基盤３と接してビュアー１を被包する収納箱９５に収納されている。本実施の形態では収納箱９５は、表表紙９１とほぼ同じ大きさであり、その底板が裏表紙９２の裏側に貼付されている。よって、表紙を開けると、ビュアー１の上基盤４が見えるようになっている。また、収納箱の深さは、右基盤６、左基盤７、レンズ固定基盤２、及び、後基盤３の縦方向の長さよりも深く、かつ、収納箱９５は、下基盤５、右基盤６、左基盤７、レンズ固定基盤２、及び、後基盤３と接してビュアー１を被包しているため、ビュアーを取り出す際に、収納箱９５に切れ目を入れなければ、右基盤５、左基盤６、レンズ固定基盤２、及び、後基盤３を持つことはできない。しかし、本実施の形態のビュアー１では、右目用採光窓２６と左目用採光窓２７が設けられているため、右目用採光窓２６と左目用採光窓２７に指を入れ、右目用採光窓２６の左辺３９と左目用採光窓２７の右辺４０を挟持することによって、収納箱９５を壊すことなくビュアー１を取り出すことが可能である。
【００８８】
図６において、冊子体９０の用途は、ビュアー１によって見えた立体画像が何であるか学習するためのものであり、この冊子体９０の使用者は３歳から５歳の幼児である。幼児は、表紙を開いて、ビュアー１を収納箱９５より取り出し、また、冊子体９０を冊子体収納部９４より取りだす。次に、ビュアー１で見た立体画像の名前や画像に関する事柄を、冊子体９０に書かれている内容によって学習して行く。
【００８９】
なお、実施の形態では、ビュアー１は長方形の収納箱９５に収納し、裏表紙９２によって冊子体９０に添付されているが、これに限定する必要はなく、任意のやり方を採用することが可能である。例えば、袋状の包装体を採用することも可能であるし、シート状の包装体で包むように収納するようにすることも可能である。また、本実施の形態では、収納箱は、段ボール紙によって形成されているが、これに限定する必要はなく、包装体には、任意のものを採用することができる。例えば、木やプラスチックなどを採用することも可能である。なお、袋状やシート状の包装体を採用する場合であれば、例えば、紙を採用することが可能であるのはもちろんのこと、ビニールやセロファンなどを採用することも可能である。また添付の仕方も、本実施の形態に限定する必要は無く、公知のやり方を採用して添付することが可能である。
【００９０】
また、本実施の形態では、冊子体９０は、本実施の形態のように学習用のものに限定するわけではなく、たとえば、マウントされた透過物品やシート状の透過物品を収納するアルバムであってもよい。
【００９１】
図７は、本願発明における別の実施の形態のビュアーの正面図である。なお、図７において、実線は、ビュアーを図７の角度から見た際に見える部分であり、点線部は、ビュアーを図７の角度から見た際に見えないが、存在する部分である。
図７において、１００はビュアー、１０２はレンズ固定部であるレンズ固定基盤、１０３は後基盤、１０４は上基盤、１０５は下基盤、１０６は右基盤、１０７は左基盤、１０８はビュアー用カートリッジ装着部、１０９はビュアー用カートリッジ、１１０は右目用レンズ、１１１は左目用レンズ、１１２はレンズ外側固定部、１１３は右目用レンズ１１０の中心、１１４は左目用レンズ１１１の中心、１１５は上山折線部、１１６はレンズ固定基盤１０２の中心、１１７は上支持基盤、１１８は右目用レンズ１１０の中心軸、１１９は右目用画像、１２０は右目用画像１１９の中心、１２１は左目用レンズ１１１の中心軸、１２２は左目用画像、１２３は左目用画像１２２の中心である。
【００９２】
図７において、ビュアー１００は、レンズ固定部であるレンズ固定基盤１０２、後基盤１０３、上基盤１０４、下基盤１０５、右基盤１０６、左基盤１０７、及び、上基盤１０４に設けられたビュアー用カートリッジ装着部１０８に装着されたビュアー用カートリッジ１０９によって構成されている。レンズ固定部であるレンズ固定基盤１０２は、立体視する際に右目が位置する右目用レンズ１１０と、立体視する際に左目が位置する左目用レンズ１１１と、右目用レンズ１１０と左目用レンズ１１１を固定するレンズ外側固定部１１２を有する長方形をした基盤である。
【００９３】
ここで、レンズ外側固定部１１２とは、レンズの外周と貼着してレンズを固定する役割を果たすものである。本実施の形態のように、一枚の基盤に右目用レンズ１１０と左目用レンズ１１１を設け、レンズ固定部であるレンズ固定基盤１０２を形成する場合では、このように、レンズ外側固定部１１２に右目用レンズ１１０と左目用レンズ１１１を設けた後、右目用レンズ１１０と左目用レンズ１１１が設けられたレンズ外側固定部１１２を基盤に設けたほうが、立体視がより可能なレンズ固定基盤１０２を、コストを抑えて形成することが可能になる。
【００９４】
すなわち、立体視を実現するためには、右目が位置する右目用レンズ１１０の中心１１３と、左目が位置する左目用レンズ１１１の中心１１４が水平になるようにレンズ固定部を形成しなければならない。しかし、本実施の形態のようにレンズ固定部に一枚の基盤を採用し、この基盤に２つのレンズを設けてレンズ固定基盤１０２を形成するようにした場合では、右目用レンズ１１０と左目用レンズ１１１を直接基盤に設けるようにすると、それぞれのレンズの中心が水平になるようにレンズ固定基盤１０２を形成しなければならなくなり、高度な技術を必要とするため、製造効率が下がるだけでなく、製造コストを上げる要因になってしまうという問題を有している。この問題は、基盤に紙を採用した場合に特に顕著に生じてしまう。すなわち、紙は歪みやすいため、右目用レンズ１１０と左目用レンズ１１１のそれぞれの中心が水平になるようにレンズ固定基盤１０２を形成することは、とても高度な技術を必要とするために製造効率が下がり、その結果、製造コストがあがってしまっていた。そこで、レンズの外周と貼着してレンズを固定するレンズ外側固定部１１２にレンズをそれぞれ固定し、レンズが固定されたレンズ外側固定部１１２を基盤に設けるようにしてレンズ固定基盤１０２を形成すれば、レンズ外側固定部１１２の材料費が必要になるが、レンズはレンズ外側固定部１１２によって右目用レンズ１１０の中心１１３と左目用レンズ１１１の中心１１４が略水平になるよう固定されるようになるため、高度な技術を必要とせずにレンズ固定基盤１０２を形成することが可能になり、製造効率を向上させることが可能になる。
【００９５】
更に、レンズ外側固定部１１２は、レンズを形成する際に、一緒に形成すれば、右目用レンズ１１０の中心１１３と左目用レンズ１１１の中心１１４をより水平にすることが可能であるため好ましい。ここで、一緒に形成するとは、右目用レンズ１１０と左目用レンズ１１１とレンズ外側固定部１１２を形成するそれぞれの金型を一体にし、一回の流し込みによってレンズ外側固定部１１２に、右目用レンズ１１０と左目用レンズ１１１が設けられるようにするということである。このようにすることによって、右目用レンズ１１０の中心１１３と左目用レンズ１１１の中心１１４をより水平にすることが可能である。更に、レンズ外側固定部１１２にレンズを固定するという工程を減らす事が可能になるため、レンズを触る回数を減らすことが可能になり、レンズに傷が付くことを防ぐことが可能になる。また、レンズ外側固定部１１２にレンズを設ける工程を減らすことが可能になるため、製造コストを抑える事が可能になる。なお、レンズ固定基板２を形成する方法は任意の方法を採用することが可能であり、右目用レンズ１１０と左目用レンズ１１１とレンズ外側固定部１１２の金型を一体にして、右目用レンズ１１０と左目用レンズ１１１を形成するのと一緒にレンズ外側固定部１１２を形成してしまうようにすることも可能であるし、例えば、右目用レンズ１１０と左目用レンズ１１１は、レンズ外側固定部１１２とは別に形成し、それぞれのレンズをレンズ外側固定部１１２の所定の位置に固定させた後、レンズが設けられたレンズ外側固定部１１２を、基板に設けてレンズ固定基板２を形成するようにしてもよい。更に、レンズ外側固定部１１２を使用しないで、例えば、レンズ固定基板２に直接、右目用レンズ１１０と左目用レンズ１１１を設けるようにすることも可能である。また、レンズを形成する際は公知の材料を採用して形成することが可能である。また、レンズ外側固定部１１２もレンズを固定することが可能であれば公知の材料を採用して形成することが可能である。
【００９６】
なお、本実施の形態では、レンズ固定部には、一枚の基盤に、右目用レンズ１１０と左目用レンズ１１１が設けられたレンズ外側固定部１１２を設けた、レンズ固定基盤１０２を採用したが、これに限定する必要はなく、少なくとも２つのレンズを固定する事が可能であり、上基盤１０４と連接可能であれば、レンズ固定部は任意の形状を採用する事が可能である。例えば、双眼鏡のように、２つの筒状の基盤を採用し、この筒状の中部でレンズを固定するようにすることも可能である。なお、２つの筒状の物を採用し、この筒状の中でレンズを固定するようにした場合は、上基盤１０４と連接するレンズ固定部の上部は少なくとも2つ存在するようになるため、上基盤１０４と連接する上山折線部１１５も少なくとも２つ存在するようになる。
【００９７】
また図７において、右目用レンズ１１０は、レンズ固定基盤１０２の２つの対角線の交点であるレンズ固定基盤１０２の中心１１６から水平右方向に略３．１５ｃｍ離れた点に、右目用レンズ１１０の中心１１３が位置するように設けられており、その形状は、直径が２．８ｃｍの円である。左目用レンズ１１１も同様に、レンズ固定基盤１０２の中心１１６から水平左方向に略３．１５ｃｍ離れた点に、左目用レンズ１１１の中心１１４が位置するように設けられており、その形状は直径が２．８ｃｍの円である。また、右目用レンズ１１０の中心１１３から左目用レンズ１１１の中心１１４までの距離は、本実施の形態では、人間の右目と左目の間隔の標準値である６．３ｃｍになるようにしている。なお、右目用レンズ１１０の中心１１３から左目用レンズ１１１の中心１１４までの距離は、これに限定する必要は無く、ビュアー１００を使用する対象者に合わせて任意の数値にすることが可能である。また、本実施の形態では、右目用レンズ１１０と左目用レンズ１１１は、その直径が２．８ｃｍの円であるがこれに限定する必要は無く任意の大きさにすることが可能である。しかし、あまりにもレンズを大きくすると、ビュアーの内部に余計な光が入ってしまう可能性が生じるため、レンズの大きさは、その直径が、２．５以上３．０以下である事が好ましい。また、それぞれのレンズの材料は公知のものを採用することが可能である。また、本実施の形態では、レンズの倍率は、右目用レンズ１１０と左目用レンズ１１１は共に５倍であるがこれに限定する必要はなく、より倍率の高いレンズや、より倍率の低いレンズを採用することも可能である。
【００９８】
後基盤１０３は、レンズ固定基盤１０２と略対向するように設けられており、レンズ固定基盤１０２と略同じ形状をしている。また、上基盤１０４は、レンズ固定基盤１０２の上辺と上山折線部１１５を介して連接し、かつ、後基盤１０３の上辺と後基盤上山折線部を介して連接しており、また、下基盤１０５は、レンズ固定基盤１０２の下辺とレンズ固定基盤下山折線部を介して連接し、かつ、後基盤１０３の下辺と後基盤下山折線部を介して連接している。また、右基盤１０６は、レンズ固定基盤１０２の右辺とレンズ固定基盤右山折線部を介して連接し、かつ、上基盤１０４の右辺と上基盤右山折線部を介して連接し、かつ、下基盤１０５の右辺と下基盤右山折線部を介して連接し、かつ後基盤１０３の右辺と後基盤右山折線部を介して連接しており、また、左基盤１０７は、レンズ固定基盤１０２の左辺とレンズ固定基盤左山折線部を介して連接し、かつ、上基盤１０４の左辺と上基盤左山折線部を介して連接し、かつ、下基盤１０５の左辺と下基盤左山折線部を介して連接し、かつ、後基盤１０３の左辺と後基盤左山折線部を介して連接している。本実施の形態では、レンズ固定基盤１０２と後基盤１０３の形状は略同じであり長方形をしている。また、上基盤１０４と下基盤１０５の形状は略同じであり長方形をしており、また、右基盤１０６と左基盤１０７の形状は略同じで長方形をしている。また、レンズ固定基盤１０２、後基盤１０３、上基盤１０４、下基盤１０５、右基盤１０６、及び、左基盤１０７の縦方向の長さはそれぞれ略同じであり、上基盤１０４、下基盤１０５、右基盤１０６、及び、左基盤１０７の横方向の長さも略同じである。結局、本実施の形態では、レンズ固定基盤１０２、後基盤１０３、上基盤１０４、下基盤１０５、右基盤１０６、及び、左基盤１０７によって略直方体のビュアー１００を形成している。なお、ビュアー１００の形状は、略直方体に限定する必要は無く、レンズ固定部２と上基盤１０４を有していれば、任意の形状を採用する事が可能であり、例えば、略立方体にすることも可能であるし、三角錐や四角錘等の錘状にすることも可能である。なお、立体視する際は、ビュアー１００を高さ方向に挟持する用になる為、ビュアー１００の高さはあまり高くないほうがよい。なお、ビュアー１００の高さとは、下基盤１０５が下になるようにビュアーを置いた際の、垂直方向の長さである。つまり、立体視する際は、右基盤１０６と左基盤１０７を縦方向に挟持するようになるため、右基盤１０６と左基盤１０７の縦方向の長さは、横方向の長さよりも短い方が好ましく、更に具体的には、２ｃｍ以上、８ｃｍ以下である事が好ましいが、これに限定するわけではない。
【００９９】
また、レンズ固定基盤１０２、後基盤１０３、上基盤１０４、下基盤１０５、右基盤１０６、及び、左基盤１０７は、プラスチックの黒い基盤よりなり、ビュアー１００に光を集めることと、ビュアー１００の内部を暗くすることを可能にしている。すなわち、本願発明のビュアーは、透過物品用のビュアーであるため、ビュアーの内部を暗くし、透過光のみが照射されるようにした方が、より美しい立体画像を得る事が可能になる。本実施の形態では、黒い基盤によってビュアー１００が構成されているため、ビュアー１００の内部を暗くする事が可能であり、その結果、より美しい立体画像を得ることを可能にしている。また、ビュアー１００の外部も黒いため、ビュアー１００に光を集める事を可能にしている。なお、レンズ固定基盤１０２、後基盤１０３、上基盤１０４、下基盤１０５、右基盤１０６、及び、左基盤１０７には、任意の材料を採用する事が可能であり、プラスチックの基盤より形成することに限定する必要はなく、また、その色も黒いことに限定する必要はない。例えば、紙やアルミや木等を採用してもよい。また、その色も任意の色を採用する事が可能であるが、ビュアー１００の内部を暗くした方が、美しい立体画像を得る事が可能になるため、各基盤の面のうち、ビュアー１００の内部側になる面には暗色を採用したり、基盤の表面に暗色層を設ける事が好ましいが、これに限定するわけではない。
【０１００】
また、上基盤１０４には、本願発明のビュアー用カートリッジ１０９を装着する事が可能なビュアー用カートリッジ装着部１０８が形成され、このビュアー用カートリッジ装着部１０８にビュアー用カートリッジ１０９が装着されてビュアー１００を構成している。また、本実施の形態では、ビュアー用カートリッジ装着部１０８は、ビュアー用カートリッジ１０９と略同じ形状である略直方体をした凹部であり、ビュアー用カートリッジ１０９を装着すると、装着されたビュアー用カートリッジ１０９の上支持基盤１１７のみが表面に現れるようになる。また、ビュアー用カートリッジ装着部１０８は、ビュアー用カートリッジ１０９を装着した際に、上基盤１０４とビュアー用カートリッジ１０９の上支持基盤１１７が略同じ高さになるように形成されている。なおこれに限定する必要は無く、ビュアー用カートリッジ装着部１０８は、ビュアー用カートリッジ１０９を装着する事が可能であれば、上基盤１０４に任意の形状で設ける事が可能である。しかし、ビュアー用カーリッジ装着部８にビュアー用カートリッジ１０９を装着した際に、ビュアー用カートリッジ１０９の上支持基盤１１７に形成された採光窓をビュアー用カートリッジ装着部１０８やビュアーの上基盤１０４等によって遮ってしまうと、光を画像に当てる事ができなくなり、ビュアーとしての機能を果たさなくなってしまうため、ビュアー用カートリッジ装着部１０８は、少なくともビュアー用カートリッジ１０９の上支持基盤１１７に形成された採光窓を遮らないような形状にする事が必要であり、具体的には、ビュアー用カートリッジ装着部１０８は、ビュアー用カートリッジ１０９の上支持基盤１１７以外の基盤を係止することによりビュアー用カートリッジ１０９を保持する構造にする必要がある。
【０１０１】
また、ビュアー用カートリッジ装着部１０８は、ビュアー用カートリッジ１０９を装着した際に、右目用レンズ１１０の中心１１３から水平方向に延ばした直線である右目用レンズ１１０の中心軸１１８上に、ビュアー用カートリッジ１０９に設けられた右目用画像１１９の中心１２０が略位置し、かつ、左目用レンズ１１１の中心１１４から水平方向に延ばした直線である左目用レンズ１１１の中心軸１２１上に、ビュアー用カートリッジ１０９に設けられた左目用画像１２２の中心１２３が略位置することが可能になるような位置に形成されている。このような位置にビュアー用カートリッジ装着部１０８を形成することによって、右目用レンズ１１０と左目用レンズ１１１からそれぞれの画像を容易に見る事が可能になる。
【０１０２】
図８は、図７のビュアーにおいて、ビュアー用カートリッジ１０９を取り出した状態を示した正面図である。なお、図８において、実線は、ビュアーを図７の角度から見た際に見える部分であり、点線部は、ビュアーを図７の角度から見た際に見えないが、存在する部分である。
【０１０３】
また、図８において、図７と同じ番号を付したものは同じものであるため、説明を割愛し、１２５は前内部基盤、１２６は右内部基盤、１２７は左内部基盤、１２８は後内部基盤、１２９は下内部基盤、１３０は前基盤、１３１は前内部基盤上山折線部、１３２はカートリッジ後基盤、１３３は後内部基盤上山折線部、１３４は右内部基盤上山折線部、１３５はカートリッジ右基盤、１３６はカートリッジ左基盤、１３７はカートリッジ下基盤、１３８は右目用採光窓、１３９は左目用採光窓、１４０は左内部基盤上山折線部、１４１は窓、１４２は閲覧用窓、１４５は右目用採光窓１３８の中心、１４６は左目用採光窓１３９の中心、１４７は右目用透過光採光窓、１４８は左目用透過光採光窓、１４９は右目用採光窓１３８の前辺から、前基盤１３０の上辺までの距離、１５０は左目用採光窓１３９の前辺から、前基盤１３０の上辺までの距離、１５１は右目用採光窓１３８の左辺、１５２は左目用採光窓１３９の右辺、１５３は右目用採光窓前山折線部、１５４は左目用採光窓前山折線部、１５５は右目用透過光採光窓１４７の中心、１５６は左目用透過光採光窓１４８の中心、１５７は右目用拡散基盤、１５８は左目用拡散基盤、１５９は右目用採光窓後山折線部、１６０は右目用透過光採光窓下谷折線部、１６１は左目用採光窓後山折線部、１６２は左目用透過光採光窓下谷折線部、１６３は右目用右支持基盤、１６４は右目用左支持基盤、１６５は左目用右支持基盤、１６６は左目用左支持基盤、１６７は右目用採光窓右山折線部、１６８は右目用拡散基盤右谷折線部、１６９は右目用採光窓左山折線部、１７０は右目用拡散基盤左谷折線部、１７１は左目用採光窓右山折線部、１７２は左目用拡散基盤右谷折線部、１７３は左目用採光窓左山折線部、１７４は左目用拡散基盤左谷折線部である。
【０１０４】
図８において、ビュアー用カートリッジ装着部１０８は上基盤１０４に設けられており、前内部基盤１２５と、右内部基盤１２６と、左内部基盤１２７と、後内部基盤１２８と、下内部基盤１２９によって形成されている。前内部基盤１２５は、ビュアー用カートリッジ１０９の前基盤１３０と略同じ形状であり、上基盤１０４の上山折線部１１５から略３ｃｍ離れたところに位置する前内部基盤上山折線部１３１を介して連接しており、レンズ固定基盤１０２と略並行している。また、後内部基盤１２８は、ビュアー用カートリッジ１０９のカートリッジ後基盤１３２と略同じ形状であり、上基盤１０４と後内部基盤上山折線部１３３を介して連接し、前内部基盤１２５と略平行するように設けられている。右内部基盤１２６は、上基盤１０４と右内部基盤上山折線部１３４を介して連接し、かつ、前内部基盤１２５の右片と前内部基盤右谷折線部を介して連接し、かつ、後内部基盤１２８の右辺と後内部基盤右谷折線部を介して連接しており、ビュアー用カートリッジ１０９のカートリッジ右基盤１３５と略同じ形状をしている。また、左内部基盤１２７は、上基盤１０４と左内部基盤上山折線部１４０を介して連接し、かつ、前内部基盤１２５の左片と前内部基盤左谷折線部を介して連接し、かつ、後内部基盤１２８の左辺と後内部基盤左谷折線部を介して連接しており、ビュアー用カートリッジ１０９のカートリッジ左基盤１３６と略同じ形状をしている。また、下内部基盤１２９は、前内部基盤１２５の下辺、後内部基盤１２８の下辺、右内部基盤１２６下辺、及び、左内部基盤１２７の下辺と、それぞれ、前内部基盤下谷折線部、後内部基盤下谷折線部、右内部基盤下谷折線部、及び、左内部基盤下谷折線部を介して連接しており、ビュアー用カートリッジ１０９のカートリッジ下基盤１３７と略同じ形状をしている。結局、ビュアー用カートリッジ装着部１０８は、前内部基盤１２５と、右内部基盤１２６と、左内部基盤１２７と、後内部基盤１２８と、下内部基盤１２９によって、ビュアー用カートリッジ１０９と略同じ形状をした、直方体の凹部を形成しており、ビュアー用カートリッジ１０９を装着すると、装着されたビュアー用カートリッジ１０９の上支持基盤１１７のみが表面に現れるようになる。
【０１０５】
更に、本実施の形態では、ビュアー用カートリッジ装着部１０８にビュアー用カートリッジ１０９を装着した際は、カートリッジ下基盤１３７が下内部基盤１２９によって支えられ、かつ、前内部基盤１２５とビュアー用カートリッジ１０９の前基盤１３０が略間隙無く接し、かつ、右内部基盤１２６とカートリッジ右基盤１３５が略間隙無く接し、かつ、左内部基盤１２７とカートリッジ左基盤１３６が略間隙無く接し、かつ、後内部基盤１２８とカートリッジ後基盤１３２が隙間無く接して、ビュアー用カートリッジ１０９を固定する。よって、ビュアー用カートリッジ装着部１０８にビュアー用カートリッジ１０９を装着した際は、ビュアー用カートリッジ装着部１０８とビュアー用カートリッジ１０９との間に間隙は形成されない。しかし、このようにビュアー用カートリッジ装着部１０８を形成した場合でも、本実施の形態のように、右目用採光窓１３８と左目用採光窓１３９を互いに接しないように設ける事によって、右目用採光窓１３８と左目用採光窓１３９に指を入れ、右目用採光窓１３８の左辺と左目用採光窓１３９の右辺を挟持することによってビュアー用カートリッジ１０９をビュアー用カートリッジ装着部１０８から外す事が可能になる。なお、本実施の形態に限定する必要は無く、ビュアー用カートリッジ装着部１０８はビュアー用カートリッジ１０９の上支持基盤１１７に設けられた採光窓を遮る事が無ければ任意の形状にする事が可能であるし、ビュアー用カートリッジ１０９の取り出し方も任意のやり方を採用する事が可能である。例えば、前内部基盤上山折線部１３１と後内部基盤上山折線部１３３とこれらの近傍の上基盤１０４に、ビュアー１００を取り出す際に指を入れるための凹部を形成するようにしてもよいし、右内部基盤上山折線部１３４と左内部基盤上山折線部１４０とこれらの近傍の上基盤１０４にビュアー１００を取り出す際に指を入れるための凹部を形成するようにしてもよいがこれに限定するわけではない。
【０１０６】
また本実施の形態のビュアー用カートリッジ装着部１０８では、前内部基盤１２５に窓１４１が形成されており、レンズから画像を見る事が可能になっている。本実施の形態の窓１４１は、ビュアー用カートリッジ１０９の閲覧用窓１４２と略同じ形状であり、ビュアー用カートリッジ１０９をビュアー用カートリッジ装着部１０８に装着した際には、ビュアー用カートリッジ１０９が有する閲覧用窓１４２と、ビュアー用カートリッジ装着部１０８の前内部基盤１２５に形成された窓１４１とが略一致する位置に設けられている。なお、ビュアー用カートリッジ１０９を装着した際に、画像を閲覧する事が可能になるよう、少なくとも、右目用レンズ１１０の中心軸１１８と左目用レンズ１１１の中心軸１２１が前内部基盤１２５と交わる点周辺は、前内部基盤１２５が存在しないようにするために、少なくとも、右目用レンズ１１０の中心軸１１８と左目用レンズ１１１の中心軸１２１が前内部基盤１２５と交わる点周辺には窓１４１が位置するようにすれば、窓１４１は、任意の形状を採用する事が可能であり、また、その個数も任意の数設ける事が可能であり、本実施の形態に限定するわけではない。更に、ビュアー用カートリッジ装着部１０８は、ビュアー用カートリッジ１０９が有する画像を閲覧する事が可能になれば、窓１４１を有してなくてもよい。例えば、ビュアー用カートリッジ１０９に前内部基盤を設けなければ、窓１４１を形成しなくても、ビュアー用カートリッジ１０９が有する画像を閲覧する事が可能になる。なお、これに限定する必要は無く、ビュアー用カートリッジ装着部１０８は、ビュアー用カートリッジ１０９を固定し、かつ、ビュアー用カートリッジ１０９が有する画像を閲覧する事が可能であれば、任意の形状を採用する事が可能である。
【０１０７】
また、前内部基盤１２５、後内部基盤１２８、右内部基盤１２６、左内部基盤１２７、及び、下内部基盤１２９は、上基盤１０４と同様にプラスチックの黒い基盤より形成されている。なお、本実施の形態に限定する必要は無く、例えば、ビュアー用カートリッジ装着部１０８を、上基盤１０４と異なる材料を使用して形成することも可能であり、ビュアー用カートリッジ装着部１０８にどのような材料を採用するのかは、ビュアー１００の使用対象者やデザイン等によって任意に定める事が可能である。
【０１０８】
また、上基盤１０４に設けられたビュアー用カートリッジ装着部１０８には、ビュアー用カートリッジ１０９が装着される。本実施の形態では、ビュアー用カートリッジ１０９は、前基盤１３０、上支持基盤１１７、カートリッジ後基盤１３２、カートリッジ右基盤１３５、カートリッジ左基盤１３６、及び、カートリッジ下基盤１３７よりなり、略長方形の形状をしている。また、ビュアー用カートリッジ１０９の前基盤には、ビュアー用カートリッジ１０９をビュアー用カートリッジ装着部１０８に装着した際に、レンズから画像が閲覧可能になるよう、閲覧用窓１４２が設けられている。本実施の形態では、閲覧用窓１４２は、その長軸を前基盤の横方向の長さよりも若干短い長さ、短軸を前基盤１３０の縦方向の長さよりも若干短い長さとする楕円であるがこれに限定する必要は無く、閲覧用窓１４２は、閲覧用窓１４２から画像が見えるようであれば、任意の形状、大きさを採用する事が可能であるし、設ける数も１つに限定する必要は無い。例えば、画像と略同じ形状の閲覧用窓１４２を２つ前基盤１３０に設けることも可能であるし、また、ハート型や鍵の形をした閲覧用窓１４２を採用してもよい。このようにハート型や鍵の形をした閲覧用窓１４２を採用することによって、ビュアー用カートリッジ１０９の外観をより面白くする事が可能になり、興味を惹きつけるつける事が可能になる。また、例えば、前基盤４０を透明な基盤にして、前基盤４０全体を閲覧用窓１４２とすることも可能である。なおこれらに限定する必要は無く、閲覧用窓１４２の形状、大きさ、数は任意に決定する事が可能である。なお、閲覧用窓１４２をどのように設けても、ビュアー用カートリッジ１０９をビュアー用カートリッジ装着部１０８に装着した際に、レンズから画像が見えるようにする必要がある。また、例えば、画像に主部と客部が存在する場合は、レンズから見た際に、少なくとも画像の主部を見る事が可能になるように、閲覧用窓１４２を設ける事が好ましい。ここで、画像の主部とは、画像のうち最も立体視したいと感じる部分であり、客部とは画像のうち主部以外の部分をさす。例えば、人物と背景であれば、主部は人物であり、客部は背景である。なお、一般的に、立体視する際には、画像のうち、視線の延長上に位置する部分の方が、立体視を容易に行う事が可能になるため、画像の主部は視線の延長上に位置するように、具体的には、画像の中央部に位置する事が多い。よって、更に好ましくは、レンズから見た際に、少なくとも画像の中央部分を見る事が可能になるように、少なくとも、右目用レンズ１１０の中心軸１１８上と左目用レンズ１１１の中心軸１２１上の、それぞれの中心軸上に、閲覧用窓１４２が存在するように設ける事が好ましい。なお、閲覧用窓１４２から画像全体が見えるようにした方がより好ましいが、これに限定する必要は無く、閲覧用窓１４２からは画像の一部のみしか見えないようにしてもよい。
【０１０９】
また、上支持基盤１１７には、採光窓である右目用採光窓１３８と左目用採光窓１３９が設けられている。本実施の形態では、右目用採光窓１３８は、ビュアー用カートリッジ１０９をビュアー用カートリッジ装着部１０８に装着した際に、右目用レンズ１１０の中心１１３から水平方向に引いた直線である右目用レンズ１１０の中心軸１１８と、右目用採光窓１３８の中心１４５から垂直方向に引いた直線が略交わるような位置に設けられている。また、左目用採光窓１３９は、ビュアー用カートリッジ１０９をビュアー用カートリッジ装着部１０８に装着した際に、左目用レンズ１１１から水平方向に引いた直線である左目用レンズ１１１の中心軸１２１と、左目用採光窓１３９の中心１４６から垂直方向に引いた直線が略交わるような位置に設けられている。このように右目用採光窓１３８と左目用採光窓１３９を設けることによって、十分な光を透過光採光窓に提供する事がより可能になると同時に、ビュアー用カートリッジ１０９をビュアー用カートリッジ装着部１０８に装着した際に、体の向きが限定されることなく、容易に立体視する事がより可能になる。
【０１１０】
また、右目用採光窓１３８と左目用採光窓１３９は略矩形の形をしており、互いの中心が一直線上に並ぶように設けられている。なお、これに限定する必要は無く、右目用採光窓１３８と左目用採光窓１３９は任意の形状を採用する事が可能であり、また、任意の位置に設ける事が可能である。例えば、星やハートのように公知の形状にすることも可能であるし、また例えば、上支持基盤１１７に顔等の絵柄を書き、その絵柄の一部を右目用採光窓１３８と左目用採光窓１３９とするようにしても良く、任意の形状を採用する事が可能である。なお、これらに限定するわけではない。ただし、右目用採光窓１３８の前基盤１３０側の辺である前辺からは、右目用透過光採光窓１４７が連接するため、右目用透過光採光窓１４７が設けやすくなるよう、右目用採光窓１３８の前辺が直線になるように右目用採光窓１３８を設ける事が好ましく、また左目用採光窓１３９の前基盤１３０側の辺である前辺からは、左目用透過光採光窓１４８が連接するため、左目用透過光採光窓１４８が設けやすくなるよう、左目用採光窓１３９の前辺が直線になるように左目用採光窓１３９を設ける事が好ましいがこれに限定する必要は無い。また、あまりにも大きな右目用採光窓１３８と左目用採光窓１３９を、上支持基盤１１７に設けてしまうと、上支持基盤１１７の強度が弱くなってしまう事が考えられ、逆に、あまりにも小さい右目用採光窓１３８と左目用採光窓１３９を、上支持基盤１１７に設けてしまうと、立体視するために十分な光を右目用透過光採光窓１４７及び左目用透過光採光窓１４８に提供する事が困難になってしまう場合が考えられるため、右目用採光窓１３８及び左目用採光窓１３９の大きさは、少なくとも右目用画像１１９と左目用画像１２２の大きさと同じである事が好ましく、また、上支持基盤１１７の面積の２分の１よりも小さい面積である方が好ましい。なお、本実施の形態では、右目用採光窓１３８と左目用採光窓１３９の２つの採光窓を上支持基盤１１７に設けたが、これに限定する必要は無く、上支持基盤１１７に形成する採光窓は、１つであってもよい。なお、採光窓を１つだけにした場合も、採光窓の大きさは、少なくとも立体視する画像の２つ分の大きさよりも大きい方が好ましく、また、上支持基盤１１７の大きさよりも小さい方が好ましい。また、採光窓を１つだけ設ける際も、採光窓の任意の点から引いた２つ垂線が、２つのレンズのそれぞれの中心軸と略交わることが可能になる位置に設けた方が、それぞれの画像の背後により光を提供する事が可能になると同時に、ビュアー用カートリッジ装着部１０８にビュアー用カートリッジ１０９を装着した際に、体の向きが限定されること無く容易に立体視する事が可能になるためより好ましいが、これに限定するわけではない。
【０１１１】
また、本実施の形態では、右目用採光窓１３８の中心１４５から左目用採光窓１３９の中心４５までの距離は６．３ｃｍである。なお、右目用採光窓１３８の中心１４５から左目用採光窓３８の中心４５までの距離に６．３ｃｍという数字を採用したのは、６．３ｃｍが人間の右目と左目の間隔の標準値であるからであるが、これに限定する必要は無く、ビュアーを使用する対象者に合わせて任意の数値にすることが可能である。また、右目用採光窓１３８と左目用採光窓１３９の縦方向の長さと横方向の長さは同じであり、右目用画像１１９と左目用画像１２２の縦方向の長さと横方向の長さと略同じになるようにするために、縦方向の長さは２３ｍｍであり、横方向の長さは２４ｍｍであるが、これに限定する必要はなく、任意の形状、及び、大きさを採用する事が可能である。
【０１１２】
また、本実施の形態では、右目用採光窓１３８は、右目用採光窓１３８の各辺のうち、ビュアー用カートリッジ１０９の前基盤１３０側の辺である前辺から、前基盤１３０の上辺までの距離１４９が約２ｃｍになるように上支持基盤１１７に設けられており、また、左目用採光窓１３９は、左目用採光窓１３９の各辺のうち、ビュアー用カートリッジ１０９の前基盤１３０側の辺である前辺から前基盤１３０の上辺までの距離１５０が訳２ｃｍになるように上支持基盤１１７に設けられている。これは、ビュアー用カートリッジ１０９をビュアー用カートリッジ装着部１０８に装着して立体視した際に、レンズから画像までの距離が、約５ｃｍになるようにするためである。
【０１１３】
つまり、本願発明では、右目用透過光採光窓１４７が右目用採光窓１３８の前基盤１３０側の辺である前辺と連接して設けられ、また、左目用透過光採光窓１４８が左目用採光窓１３９の前基盤１３０側の辺である前辺と連接して設けられる。更に、右目用画像１１９が、右目用レンズ１１０と右目用透過光採光窓１４７の間に位置するように設けられ、また、左目用画像１２２が、左目用レンズ１１１と左目用透過光採光窓１４８の間に位置するように設けられる。よって、右目用採光窓１３８と左目用採光窓１３９を、上支持基盤１１７のうち、前基盤１３０の上辺の近傍に設けてしまうと、ビュアー用カートリッジ装着部１０８にビュアー用カートリッジ１０９を装着した際に、レンズと画像の間に十分な距離を得る事ができないため、焦点が合わなくなり、立体視が困難になってしまう場合が考えられる。逆に、右目用採光窓１３８と左目用採光窓１３９を、上支持基盤１１７のうち、カートリッジ後基盤１３２の上辺の近傍に設けてしまうと、焦点を容易に合わせる事が可能な位置に画像を配置することが可能になるが、画像と透過光採光窓の間に距離ができてしまい、十分な透過光が画像の背後に当たらなくなってしまう場合が考えられる。一般的に、立体視が可能になるようなレンズと画像までの距離は、数１によって定まる長さと言われている。よって、本実施の形態では、５倍のレンズを採用しているため、レンズから画像までの距離を約５ｃｍにすると、容易に焦点を合わせる事が可能になると同時に、透過光採光窓と画像が近接するようになるため、画像の背後に十分な透過光を提供することが可能になる。
【０１１４】
なお、本実施の形態に限定する必要は無く、右目用採光窓２６は、右目用透過光採光窓３７に光を提供する事ができれば上基盤１０４の任意の位置に設ける事が可能であり、また、左目用採光窓２７は、左目用透過光採光窓３８に光を提供する事ができれば上支持基盤１１７の任意の位置に設ける事が可能である。ただし、上述した理由により、右目用採光窓１３８と左目用採光窓１３９を設ける位置は、ビュアー用カートリッジ装着部１０８にビュアー用カートリッジ１０９を設けた際に、レンズと画像との間で、立体視可能な距離を得る事が可能であり、更に、右目用透過光採光窓１４７と左目用透過光採光窓１４８によって画像の背後に十分な透過光を提供することが可能になる位置であることが好ましく、具体的には、ビュアー用カートリッジ装着部１０８にビュアー用カートリッジ１０９を装着した際に、右目用レンズ１１０の中心１１３から、右目用透過光採光窓１４７までの水平方向の距離が、数１によって定まる長さと略同じ、もしくは、数１で定まる長さに略０．３ｃｍ〜３ｃｍ加えた長さになるように右目用採光窓１３８を設ける事が好ましく、また、左目用レンズ１１１の中心１１４から、左目用透過光採光窓１４８までの水平方向の距離が、数１によって定まる長さと略同じ、もしくは、上述した数１で定まる長さに略０．３ｃｍ〜３ｃｍ加えた長さになるように左目用採光窓１３９を設けることが好ましいがこれに限定するわけではない。
【０１１５】
また、本実施の形態では、右目用採光窓１３８と左目用採光窓１３９とが、接しないように設けられているため、右目用採光窓１３８と左目用採光窓１３９との間には、境界となる辺である右目用採光窓１３８の左辺１５１と左目用採光窓１３９の右辺１５２が存在する。よって、指で右目用採光窓１３８の左辺１５１と左目用採光窓１３９の右辺１５２とを挟持することによって、ビュアー用カートリッジ１０９を持ち上げる事が可能になる。例えば、人差し指で右目用採光窓１３８の左辺１５１を押さえ、また、親指で左目用採光窓１３９の右辺１５２を押さえることによって、ビュアー用カートリッジ１０９を持ち上げる事が可能になり、その結果、ビュアー１００にビュアー用カートリッジ１０９取り出し用の凹部等を設けなくても、ビュアー用カートリッジ１０９を取り出す事が可能になるためビュアー１００の構造をより単純にする事が可能になる。
【０１１６】
また、右目用採光窓１３８の前基盤１３０側の辺である前辺と、右目用採光窓前山折線部１５３を介して連接し、かつ、閲覧用窓１４２と略対向するように右目用透過光採光窓１４７が設けられている。また、左目用透過光採光窓１４８も同様に、左目用採光窓１３９の前基盤１３０側の辺である前辺と、左目用採光窓前山折線部１５４を介して連接し、かつ、閲覧用窓１４２と略対向するように左目用透過光採光窓１４８が設けられている。更に、右目用画像１１９が、右目用透過光採光窓１４７と略接するように、右目用透過光採光窓１４７と閲覧用窓１４２の間に設けられており、左目用画像１２２が、左目用透過光採光窓１４８と略接するように、左目用透過光採光窓１４８と閲覧用窓１４２の間に設けられている。また、本実施の形態では、右目用画像１１９の中心１２０と右目用透過光採光窓１４７の中心１５５は、右目用レンズ１１０の中心軸１１８上に位置するように設けられており、左目用画像１２２の中心１２３と左目用透過光採光窓１４８の中心１５６は、左目用レンズ１１１の中心軸１２１上に位置するように設けられている。このように、それぞれのレンズの中心軸上に、それぞれの透過光採光窓の中心とそれぞれの画像の中心が、それぞれ位置するように透過光採光窓と画像を設けることによって、少なくとも画像の中央部に透過光を提供する事が可能になると同時に、ビュアー用カートリッジ１０９をビュアー用カートリッジ装着部１０８に装着した際に、体の向きが限定されることなく、容易に立体視する事が可能になる。なお、これに限定する必要は無く、右目用透過光採光窓１４７、左目用透過光採光窓１４８、右目用画像１１９、及び、左目用画像１２２は、任意の位置に設ける事が可能である。しかし、右目用透過光採光窓１４７と右目用画像１１９が、同一直線上に位置するように設けたほうが右目用画像１１９の背後に光をより提供する事が可能になり、また、左目用透過光採光窓１４８と左目用画像１２２が、同一直線上に位置するように設けたほうが左目用画像１２２の背後に光をより提供する事が可能になるため好ましい。更には、右目用透過光採光窓１４７の中心１５５と右目用画像１１９の中心１２０が、右目用レンズ１１０の中心軸１１８上に位置するように設け、かつ、左目用透過光採光窓１４８の中心１５６と左目用画像１２２の中心１２３が、左目用レンズ１１１の中心軸１２１上に位置するように設けたほうが、それぞれの画像の背後により光を提供する事が可能になると同時に、ビュアー用カートリッジ装着部１０８にビュアー用カートリッジ１０９を装着した際に、体の向きが限定されること無く容易に立体視する事が可能になるためより好ましいが、これに限定するわけではない。
【０１１７】
また、本実施の形態では、右目用透過光採光窓１４７と左目用透過光採光窓１４８の形状と大きさを、右目用画像１１９と左目用画像１２２と略同じ形状と大きさにするために、右目用透過光採光窓１４７と左目用透過光採光窓１４８は、略矩形の形状で、その縦方向の長さは２３ｍｍであり、その横方向の長さは２４ｍｍである。このように、右目用透過光採光窓１４７と左目用透過光採光窓１４８の形状と大きさを、右目用画像１１９と左目用画像１２２と略同じ形状と大きさし、右目用画像１１９を右目用透過光採光窓１４７と略一致するように設け、また、左目用画像１２２を左目用透過光採光窓１４８と略一致するように設けることによって、画像の背後のみに透過光を提供することが可能になり、ビュアー用カートリッジ１０９をビュアー用カートリッジ装着部１０８に装着した際に、美しい立体画像を得る事が可能になる。
【０１１８】
つまり、本願発明が対象とするビュアーは、透過物品用のビュアーである。よって、画像の背後以外の部分に光が当たってしまうと、美しい立体画像を得る事ができなくなってしまう。よって、右目用透過光採光窓１４７と左目用透過光採光窓１４８を、それぞれ右目用画像１１９と左目用画像１２２と略同じ大きさにし、右目用画像１１９を右目用透過光採光窓１４７と略一致するように設け、また、左目用画像１２２を左目用透過光採光窓１４８と略一致するように設けることによって、余計な光がビュアー１００の内部に入る事を防ぐ事が可能になり、画像の背後のみに光を提供する事が可能になるため、より美しい立体画像を得る事が可能になる。ここで、右目用画像１１９と左目用画像１２２と略同じ大きさとは、右目用透過光採光窓１４７と左目用透過光採光窓１４８の大きさが、右目用画像１１９と左目用画像１２２の大きさと同じ大きさが好ましいが、これに限定するわけではなく、右目用画像１１９と左目用画像１２２の大きさよりも０．５ｍｍ以上５ｍｍ以下大きくてもよいし、また、右目用画像１１９と左目用画像１２２の大きさよりも０．５ｍｍ以上５ｍｍ以下小さくてもよい。なお、本実施の形態では、右目用透過光採光窓１４７と左目用透過光採光窓１４８の２つの透過光採光窓を設けたが、これに限定する必要は無く、透過光採光窓は、一つであってもよい。なお、透過光採光窓を１つだけにした場合も、透過光採光窓の大きさは、少なくとも立体視する２つの画像を合わせた大きさと略同じであることが好ましい。
【０１１９】
ここで、右目用採光窓１３８の前辺とは、右目用採光窓１３８の各辺のうち、前基盤１３０側の辺であり、また、左目用採光窓１３９の前辺とは、左目用採光窓１３９の各辺のうち、前基盤１３０側の辺である。なお、本実施の形態では、右目用採光窓１３８と左目用採光窓１３９は略矩形をしているため、右目用採光窓１３８の前基盤１３０側の辺と左目用採光窓１３９の前基盤１３０側の辺は一つであるが、これに限定する必要はなく、２つ以上存在してもよい。例えば、右目用採光窓１３８と左目用採光窓１３９が多角形の場合等では、右目用採光窓１３８の各辺のうち、前基盤１３０側に存在する辺が２つ以上存在するために、右目用透過光採光窓１４７と連接する前辺が少なくとも２つ存在するということも考えられ、同様に、左目用採光窓１３９の各辺のうち、前基盤１３０側に存在する辺が２つ以上存在するために、左目用透過光採光窓１４８と連接する前辺が少なくとも２つ存在するということも考えられる。このように、右目用透過光採光窓１４７と連接する右目用採光窓１３８の前辺は、右目用採光窓１３８の形状によって任意に定める事が可能であり、同様に、左目用透過光採光窓１４８と連接する左目用採光窓１３９の前辺は、左目用採光窓１３９の形状によって任意に定める事が可能である。
【０１２０】
なお、本実施の形態では、ビュアー用カートリッジ１０９の各基盤は、レンズ固定基盤１０２、後基盤１０３、上基盤１０４、下基盤１０５、右基盤１０６、及び、左基盤１０７と同様の、プラスチックの黒い基盤よりなり、ビュアー用カートリッジ１０９に光を集めることと、及び、ビュアー用カートリッジ１０９の内部を暗くすることを可能にしている。すなわち、本願発明のビュアー用カートリッジは、透過物品用のビュアー用カートリッジであるため、ビュアー用カートリッジの内部を暗くし、透過光のみが照射されるようにした方が、より美しい立体画像を得る事が可能になる。本実施の形態では、黒い基盤によってビュアー用カートリッジ１０９が構成されているため、ビュアー用カートリッジ１０９の内部を暗くする事が可能であり、その結果、より美しい立体画像を得ることを可能にしている。また、ビュアー用カートリッジ１０９の外部も黒いため、ビュアー用カートリッジ１０９に光を集める事を可能にしている。なお、ビュアー用カートリッジ１０９の各基盤、すなわち、前基盤１３０、上支持基盤１１７、カートリッジ下基盤１３７、カートリッジ右基盤１３５、カートリッジ左基盤１３６、及び、カートリッジ後基盤１３２には、任意の材料を採用する事が可能であり、プラスチックの基盤より形成することに限定する必要はなく、また、その色も黒いことに限定する必要はない。例えば、紙やアルミや木等を採用してもよい。また、その色も任意の色を採用する事が可能であるが、ビュアー用カートリッジ１０９の内部を暗くした方が、美しい立体画像を得る事が可能になるため、各基盤の面のうち、ビュアー用カートリッジ１０９の内部側になる面には暗色を採用したり、基盤の表面に暗色層を設ける事が好ましいがこれに限定するわけではない。
【０１２１】
また、右目用採光窓１３８と右目用透過光採光窓１４７をつなぐように、拡散基盤である右目用拡散基盤１５７が設けられ、また、左目用採光窓１３９と左目用透過光採光窓１４８をつなぐように、拡散基盤である左目用拡散基盤１５８が設けられている。右目用拡散基盤１５７は、右目用採光窓１３８のカートリッジ後基盤１３２側の辺である後辺と、右目用採光窓後山折線部１５９を介して連接し、かつ、右目用透過光採光窓１４７の各辺のうち、右目用採光窓前山折線部１５３と略対向する辺である下辺と、右目用透過光採光窓下谷折線部１６０を介して連接している。また、左目用拡散基盤１５８は、左目用採光窓１３９のカートリッジ後基盤１３２側の辺である後辺と、左目用採光窓後山折線部１６１を介して連接し、かつ、左目用透過光採光窓１４８の左目用採光窓前山折線部１５４と略対向する辺である下辺と、左目用透過光採光窓下谷折線部１６２を介して連接している。また、本実施の形態では、右目用拡散基盤１５７と左目用拡散基盤１５８は、湾曲していない平面状であり、その横方向の長さが２４ｍｍ、縦方向の長さが略３３ｍｍである長方形をしている。また、右目用拡散基盤１５７と右目用透過光採光窓１４７によって形成される角度は略４５度であり、左目用拡散基盤１５８と左目用透過光採光窓１４８によって形成される角度は略４５度である。よって、太陽や蛍光灯等の光源が、右目用透過光採光窓１４７と左目用透過光採光窓１４８の真上や、右目用透過光採光窓１４７と左目用透過光採光窓１４８の真上よりもレンズ側に位置している場合であっても、右目用拡散基盤１５７と左目用拡散基盤１５８によって光を反射する事が可能になり、右目用透過光採光窓１４７と左目用透過光採光窓１４８それぞれに光を届ける事が可能である。
【０１２２】
なお、右目用拡散基盤１５７と左目用拡散基盤１５８は、それぞれ右目用採光窓１３８と左目用採光窓１３９の形状と大きさ、及び、右目用透過光採光窓１４７と左目用透過光採光窓１４８の形状と大きさによって任意の大きさと形状にする事が可能であり、本実施の形態に限定するわけではない。更に、本実施の形態では、右目用拡散基盤１５７と左目用拡散基盤１５８は、湾曲していない平面状であるが、これに限定する必要は無く、右目用拡散基盤１５７と左目用拡散基盤１５８は、例えば、凹状や凸状に湾曲するようにしてもよい。更に、本実施の形態のように、右目用拡散基盤１５７と左目用拡散基盤１５８という２つの拡散基盤を形成することに限定する必要はなく、例えば、採光窓と透過光採光窓が一つの場合は設ける拡散基盤は１つであってもよい。なお、採光窓と透過光採光窓が１つの場合でも、拡散基盤を右目用と左目用に分けて設けることも可能であり、採光窓と透過光採光窓と拡散基盤をどのように設けるかは、任意に設計する事が可能である。例えば、一つの採光窓に対して、右目用透過光採光窓と左目用透過光採光窓を設け、右目用透過光採光窓と採光窓を連接するように右目用拡散基盤を設け、左目用透過光採光窓と採光窓を連接するように左目用拡散基盤を設けるようにしてもよいし、また、例えば、一つの採光窓に対して、一つの透過光採光窓を設け、透過光採光窓と採光窓を連接するように一つの拡散基盤を設けるようにしてもよいし、また、例えば、一つの採光窓に対して、一つの透過光採光窓を設け、透過光採光窓と採光窓を連接するように二つの拡散基盤を設けるようにしてもよい。なお、これらに限定するわけではなく、採光窓、透過光採光窓、及び、拡散基盤は、ビュアー用カートリッジ１０９の用途やデザイン等に応じて任意に設計する事が可能である。
【０１２３】
ここで、右目用採光窓１３８の後辺とは、右目用採光窓１３８の各辺のうち、カートリッジ後基盤１３２側の辺であり、右目用採光窓１３８の前辺と略対向する辺である。また、左目用採光窓１３９の後辺とは、左目用採光窓１３９の各辺のうち、カートリッジ後基盤１３２側の辺であり、左目用採光窓１３９の前辺と略対向する辺である。なお、本実施の形態では、右目用採光窓１３８と左目用採光窓１３９は略矩形をしているため、右目用採光窓１３８と左目用採光窓１３９のカートリッジ後基盤１３２側の辺は一つであるが、これに限定する必要はなく、２つ以上存在してもよい。例えば、右目用採光窓１３８と左目用採光窓１３９が多角形の場合等では、右目用採光窓１３８の各辺のうち、カートリッジ後基盤１３２側に存在する辺が２つ以上存在するために、右目用拡散基盤１５７と連接する右目用採光窓１３８の後辺が少なくとも２つ存在するということも考えられ、また、左目用採光窓１３９の各辺のうち、カートリッジ後基盤１３２側に存在する辺が２つ以上存在するために、左目用拡散基盤１５８と連接する左目用採光窓１３９の後辺が少なくとも２つ存在するということも考えられる。このように、右目用拡散基盤１５７と連接する右目用採光窓１３８の後辺は、右目用採光窓１３８の形状によって任意に定める事が可能であり、同様に、左目用拡散基盤１５８と連接する左目用採光窓１３９の後辺は、左目用採光窓１３９の形状によって任意に定める事が可能である。なお、採光窓を一つにした場合も同様である。
【０１２４】
また、右目用透過光採光窓１４７の下辺とは、右目用透過光採光窓１４７の各辺のうち、カートリッジ下基盤１３７側の辺であり、右目用採光窓前山折線部１５３と略対向する辺である。また、左目用透過光採光窓１４８の下辺とは、左目用透過光採光窓１４８の各辺のうち、カートリッジ下基盤側３７の辺であり、左目用採光窓前山折線部１５４と略対向する辺である。なお、本実施の形態では、右目用透過光採光窓１４７と左目用透過光採光窓１４８は略矩形をしているため、右目用透過光採光窓１４７と左目用透過光採光窓１４８のそれぞれの下辺は一つであるが、これに限定する必要はなく、２つ以上存在してもよい。例えば、右目用透過光採光窓１４７と左目用透過光採光窓１４８が多角形の場合等では、右目用透過光採光窓１４７の各辺のうち、カートリッジ下基盤１３７側に存在する辺が２つ以上存在するために、右目用拡散基盤１５７と連接する右目用透過光採光窓１４７の下辺が少なくとも２つ存在するということも考えられ、また、左目用透過光採光窓採光窓４８の各辺のうち、カートリッジ下基盤１３７側に存在する辺が２つ以上存在するために、左目用拡散基盤１５８と連接する左目用透過光採光窓１４８の後辺が少なくとも２つ存在するということも考えられる。このように、右目用拡散基盤１５７と連接する右目用透過光採光窓１４７の下辺は、右目用拡散基盤１５７の形状によって任意に定める事が可能であり、同様に、左目用拡散基盤１５８と連接する左目用透過光採光窓１４８の下辺は、左目用拡散基盤１５８の形状によって任意に定める事が可能である。なお、透過光採光窓を一つにした場合も同様である。
【０１２５】
また、本実施の形態では、右目用拡散基盤１５７と左目用拡散基盤１５８は、プラスチックよりなる黒い基盤の右目用採光窓１３８と左目用採光窓１３９側の面に拡散シートを貼付することによって形成している。このように右目用拡散基盤１５７と左目用拡散基盤１５８を形成することによって、右目用拡散基盤１５７と左目用拡散基盤１５８を容易に設ける事が可能になるため、製造コストを下げる事が可能である。更に、プラスチックよりなる黒い基盤を採用しているため、ビュアー用カートリッジ１０９の内部側の面を黒くする事が可能であり、その結果、ビュアー用カートリッジ１０９の内部を暗くする事が可能になるため、ビュアー用カートリッジ１０９をビュアー用カートリッジ装着部１０８に装着し、立体視した際に美しい立体画像を得る事が可能になる。ここで、右目用拡散基盤１５７と左目用拡散基盤１５８を形成するプラスチックよりなる黒い基盤は、ビュアー用カートリッジ１０９を形成する他の基盤と同じものである。なお、本実施の形態に限定する必要はなく、右目用拡散基盤１５７と左目用拡散基盤１５８には、任意の材料よりなる基盤を採用する事が可能であり、例えば、紙や木等よりなる基盤であってもよいし、光の濃度を均等にする役割を果たす基盤を別途設けるようにして右目用拡散基盤１５７と左目用拡散基盤１５８を構成するようにしてもよい。また、拡散基盤の、ビュアー用カートリッジ１０９内部側の面を黒くすることに限定する必要はなく、任意の形態を採用する事が可能であるが、ビュアー用カートリッジ１０９の内部を暗くする事ができるよう、拡散基盤の面のうち、ビュアー用カートリッジ１０９側の面が暗色になるよう、基盤に暗色を採用したり、拡散基盤のビュアー用カートリッジ１０９内側の面に黒いシート等を設けて暗色層を形成したほうが、より美しい立体画像を得る事が可能になるため好ましい。また、本実施の形態では、拡散シートは、ＰＥＴ基材のものを採用したがこれに限定する必要は無く、光の濃度を均等にする役割を果たすものであれば、いずれのものを採用することが可能である。
【０１２６】
また、右目用拡散基盤１５７の左右には、右支持基盤である右目用右支持基盤１６３と、左支持基盤である右目用左支持基盤１６４がそれぞれ設けられ、右目用拡散基盤１５７と上支持基盤１１７との間にできる間隙を塞いでいる。また、左目用拡散基盤１５８の左右には、右支持基盤である左目用右支持基盤１６５と、左支持基盤である左目用左支持基盤１６６がそれぞれ設けられ、左目用拡散基盤１５８と上支持基盤１１７との間にできる間隙を塞いでいる。本実施の形態では、右目用右支持基盤１６３は、右目用拡散基盤１５７の右辺を底辺とする二等辺三角形の形状をしており、右目用採光窓１３８の右辺と、右目用採光窓右山折線部１６７を介して連接し、かつ、前記右目用拡散基盤１５７の右辺と右目用拡散基盤右谷折線部１６８を介して連接している。また、右目用左支持基盤１６４は、右目用拡散基盤１５７の左辺を底辺とする二等辺三角形の形状をしており、右目用採光窓１３８の左辺と、右目用採光窓左山折線部１６９を介して連接し、かつ、前記右目用拡散基盤１５７の左辺と右目用拡散基盤左谷折線部１７０を介して連接している。また、左目用右支持基盤１６５は、左目用拡散基盤１５８の右辺を底辺とする二等辺三角形の形状をしており、左目用採光窓１３９の右辺と、左目用採光窓右山折線部１７１を介して連接し、かつ、前記左目用拡散基盤１５８の右辺と左目用拡散基盤右谷折線部１７２を介して連接している。また、左目用左支持基盤１６６は、左目用拡散基盤１５８の左辺を底辺とする二等辺三角形の形状をしており、左目用採光窓１３９の左辺と、左目用採光窓左山折線部１７３を介して連接し、かつ、前記左目用拡散基盤１５８の左辺と左目用拡散基盤左谷折線部１７４を介して連接している。
【０１２７】
ここで、右目用採光窓１３８の右辺とは、ビュアー用カートリッジ１０９の前基盤１３０から見た際の、右目用採光窓１３８の右側の辺であり、また、右目用拡散基盤１５７の右辺とは、ビュアー用カートリッジ１０９の前基盤１３０から見た際の、右目用拡散基盤１５７の右側の辺である。同様に、右目用採光窓１３８の左辺とは、ビュアー用カートリッジ１０９の前基盤１３０から見た際の、右目用採光窓１３８の左側の辺であり、また、右目用拡散基盤１５７の左辺とは、ビュアー用カートリッジ１０９の前基盤１３０から見た際の、右目用拡散基盤１５７の左側の辺である。また、左目用採光窓１３９の右辺とは、ビュアー用カートリッジ１０９の前基盤１３０から見た際の、左目用採光窓１３９の右側の辺であり、また、左目用拡散基盤１５８の右辺とは、ビュアー用カートリッジ１０９の前基盤１３０から見た際の、左目用拡散基盤１５８の右側の辺である。同様に、左目用採光窓１３９の左辺とは、ビュアー用カートリッジ１０９の前基盤１３０から見た際の、左目用採光窓１３９の左側の辺であり、また、左目用拡散基盤１５８の左辺とは、ビュアー用カートリッジ１０９の前基盤１３０から見た際の、左目用拡散基盤５７の左側の辺である。
【０１２８】
また、右目用右支持基盤１６３、右目用左支持基盤１６４、左目用右支持基盤１６５、及び、左目用左支持基盤１６６は、ともに、湾曲していない平面状である。なお、本実施の形態のように、右目用右支持基盤１６３、右目用左支持基盤１６４、左目用右支持基盤１６５、及び、左目用左支持基盤１６６を、平面状に限定する必要はなく、例えば、右目用右支持基盤１６３、右目用左支持基盤１６４、左目用右支持基盤１６５、及び、左目用左支持基盤１６６を、それぞれ凹状、もしくは、凸状に湾曲することも可能である。しかし、例えば、右目用右支持基盤１６３と右目用左支持基盤１６４を凹状に湾曲させると、右目用採光窓右山折線部１６７の近傍、及び、右目用採光窓左山折線部１６９の近傍によって右目用透過光採光窓１４７に余計な影が形成される場合が考えられ、また、左目用右支持基盤１６５と左目用左支持基盤１６６を凹状に湾曲させると、左目用採光窓右山折線部１７１の近傍、及び、左目用採光窓左山折線部１７３の近傍によって左目用透過光採光窓１４８に余計な影が形成される場合が考えられる。また、例えば、右目用右支持基盤１６３、右目用左支持基盤１６４、左目用右支持基盤１６５、及び、左目用左支持基盤１６６を凸状に湾曲させると、右目用右支持基盤１６３、右目用左支持基盤１６４、左目用右支持基盤１６５、及び、左目用左支持基盤１６６によって、右目用拡散基盤１５７と左目用拡散基盤１５８が拡散した光が遮られて、右目用透過光採光窓１４７と左目用透過光採光窓１４８に、十分な光が提供されない場合も考えられる。よって、右目用右支持基盤１６３、右目用左支持基盤１６４、左目用右支持基盤１６５、及び、左目用左支持基盤１６６は、湾曲させずに、平面であることが好ましい。また、右目用右支持基盤１６３、右目用左支持基盤１６４、左目用右支持基盤１６５、及び、左目用左支持基盤１６６の形状は、右目用拡散基盤１５７と上支持基盤１１７との間に形成される間隙、及び、左目用拡散基盤１５８と上支持基盤１１７との間に形成される間隙を塞ぎ、ビュアー用カートリッジ１０９の内部に右目用透過光採光窓１４７と左目用透過光採光窓１４８以外の部分から光が入ることを防ぐ事が可能であれば、任意の形状を採用する事が可能であり、本実施の形態のように二等辺三角形に限定する必要はない。
【０１２９】
また、本実施の形態では、右目用右支持基盤１６３、右目用左支持基盤１６４、左目用右支持基盤１６５、及び、左目用左支持基盤１６６は、ビュアー用カートリッジ１０９を構成する他の基盤と同じように、プラスチックよりなる黒い基盤によって形成されており、右目用右支持基盤１６３、右目用左支持基盤１６４、左目用右支持基盤１６５、及び、左目用左支持基盤１６６に当たった光の反射を防ぐとともに、ビュアー用カートリッジ１０９の内部を暗くすることを可能にしている。なお、本実施の形態に限定する必要は無く、右目用右支持基盤１６３、右目用左支持基盤１６４、左目用右支持基盤１６５、及び、左目用左支持基盤１６６は、任意の材料を採用して形成する事が可能である。また、右目用右支持基盤１６３、右目用左支持基盤１６４、左目用右支持基盤１６５、及び、左目用左支持基盤１６６の、採光窓側の面とビュアー用カートリッジ１０９の内部側の面を黒くすることに限定する必要は無く、任意の色を採用する事が可能であるが、採光窓側の面とビュアー用カートリッジ１０９の内部側の面を暗色にするために、採光窓側の面とビュアー用カートリッジ１０９の内部側の面に暗色層を形成したほうが、余計な光がビュアー用カートリッジ１０９内に入ることを防ぐ事が可能になり、かつ、ビュアー用カートリッジ１０９内を暗く保つ事が可能になり、立体視する際に美しい立体画像を得る事が可能になるため好ましい。
【０１３０】
また、透過物品であるフィルムがビュアー用カートリッジの内部に設けられている。本実施の形態では、フィルムは、シート状の端点と端点とを連接したロール状のフィルムであり、図示されていない駆動手段によって、時計回りに回転可能になっている。なお、図９は、図８のビュアー用カートリッジから取り出したフィルムのみの拡大図である。図９において図７と同じ番号を付したものは同じものであるため説明を割愛し、１８０はフィルム、１８１は画像の縦方向の長さ、１８２は画像の横方向の長さである。
【０１３１】
図７及び、図８において、フィルム１８０には、一組の右目用画像１１９と左目用画像１２２が交互に４枚ずつ形成されており、図示しない駆動手段で回転することによって右目用透過光採光窓１４７と左目用透過光採光窓１４８の前に位置する画像を変更することが可能であり、合計で４種類の立体画像を得ることが可能である。また、フィルムは、右目用採光窓１３８、右目用透過光採光窓１４７、右目用拡散基盤１５７、右目用右支持基盤１６３、右目用左支持基盤１６４、左目用採光窓１３９、左目用透過光採光窓１４８、左目用拡散基盤１５８、左目用右支持基盤１６５、及び、左目用左支持基盤１６６がロール状のフィルム１８０の内周側に位置するように立てて設けられており、右目用画像３８と左目用画像３９のそれぞれの後ろ側の面が、それぞれ右目用透過光採光窓１４７と左目用透過光採光窓１４８に略接している。このように、フィルム１８０が有する画像が垂直方向に向くようにフィルム１８０を立てて設けることによって、画像の後ろに位置する右目用透過光採光窓１４７と左目用透過光採光窓１４８から画像の背後に光を当てることが可能になる。更に、右目用画像１１９の後ろ側の面全体が右目用透過光採光窓１４７に接し、また、左目用画像１２２の後ろ側の面の全体が左目用透過光採光窓１４８に接するように設けることによって、右目用画像１１９と左目用画像１２２の背後に十分な透過光を当てる事が可能になり、その結果、美しい立体画像を得る事が可能になる。
【０１３２】
ここで、フィルム１８０の内周側とは、ロール状のフィルムの円周よりも円の中心側の領域である。また、フィルムをロール状にする際は、右目用透過光採光窓１４７の前に位置する右目用画像１１９と、左目用透過光採光窓１４８の前に位置する左目用画像１２２が、略平坦にする事が可能なように、フィルムを楕円にする事が好ましく、また、その長軸の長さを右目用画像の横方向の長さ１８１と左目用画像の横方向の長さ１８１を足し合わせた長さよりも長くする事が好ましいがこれに限定するわけではない。
【０１３３】
さらに、本実施の形態では、右目用画像１１９は、右目用透過光採光窓１４７の前基盤側３０の面の前に、右目用透過光採光窓１４７と右目用画像１１９がほぼ一致するように設けられており、言い換えれば、右目用レンズ１１０の中心軸１１８上にその中心が略位置するように設けられている。また、左目用画像１２２は、左目用透過光採光窓１４８の前基盤１３０側の面の前に、左目用透過光採光窓１４８と左目用画像１２２がほぼ一致するように設けられており、言い換えれば、左目用レンズ１１１の中心軸１２１上にその中心が略位置するように設けられている。よって、ビュアー用カートリッジ１０９をビュアー用カートリッジ装着部１０８に装着した際は、右目用レンズ１１０と左目用レンズ１１１から、容易に右目用画像１１９と左目用画像１２２を見ることができ、また、容易に立体画像を得ることが可能である。なお、これに限定する必要は無く、右目用画像１１９は前基盤１３０と右目用透過光採光窓１４７の間に位置し、少なくとも右目用レンズ１１０によって閲覧する事が可能であれば、任意の位置を採用することが可能である。また、左目用画像１２２も同様に、前基盤１３０と左目用透過光採光窓１４８の間に位置し、少なくとも左目用レンズ１１１によって閲覧する事が可能であれば任意の位置を採用することが可能である。
【０１３４】
また、本願発明のビュアー用カートリッジ１０９では、上支持基盤１１７に設けられた採光窓からビュアー用カートリッジ１０９の内部に光を取り入れるため、本実施の形態のようにシート状のフィルムの端点と端点とを繋げたロール状のフィルム１８０であっても採用することが可能になる。つまり、少なくとも、採光窓、透過光採光窓、拡散基盤、右支持基盤、及び、左支持基盤がロール状のフィルムの内側に位置するようにフィルムを配置させ、かつ、画像が垂直方向に向くようにフィルムを立てて設けることによって、レンズと透過光採光窓の間に位置するフィルムを１層にすることが可能になるため、レンズによって見る画像を１種類にする事が可能になり、立体視する事が可能になるのである。
【０１３５】
すなわち、従来のように、レンズと略対向する位置に設けられた基盤に、透過光を取り入れるための窓が形成され、この窓とレンズの間に、透過物品が有する画像を掲示するような構造のビュアーでは、透過物品としてロール状にしたフィルムを採用すると、レンズと透過光を取り入れるための窓の間に、フィルムが少なくとも２層存在してしまうため、立体視する際に、２種類の画像が見えるようになってしまい、採用する事ができなかった。よって、透過物品であるフィルムを１枚のシート状にして、窓とレンズの間に透過物品が有する画像を掲示した際に、レンズから見える画像が１種類になるようしなければならず、使用できるフィルムの種類が限定されていた。また、それに伴いビュアーのデザインの幅も限定されていた。そこで、シート状の端点と端点とをつなげたロール状にしたフィルムを採用する事が可能なビュアー、及び、それに用いるカートリッジが求められていた。
【０１３６】
この問題を解決するために、前基盤と、前記前基盤の上辺と、前基盤上山折線部を介して連接する上支持基盤と、を有するビュアー用カートリッジにおいて、前記前基盤に設けられた少なくとも１つの閲覧用窓と、前記上支持基盤に設けられた少なくとも一つの採光窓と、前記採光窓の前辺と、採光窓前山折線部を介して連接し、かつ、前記閲覧用窓と略対向するように設けられた、少なくとも一つの透過光採光窓と、前記採光窓の後辺と、採光窓後山折線部を介して連接し、かつ、前記透過光採光用窓の下辺と、透過光採光窓下谷折線部を介して連接する、少なくとも一つの拡散基盤と、前記採光窓の右辺と、採光窓右山折線部を介して連接し、かつ、前記拡散基盤の右辺と拡散基盤右谷折線部を介して連接する、少なくとも一つの右支持基盤と、前記採光窓の左辺と、採光窓左山折線部を介して連接し、かつ、前記拡散基盤の左辺と拡散基盤左谷折線部を介して連接する、少なくとも一つの左支持基盤と、前記閲覧用窓と透過光採光窓との間に設けられ、同一被写体を異なる視点で表した少なくとも２つの画像と、を有することを特徴とするビュアー用カートリッジでは、透過物品にロール状フィルムのフィルムを使用した際でも、画像の背後に透過光を提供する事が可能になる、簡易な構造のビュアー用カートリッジを提供することが可能になる。
【０１３７】
つまり、上記のビュアー用カートリッジでは、上支持基盤に採光窓が設けられているため、上支持基盤に設けられた採光窓から、ビュアー用カートリッジ内部へと光を取り入れる事が可能である。また、透過光採光窓が、採光窓の前片と、採光窓前山折線部を介して連接しており、また、拡散基盤が、採光窓の後片と、採光窓後山折線部を介して連接し、かつ、透過光採光窓の下辺と、透過光採光窓下谷折線部を介して連接している。よって、採光窓から取り入れられた光は、拡散基盤に反射して、透過光採光窓へ差し込むようになる。そして、同一被写体を異なる視点で表した少なくとも２つの画像（以下、同一被写体を異なる視点で表した少なくとも２つの画像を、「画像」と称す。）は、閲覧用窓と透過光採光窓との間に設けられている為、採光窓から透過光採光窓へと差し込んだ光を、画像の背後に当てることが可能になるのである。
【０１３８】
ここで、閲覧用窓と透過光採光窓との間に設けられる画像は、閲覧用窓から画像を見た際に画像を閲覧する事ができる向きで閲覧用窓と透過光採光窓との間に設けられる。より具体的には、透過光採光窓と閲覧用窓と略平行する向きであり、言い換えれば、上支持基盤に対して略垂直方向になるよう、立てた状態で設けられる。よって、ロール状のフィルムを採用した場合では、ロール状のフィルムの内周側に採光窓と透過光採光窓が位置するように、フィルムを立てた状態で設けることで、閲覧用窓と透過光採光窓との間に位置するフィルムを１層にする事が可能になる。そして、上支持基盤に設けられた採光窓から光をとり入れるため、１層になったフィルムが有する画像の背後に、採光窓から透過光採光窓へと差し込んだ光を提供する事が可能になるのである。
【０１３９】
また、画像、透過光採光窓、拡散基盤、及び、採光窓が、略同一直線上に位置するように設ければ、画像の背後に光を提供する際に、障害物を減らす事が可能になり、より画像の背後に光を提供する事が可能になるため好ましい。すなわち、例えば、採光窓と拡散基盤と透過光採光窓採光窓と画像とが同一直線上に設けられていない場合では、拡散基盤や透過光採光窓が障害となり、採光窓から取り入れた光が画像の背後に届く前に、光が遮られてしまう場合が考えられる。よって、採光窓から取り入れた光を、十分に画像の背後に提供する事が可能になるよう、画像、透過光採光窓、拡散基盤、及び、採光窓は、略同一直線上に位置するように設ける事が好ましいがこれに限定する必要は無い。なお同一直線上に位置するように設けるとは、少なくとも２つの画像のそれぞれの中心から水平方向に伸ばした２つの直線上に透過光採光窓が位置するように、透過光採光窓、拡散基盤、及び、採光窓を設けるということである。また、直線は、ビュアー用カートリッジをビュアーに装着した際に、レンズの中心から水平方向に引いた直線と同じ直線にした方が、レンズから画像を見る事が可能になる為好ましいがこれに限定する必要は無い。
【０１４０】
また、前基盤と、前記前基盤の上辺と、前基盤上山折線部を介して連接する上支持基盤と、を有するビュアー用カートリッジにおいて、前記前基盤に設けられた少なくとも１つの閲覧用窓と、前記上支持基盤に設けられた右目用採光窓と、前記右目用採光窓の隣に、前記右目用採光窓に接しないように設けられた左目用採光窓と、前記右目用採光窓の前辺と、右目用採光窓前山折線部を介して連接し、かつ、前記閲覧用窓と略対向するように設けられた、右目用透過光採光窓と、前記左目用採光窓の前辺と、左目用採光窓前山折線部を介して連接し、かつ、前記閲覧用窓と略対向するように設けられた、左目用透過光採光窓と、前記右目用採光窓の後辺と、右目用採光窓後山折線部を介して連接し、かつ、前記右目用透過光採光窓の下辺と、右目用透過光採光窓下谷折線部を介して連接する右目用拡散基盤と、前記左目用採光窓の後辺と、左目用採光窓後山折線部を介して連接し、かつ、前記左目用透過光採光窓の下辺と、左目用透過光採光窓下谷折線部を介して連接する左目用拡散基盤と、前記右目用採光窓の右辺と、右目用採光窓右山折線部を介して連接し、かつ、前記右目用拡散基盤の右辺と右目用拡散基盤右谷折線部を介して連接する右目用右支持基盤と、前記右目用採光窓の左辺と、右目用採光窓左山折線部を介して連接し、かつ、前記右目用拡散基盤の左辺と右目用拡散基盤左谷折線部を介して連接する右目用左支持基盤と、前記左目用採光窓の右辺と、左目用採光窓右山折線部を介して連接し、かつ、前記左目用拡散基盤の右辺と左目用拡散基盤右谷折線部を介して連接する左目用右支持基盤と、前記左目用採光窓の左辺と、左目用採光窓左山折線部を介して連接し、かつ、前記左目用拡散基盤の左辺と左目用拡散基盤左谷折線部を介して連接する左目用左支持基盤と、前記閲覧用窓と右目用透過光採光窓との間に設けられ、被写体を表した右目用画像と、前記閲覧用窓と左目用透過光採光窓との間に設けられ、前記右目用画像と同一の被写体を異なる視点で表した左目用画像と、を有することを特徴とするビュアー用カートリッジでも同様に、透過物品にロール状フィルムのフィルムを使用した際でも、画像の背後に透過光を提供する事が可能になる、簡易な構造のビュアー用カートリッジを提供することが可能になる。
【０１４１】
つまり、上記のビュアー用カートリッジでは、上支持基盤に採光窓が設けられているため、上支持基盤に設けられた右目用採光窓、及び、左目用採光窓から、容易に光を取り入れる事が可能である。また、右目用採光窓の前片と、右目用採光窓前山折線部を介して右目用透過光採光窓が連接しており、また、左目用採光窓の前片と、左目用採光窓前山折線部を介して左目用透過光採光窓が連接している。更に、右目用拡散基盤が、右目用採光窓の後片と、右目用採光窓後山折線部を介して連接し、かつ、前記右目用透過光採光窓の下辺と、右目用透過光採光窓下谷折線部を介して連接しており、また、左目用拡散基盤が、左目用採光窓の後片と、左目用採光窓後山折線部を介して連接し、かつ、前記左目用透過光採光窓の下辺と、左目用透過光採光窓下谷折線部を介して連接している。よって、右目用採光窓から取り入れられた光は、右目用拡散基盤に反射して、右目用透過光採光窓へ差し込み、また、左目用採光窓から取り入れられた光は、左目用拡散基盤に反射して、左目用透過光採光窓へ差し込む。そして、被写体を表した右目用画像と、右目用画像が有する画像と同一の被写体を異なる視点で表した左目用画像は、それぞれ、閲覧用窓と右目用透過光採光窓との間、及び、閲覧用窓と左目用透過光採光窓との間に設けられている為、採光窓から透過光採光窓へと差し込んだ光を、画像の背後に当てることが可能になるのである。
【０１４２】
ここで、閲覧用窓と右目用透過光採光窓との間に設けられる右目用画像は、閲覧用窓から右目用画像を見た際に右目用画像を閲覧する事ができる向きで設けられる。より具体的には、右目用透過光採光窓と閲覧用窓と略平行する向きであり、言い換えれば、上支持基盤に対して略垂直方向になるよう、立てた状態で設けられる。同様に、閲覧用窓と左目用透過光採光窓との間に設けられる左目用画像は、閲覧用窓から左目用画像を見た際に左目用画像を閲覧する事ができる向きで設けられる。より具体的には、左目用透過光採光窓と閲覧用窓と略平行する向きであり、言い換えれば、上支持基盤に対して略垂直方向になるよう、立てた状態で設けられる
よって、ロール状のフィルムを採用した場合では、ロール状のフィルムの内周側に右目用採光窓、左目用採光窓、右目用透過光採光窓、及び、左目用透過光採光窓が位置するように、フィルムを立てた状態で設けることで、閲覧用窓とそれぞれの透過光採光窓との間に位置するフィルムを１層にする事が可能になる。そして、上支持基盤に設けられた右目用採光窓と左目用採光窓から光をとり入れるため、１層になったフィルムが有する右目用画像と左目用画像の背後に、それぞれの採光窓からそれぞれの透過光採光窓へと差し込んだ光を提供する事が可能になるのである。
【０１４３】
更に、右目用採光窓と左目用採光窓とが、接しないように設けられているため、右目用採光窓の左辺と左目用採光窓の右辺とを挟持することによって、カートリッジを持ち上げる事が可能になる。なお、右目用採光窓に接しないように左目用採光窓と設けるとは、右目用採光窓と、左目用採光窓とが接して一つの採光窓にならないように設けるということであり、右目用採光窓と左目用採光窓との間に、少なくとも一辺の境界となる辺が存在するということである。このように、右目用採光窓と左目用採光窓とが重ならないように設けることによって、右目用採光窓の左辺と左目用採光窓の右辺とを挟持することが可能になり、このように、右目用採光窓の左辺と左目用採光窓の右辺とを挟持することによって、カートリッジを持ち上げる事が可能になるため、例えば、カートリッジの外形と略同じ大きさの箱に包装体に収納した場合や、カートリッジを使用するためにビュアーに装着した場合であっても、箱やビュアーを壊すことなくカートリッジを取り出す事が可能になる。
【０１４４】
ここで、右目用画像、右目用透過光採光窓、右目用拡散基盤、及び、右目用採光窓が、略同一直線上に位置するように、かつ、左目用画像、左目用透過光採光窓、左目用拡散基盤、及び、左目用採光窓が、略同一直線上に位置するように設ければ、それぞれの画像の背後に光を提供する際に、障害物を減らす事が可能になり、より画像の背後に光を提供する事が可能になるため好ましい。すなわち、例えば、右目用画像、右目用透過光採光窓、右目用拡散基盤、及び、右目用採光窓が、略同一直線上に位置するように設けられていない場合では、右目用拡散基盤や右目用透過光採光窓が障害となり、右目用採光窓から取り入れた光が右目用画像の背後に届く前に、光が遮られてしまう場合が考えられる。同様に、例えば、左目用画像、左目用透過光採光窓、左目用拡散基盤、及び、左目用採光窓が、略同一直線上に位置するように設けられていない場合では、左目用拡散基盤や左目用透過光採光窓が障害となり、左目用採光窓から取り入れた光が左目用画像の背後に届く前に、光が遮られてしまう場合が考えられる。よって、右目用採光窓と左目用採光窓からそれぞれ取り入れた光を、十分にそれぞれの画像の背後に提供する事が可能になるよう、右目用画像、右目用透過光採光窓、右目用拡散基盤、及び、右目用採光窓が、略同一直線上に位置するように設け、かつ、左目用画像、左目用透過光採光窓、左目用拡散基盤、及び、左目用採光窓が、略同一直線上に位置するように設ける事が好ましいがこれに限定する必要は無い。なお右目用画像、右目用透過光採光窓、右目用拡散基盤、及び、右目用採光窓を、略同一直線上に位置するように設けるとは、右目用画像の中心から水平方向に伸ばした直線上に右目用透過光採光窓が位置するように、右目用透過光採光窓、右目用拡散基盤、及び、右目用採光窓を設けるということであり、また、左目用画像、左目用透過光採光窓、左目用拡散基盤、及び、左目用採光窓を、略同一直線上に位置するように設けるとは、左目用画像の中心から水平方向に伸ばした直線上に左目用透過光採光窓が位置するように、左目用透過光採光窓、左目用拡散基盤、及び、左目用採光窓を設けるということである。また、更に好ましくは、右目用画像の中心から水平方向に伸ばした直線上に右目用透過光採光窓の中心が位置するように、右目用透過光採光窓、右目用拡散基盤、及び、右目用採光窓を設け、また、左目用画像の中心から水平方向に伸ばした直線上に左目用透過光採光窓の中心が位置するように、左目用透過光採光窓、左目用拡散基盤、及び、左目用採光窓を設ければ、右目用拡散基盤、右目用採光窓、左目用拡散基盤、及び、左目用採光窓が障害となることを防ぐ事が可能になり、十分な光を右目用画像と左目用画像の背後に提供する事が可能になる為好ましいがこれに限定するわけではない。またそれぞれの直線は、ビュアー用カートリッジをビュアーに装着した際に、２つのレンズの中心からそれぞれ水平方向に引いた２つ直線と略同じ直線にした方が、レンズからそれぞれの画像を見る事が可能になる為好ましいがこれに限定する必要は無い。
【０１４５】
また、前記拡散基盤、右目用拡散基盤、及び、左目用拡散基盤は、緩やかに湾曲していることを特徴とする上記ぞれぞれのビュアー用カートリッジでは、拡散基盤、右目用拡散基盤、及び、左目用拡散基盤が、緩やかに湾曲しているため、透過光採光窓、右目用透過光採光窓、及び、左目用透過光採光窓へより光を提供する事が可能になり、その結果、を画像の背後、右目用画像の背後、及び、左目用画像の背後により光を提供することが可能になる。
【０１４６】
また、少なくとも２つのレンズと、前記レンズを固定するレンズ固定部と、前記レンズ固定部の上部と上山折線部を介して連接する少なくとも一つの上基盤と、上記いずれか一つに記載のビュアー用カートリッジと、前記上基盤に設けられ、上記いずれか記載のビュアー用カートリッジを装着可能なカートリッジ装着部と、を有することを特徴とする立体ビュアーでは、体の向きが限定されることなく立体視する事が可能になる。なお、ビュアー用カートリッジ装着部は、それぞれのレンズの中心から水平方向に伸ばした直線上に、ビュアー用カートリッジに設けられたそれぞれの画像の中心と、拡散基盤と、透過光採光窓と、が略位置するように設ける事が好ましい。例えば、右目用レンズの中心から水平方向に伸ばした直線上に、ビュアー用カートリッジに設けられた右目用画像の中心と、右目用拡散基盤の中心と、右目用透過光採光窓の中心と、が略位置するように、かつ、左目用レンズの中心から水平方向に伸ばした直線上に、ビュアー用カートリッジに設けられた左目用画像の中心と、左目用拡散基盤の中心と、左目用透過光採光窓の中心と、が略位置するように、ビュアーカートリッジ装着部を設ければ、右目用レンズの中心と、ビュアー用カートリッジに設けられた右目用画像の中心と、右目用透過光採光窓の中心が略一直線上に位置し、また、左目用レンズの中心と、ビュアー用カートリッジに設けられた左目用画像の中心と、左目用透過光採光窓の中心が略一直線上に位置するようになる。このように、ビュアー用カートリッジ装着部は、それぞれのレンズの中心から水平方向に伸ばした直線上に、ビュアー用カートリッジに設けられたそれぞれの画像の中心と、拡散基盤と、透過光採光窓と、が略位置するように設ける事によって、レンズから画像を容易に見る事が可能になるだけで無く、画像の背後に光を提供する際に、障害物となるものを排除する事が可能になる。その結果、より光が当たった画像を容易に閲覧する事が可能になり、美しい立体画像を得る事が可能になる。更に、これらのビュアー用カートリッジ、及び、ビュアーを冊子体に添付する事も可能である。
【０１４７】
なお、本願発明で使用可能な透過物品はロール状のフィルムだけでなく、例えば、マウントしたフィルムや、シート状のフィルムであっても使用可能である。また、マウントしたフィルムやシート状のフィルムを使用する場合であっても、レンズと透過光採光窓の間にフィルムが立体視する画像が位置するように、透過物品を配置する必要がある。例えば、図示しないが、マウントしたフィルムの差込口を前基盤１３０と右目用透過光採光窓１４７の間に、また、前基盤１３０と左目用透過光採光窓１４８の間に形成すれば、マウントしたフィルムを採用することが可能になる。また、本願発明のフィルム１８０は、３５ｍｍのフィルムであり、画像の縦方向の長さ１８１は２３ｍｍであり、画像の横方向の長さ１８２は２４ｍｍであるがこれに限定する必要はなく、公知のフィルムを採用する事が可能であり、また画像もフィルムに合わせて公知の大きさにする事が可能である。また、透過用物品にシート状やロール状のフィルムのように、少なくとも２種類の画像が連続する場合において、右目用画像１１９と左目用画像１２２の配置は、公知の配置の仕方を採用する事が可能であり、本実施の形態のように交互に限定する必要は無い。
【０１４８】
図１０は、図７のビュアー用カートリッジの、右目用レンズの中心軸での断面図である。
なお、左目用レンズの中心軸での断面図は、右目用レンズの中心軸での断面図と同じであるため割愛する。また、図７、図８及び、図９と同じ番号を付したものは同じものであるために説明を割愛し、１８５は拡散シートである。
【０１４９】
図１０において、右目用拡散基盤１５７は、プラスチックよりなる黒い基盤の、右目用採光窓１３８側の面に拡散シート１８５を貼付することによって形成されている。本実施の形態では、拡散シート１８５には、ＰＥＴ基材のものを採用したがこれに限定する必要は無く、光の濃度を均等にする役割を果たすものであれば、いずれのものを採用することが可能である。なお、本願発明では、右目用拡散基盤１５７が設けられているため、上支持基盤１１７に設けられた右目用採光窓１３８から光が入ると、光は右目用拡散基盤１５７に当たる。そして、右目用拡散基盤１５７に当たった光が右目用透過光採光窓１４７へと入るようになる。また、右目用拡散基盤１５７に当たった光は、拡散シート１８５によってその濃度が一定になって反射されるため、結局、右目用拡散基盤１５７によって右目用透過光採光窓１４７に濃度が一定な光を提供することが可能になる。
【０１５０】
図１１は、別の実施の形態を示すビュアー用カートリッジにおける、右目用レンズの中心軸での断面図である。なお、左目用レンズの中心軸での断面図は、右目用レンズの中心軸での断面図と同じであるため割愛する。また、図７、図８、図９、及び、図１０と同じ番号を付したものは同じものであるために説明を割愛し、１８７は右目用拡散基盤、１８８は上支持基盤１１７と右目用拡散基盤１８７によって、ビュアー用カートリッジ１０９の内部側に形成される角度、１８９は右目用透過光採光窓１４７と右目用拡散基盤１８７よって、ビュアー用カートリッジ１０９の内部側と対向する側に形成される角度、１９０は右目用採光窓１３８の後辺、１９１は右目用採光窓１３８の後辺１９０の近傍、１９２は右目用透過光採光窓１４７の下辺、１９３は右目用透過光採光窓１４７の下辺１９２の近傍である。
【０１５１】
図１１において、右目用拡散基盤１８７は、プラスチックよりなる黒い基盤の、右目用採光窓１３８側の面に拡散シート１８５を貼付することによって形成されている。本実施の形態では、拡散シート１８５には、ＰＥＴ基材のものを採用したがこれに限定する必要は無く、光の濃度を均等にする役割を果たすものであれば、いずれのものを採用することが可能である。また、図１１において、右目用拡散基盤１８７は凹状に緩やかに湾曲している。本実施の形態のように拡散基盤を凹状に緩やかに湾曲させることによって、透過光採光窓により光を提供することが可能になる。また、本実施の形態では、右目用採光窓１３８の後辺１９０において、上支持基盤１１７と右目用拡散基盤１８７によって、ビュアー用カートリッジ１０９の内部側に形成される角度１８８が、約１２０度になるように湾曲している。このように、右目用採光窓１３８の後辺１９０において、上支持基盤１１７と右目用拡散基盤１８７によって、ビュアー用カートリッジ１０９の内部側に形成される角度１８８を約１２０度にすることによって、右目用採光窓１３８の後辺１９０の近傍１９１において、右目用拡散基盤１８７が、右目用採光窓１３８の後辺１９０よりもカートリッジ後基盤１３２側に入り込まないようにすることが可能であるため、右目用採光窓１３８に光が差し込んだ際に、右目用採光窓１３８の後辺１９０の近傍１９１によって、右目用拡散基盤１８７や右目用透過光採光窓１４７に影を形成してしまうことを防ぐことが可能になるため好ましい。なお、右目用採光窓１３８の後辺１９０において、上支持基盤１１７と右目用拡散基盤１８７によって、ビュアー用カートリッジ１０９の内部側に形成される角度１８８を約１２０度に限定する必要はなく、任意の角度を採用することが可能であるが、好ましくは９０度以上、さらに好ましくは、１００以上１６０度以下にすれば、右目用採光窓１３８の後辺１９０の近傍１９１において、右目用拡散基盤１８７が右目用採光窓１３８の後辺１９０よりもカートリッジ後基盤１３２側に入り込まないようにすることが可能になる。
【０１５２】
また、本実施の形態では、右目用透過光採光窓１４７の下辺８２において、右目用透過光採光窓２７と右目用拡散基盤１８７によって、ビュアー用カートリッジ１０９の内部側と対向する側に形成される角度１８９は、約６０度である。なお、これに限定する必要はなく、右目用透過光採光窓１４７の下辺１９２において、右目用透過光採光窓１４７と右目用拡散基盤１８７によって、ビュアー用カートリッジ１０９の内部側と対向する側に形成される角度１８９は任意の角度にすることが可能であるが、あまりにも急な角度にしてしまうと、右目用透過光採光窓１４７の下辺１９２の近傍１９３において、光が右目用透過光採光窓１４７に入らなくなってしまう場合が考えられるため、右目用透過光採光窓１４７の下辺１９２において、右目用透過光採光窓１４７と右目用拡散基盤１８７によって、ビュアー用カートリッジ１０９の内部側と対向する側に形成される角度１８９は、約２０度以上が好ましく、さらには、３０度以上であることが好ましい。
【０１５３】
図１２は、別の実施の形態を示すビュアー用カートリッジにおける、右目用レンズの中心軸での断面図である。なお、左目用レンズの中心軸での断面図は、右目用レンズの中心軸での断面図と同じであるため割愛する。また、図７、図８、図９、図１０、及び、図１１と同じ番号を付したものは同じものであるために説明を割愛し、１９５は右目用拡散基盤、１９６は上支持基盤１１７と右目用拡散基盤１９５によって、ビュアー用カートリッジ１０９の内部側に形成される角度、１９７は右目用透過光採光窓１４７と右目用拡散基盤１９５によって、ビュアー用カートリッジ１０９の内部側と対向する側に形成される角度、１９８は頂点、１９９は頂点から右目用透過光採光窓までの距離、２００は下側右目用拡散基盤である。
【０１５４】
図１２において、右目用拡散基盤１９５は、プラスチックよりなる黒い基盤の、右目用採光窓１３８側の面に拡散シート１８５を貼付することによって形成されている。本実施の形態では、拡散シート１８５には、ＰＥＴ基材のものを採用したがこれに限定する必要は無く、光の濃度を均等にする役割を果たすものであれば、いずれのものを採用することが可能である。また、図１２において、右目用拡散基盤１９５は凸状に緩やかに湾曲している。本実施の形態のように拡散基盤を凸状に緩やかに湾曲させることによって、透過光採光窓により光を提供することが可能になる。
【０１５５】
また、本実施の形態では、右目用採光窓１３８の後辺１９０において、上支持基盤１１７と右目用拡散基盤１９５によって、ビュアー用カートリッジ１０９の内部側に形成される角度１９６を約１５０度にし、また、右目用透過光採光窓１４７の下辺１９２において、右目用透過光採光窓１４７と右目用拡散基盤１９５によって、ビュアー用カートリッジ１０９の内部側と対向する側に形成される角度１９７を約３０度にし、断面から見た際に、右目用拡散基盤１９５が右目用採光窓１３８よりも上に突出しないように、右目用拡散基盤１９５を緩やかに湾曲させている。なお、本実施の形態に限定する必要はなく、右目用拡散基盤１９５は自由に湾曲させる事が可能であり、また、右目用採光窓１３８の後辺１９０において、上支持基盤１１７と右目用拡散基盤１９５によって、ビュアー用カートリッジ１０９の内部側に形成される角度１９６、及び、右目用透過光採光窓１４７の下辺１９２において、右目用透過光採光窓１４７と右目用拡散基盤１９５によって、ビュアー用カートリッジ１０９の内部側と対向する側に形成される角度１９６は任意の値を採用する事が可能である。しかし、断面から見た際に、拡散基盤が採光窓から突出してしまうと、突出した部分によって透過光採光窓に入る光をさえぎってしまう場合が考えられ、また、拡散基盤が透過光採光用窓に入り込んでしまうと、入り込んでしまった拡散基盤によって十分な光を提供する事ができなくなってしまう場合が考えられるため、拡散基盤は、採光窓から突出しないように凸状に湾曲することが好ましく、また、透過光採光窓に入り込まないように湾曲することが好ましい。よって、上支持基盤１１７と右目用拡散基盤１９５によって、ビュアー用カートリッジ１０９内部側に形成される角度１９６は、約１６０度以下、さらには、約９０度以上１５０度以下であることが好ましく、また、右目用透過光採光窓１４７と右目用拡散基盤１９５よって、ビュアー用カートリッジ１０９の内部側と対向する側に形成される角度１９７は、約２０度以上が好ましく、さらには、３０度以上であることが好ましい。
【０１５６】
また、頂点１９８は、平面状の右目用拡散基盤と比較したとき、最も突出した部分の点である。そして、本実施の形態では、右目用拡散基盤１９５は、頂点１９８から、右目用透過光採光窓１４７までの水平方向の距離１９９が５ｍｍ存在するように凸状に湾曲している。なおこれに限定する必要は無く、頂点１９８から、右目用透過光採光窓１４７までの水平方向の距離１９９は、少なくとも３ｍｍ、さらに好ましくは、少なくとも１ｃｍ存在するように凸状に湾曲することが好ましい。このように湾曲させることによって、拡散基盤が透過光採光窓に入り込まないように湾曲させることが可能になる。なお、頂点１９８よりもカートリッジ下基盤１３７側の右目用拡散基盤１９５である下側右目用拡散基盤２００が、断面から見た際に、頂点１９８よりもカートリッジ後基盤１３２側に入り込まないようにしたほうが、右目用透過光採光窓１４７の下辺９３の近傍１９３に影が形成されないため好ましい。
【０１５７】
なお、図１１、図１２では、拡散基盤は、採光窓の後辺から透過光採光窓の下辺に向かう方向である長さ方向に緩やかに湾曲しているのみである。よって拡散基盤の長さ方向に垂直に交わる方向である幅方向の断面は、図示しないが、水平である。なおこれに限定する必要は無く、任意に曲げる事が可能である。例えば、長さ方向と幅方向の両方に緩やかに湾曲させ、凸状の球状に湾曲させることも可能であるし、また例えば、長さ方向と幅方向の両方に緩やかに湾曲させ、凹状の球状に湾曲させることも可能であるし、幅方向のみに緩やかに凹状もしくは凸状に湾曲させることも可能である。なお、これらに限定しない。
【０１５８】
また、本願発明において、緩やかに湾曲とは、拡散基盤が１方向に曲がるということであり、例えば、拡散基盤の上半分が凹状に湾曲し、下半分が凸状に湾曲するというように、複数の方向に曲がるということではない。なお、拡散基盤に採用する材料によって、顕微鏡レベルで見れば、無数の凹凸が形成されているが、材料による凹凸は考慮しない。また、１方向であれば、任意に曲げることが可能である。
【０１５９】
図１３は、図７のビュアーを冊子体に添付した状態を示す正面図である。図１３において、図７、図８、図９、図１０、図１１、及び、図１２と同じ番号を付した物は同じものであるため説明を割愛し、２０１は冊子体、２０２は表表紙、２０３は裏表紙、２０４は背表紙、２０５は冊子体収納部、２０６は包装体であるビュアー収納箱である。
【０１６０】
図１２において、冊子体２０１は、表表紙２０２と背表紙２０４と裏表紙２０３とを連接してなる表紙の、表表紙２０２の裏側に形成された冊子体収納部２０５に収納されており、取り外し可能のものである。また、冊子体２０１は、表表紙２０２と略同じ大きさであり、表表紙２０２と裏表紙２０３も略同じ大きさである。ビュアー１００は、下基盤１０５、右基盤１０６、左基盤１０７、レンズ固定基盤１０２、及び、後基盤１０３と接してビュアー１００を被包する収納箱に収納されている。本実施の形態ではビュアー収納箱２０６は、表表紙２０２とほぼ同じ大きさであり、その底板が裏表紙２０３の裏側に貼付されている。よって、表紙を開けると、ビュアー１００の上基盤１０４、及び、ビュアー用カートリッジ１０９が見えるようになっている。
【０１６１】
図１２において、冊子体２０１の用途は、ビュアー１００によって見えた立体画像が何であるか学習するためのものであり、この冊子体２０１の使用者は３歳から５歳の幼児である。幼児は、表紙を開いて、ビュアー１００を収納箱より取り出し、また、冊子体１を冊子体収納部２０５より取りだす。次に、ビュアー１００で見た立体画像の名前や画像に関する事柄を、冊子体２０１に書かれている内容によって学習して行く。
【０１６２】
なお、実施の形態では、ビュアー１００は長方形の収納箱２０６に収納され、裏表紙２０３によって冊子体２０１に添付されているが、これに限定する必要はなく、任意のやり方を採用することが可能である。例えば、袋状の包装体を採用することも可能であるし、シート状の包装体で包むように収納するようにすることも可能である。また、本実施の形態では、収納箱は、段ボール紙によって形成されているが、これに限定する必要はなく、包装体には、任意のものを採用することができる。例えば、木やプラスチックなどを採用することも可能である。なお、袋状やシート状の包装体を採用する場合であれば、例えば、紙を採用することが可能であるのはもちろんのこと、ビニールやセロファンなどを採用することも可能である。また添付の仕方も、本実施の形態に限定する必要は無く、公知のやり方を採用して添付することが可能である。
【０１６３】
また、本実施の形態では、冊子体２０１は、本実施の形態のように学習用のものに限定するわけではなく、たとえば、マウントされた透過物品やシート状の透過物品を収納するアルバムであってもよい。また、本実施の形態では、ビュアー１を添付しているが、これに限定する必要は無く、例えば、ビュアー用カートリッジのみを添付することも可能であり、また添付するビュアー用カートリッジやビュアーも任意に選ぶ事が可能である。
【図面の簡単な説明】
【０１６４】
【図１】本願発明におけるビュアーの正面図である。
【図２】図１のビュアーから、フィルムのみの拡大図である。
【図３】図１のビュアー用カートリッジの、右目用レンズの中心軸での断面図である。
【図４】別のビュアー用カートリッジの、右目用レンズの中心軸での断面図である。
【図５】別のビュアー用カートリッジの、右目用レンズの中心軸での断面図である。
【図６】図１のビュアーを冊子体に添付した状態を示す正面図である。
【図７】本願発明における別の実施の形態のビュアーの正面図である。
【図８】図７から、ビュアー用カートリッジを取り出した状態を示した正面図である。
【図９】図７のビュアーから、フィルムのみの拡大図である。
【図１０】図７のビュアー用カートリッジの、右目用レンズの中心軸での断面図である。
【図１１】別のビュアー用カートリッジの、右目用レンズの中心軸での断面図である。
【図１２】別のビュアー用カートリッジの、右目用レンズの中心軸での断面図である。
【図１３】図７のビュアーを冊子体に添付した状態を示す正面図である。
【符号の説明】
【０１６５】
１…ビュアー、２…レンズ固定部であるレンズ固定基盤、３…後基盤、４…上基盤、５…下基盤、６…右基盤、７…左基盤、８…右目用レンズ、９…左目用レンズ、１０…レンズ外側固定部、１１…右目用レンズ８の中心、１２…左目用レンズ９の中心、１３…レンズ固定基盤上山折線部、１４…透過物品であるロール状のフィルム、１５…後基盤上山折線部、１６…レンズ固定基盤下山折線部、１７…後基盤下山折線部、１８…レンズ固定基盤右山折線部、１９…上基盤右山折線部、２０…下基盤右山折線部、２１…後基盤右山折線部、２２…レンズ固定基盤左山折線部、２３…上基盤左山折線部、２４…下基盤左山折線部、２５…後基盤左山折線部、２６…右目用採光窓、２７…左目用採光窓、２８…右目用レンズ８の中心軸、２９…左目用レンズ９の中心軸、３０…右目用採光窓２６の中心、３１…左目用採光窓２７の中心、３２…右目用採光窓２６の前辺、３３…左目用採光窓２７の前辺、３４…レンズ固定基盤２の上辺、３５…右目用採光窓２６の前辺３２からレンズ固定基盤２の上辺３４までの距離、３６…左目用採光窓２７の前辺３３からレンズ固定基盤２の上辺３４までの距離、３７…右目用透過光採光窓、３８…左目用透過光採光窓、３９…右目用採光窓２６の左辺、４０…左目用採光窓２７の右辺、４１…右目用採光窓前山折線部、４２…左目用採光窓前山折線部、４３…右目用拡散基盤、４４…左目用拡散基盤、４５…右目用採光窓後山折線部、４６…右目用透過光採光窓下谷折線部、４７…左目用採光窓後山折線部、４８…左目用透過光採光窓下谷折線部、４９…右目用右支持基盤、５０…右目用左支持基盤、５１…左目用右支持基盤、５２…左目用左支持基盤、５３…右目用採光窓右山折線部、５４…右目用拡散基盤右谷折線部、５５…右目用採光窓左山折線部、５６…右目用拡散基盤左谷折線部、５７…左目用採光窓右山折線部、５８…左目用拡散基盤右谷折線部、５９…左目用採光窓左山折線部、６０…左目用拡散基盤左谷折線部、６５…右目用画像、６６…左目用画像、６７…画像の縦方向の長さ、６８…画像の横方向の長さ、７０…拡散シート
【図１】
2005300725.tif 000004
【図２】
2005300725.tif 000005
【図３】
2005300725.tif 000006
【図４】
2005300725.tif 000007
【図５】
2005300725.tif 000008
【図６】
2005300725.tif 000009
【図７】
2005300725.tif 000010
【図８】
2005300725.tif 000011
【図９】
2005300725.tif 000012
【図１０】
2005300725.tif 000013
【図１１】
2005300725.tif 000014
【図１２】
2005300725.tif 000015
【図１３】
2005300725.tif 000016